(57)【要約】本発明は、水性の皺除去及び／又は軽減組成物と一緒に使用して布地に染みを付ける可能性を最小限に抑え、水性基剤の皺抑制組成物に付随する乾燥時間を有意に減らすための最適な噴霧の型を有する散布器を選択することに関する。本発明はまた、最適な噴霧の型を持つ散布器において使用するのに好適な皺抑制組成物及び使用のための使用説明書を含む使用物品にも関する。本発明はまた、最適な噴霧の型を持つ散布器における皺抑制組成物のための使用方法にも関する。
2004500493.tif 000002
【特許請求の範囲】
【請求項１】
噴霧散布器を用いて有効量の皺抑制組成物を布地に散布させる工程を含む前記布地において皺を抑制する方法であって、前記皺抑制組成物が：
（ａ）水を含む水性基剤；
（ｂ）任意で、表面張力を減らすための有効量の界面活性剤；
（ｃ）任意で、溶媒及び／又は可塑化剤；
（ｄ）任意で、有効量の布地ケア多糖類；
（ｅ）任意で、悪臭を吸収するための有効量の臭気抑制剤；
（ｆ）任意で、有効量の緩衝能を提供するために十分な有効量の緩衝システム；
（ｇ）任意で、嗅覚効果を提供するための有効量の香料；
（ｈ）任意で、微生物を殺傷するための又はその増殖を減らすための有効量の抗菌活性成分；
（ｉ）任意で、改善された抗菌作用を提供するための有効量のアミノカルボキシレートキレート剤；
（ｊ）任意で、有効量の可溶化された水溶性の抗菌防腐剤；
（ｋ）任意で、有効量の白色保存剤；並びに
（ｌ）任意で、臭気抑制物質、キレート化剤、粘度制御剤、静電気防止剤、防虫及び防蛾剤、着色剤、目詰まり防止剤、ｐＨ調整のために作用剤、緩衝剤、及びそれらの混合物から成る群から選択される添加成分；
を含み、且つその際、前記噴霧散布器は、０．０１１２未満の、好ましくは０．００５４ｍｌ／ｃｍ２未満の、及びさらに好ましくは０．００３１ｍｌ／ｃｍ２未満の単位表面積当りの体積を有する噴霧の型を提供する組成物。
【請求項２】
前記噴霧の型が単位表面積当り０．００８７ｍｌ／ｃｍ２未満の、好ましくは０．００４７ｍｌ／ｃｍ２未満の及びさらに好ましくは０．００３１ｍｌ／ｃｍ２未満の前記体積の標準偏差を有する請求項１に記載の方法。
【請求項３】
前記皺抑制組成物が１０，０００未満の、好ましくは１，０００未満の、及びさらに好ましくは１００未満のトルートン比を有する請求項１に記載の方法。
【請求項４】
前記皺抑制組成物が、シリコーン界面活性剤、非イオン系界面活性剤、イオン系界面活性剤、双極性界面活性剤、フッ素系界面活性剤、及びそれらの混合物から成る群から選択される、０．０００１％〜２０％の界面活性剤をさらに含む請求項１に記載の方法。
【請求項５】
前記界面活性剤が次式を有するシリコーン界面活性剤である請求項４に記載の方法であって：
Ｒ１−（ＣＨ３）２ＳｉＯ−［（ＣＨ３）２ＳｉＯ］ａ−［（ＣＨ３）（Ｒ１）ＳｉＯ］ｂ−Ｓｉ（ＣＨ３）２−Ｒ１
式中ａ＋ｂは１〜約５０であり、Ｒ１はそれぞれ同一又は異なっており、メチル基及び次の一般式を有するポリ（エチレンオキシド／プロピレンオキシド）コポリマー基から成る群から選択され：
−（ＣＨ２）ｎＯ（Ｃ２Ｈ４Ｏ）ｃ（Ｃ３Ｈ６Ｏ）ｄＲ２
式中、少なくともＲ１の１つはポリ（エチレンオキシ／プロピレンオキシ）コポリマー基であり、式中、ｎは３又は４であり；ｃの合計（ポリアルキレンオキシ側基すべてについて）は１〜約１００の値を有し；ｃ＋ｄの合計は５〜１５０の値を有し、Ｒ２はそれぞれ同一又は異なっており、水素、１〜４の炭素原子を有するアルキル、及びアセチル基から成る群から選択される。
【請求項６】
前記シリコーン界面活性剤が、皺抑制組成物の少なくとも０．０１質量％のレベルである請求項５に記載の方法。
【請求項７】
フッ素化アルキルポリオキシアルキレン類、フッ素化アルキルエステル類、及びそれらの混合物から選択されるフッ素系界面活性剤である請求項６に記載の方法。
【請求項８】
前記界面活性剤が硫酸化植物油、硫酸化ヒマシ油、硫酸化キャノーラ油及びそれらの混合物から選択される請求項６に記載の方法。
【請求項９】
組成物が溶媒を含む請求項１に記載の方法。
【請求項１０】
組成物が、主要な布地ケア多糖類、付属的な布地ケアオリゴ糖類、デンプン、又はそれらの混合物を含む請求項１の方法。
【請求項１１】
組成物が、トウモロコシ、小麦、米、穀実用モロコシ、蝋状穀実用モロコシ、蝋様トウモロコシ、タピオカ、修飾デンプン、及びそれらの混合物に由来するデンプンを含む請求項１０に記載の方法。
【請求項１２】
デンプンが酸、酸化、又は酵素による解重合によって生じる分解デンプンであるか、又は修飾デンプンが、デンプン又はそれらの混合物のアルコキシル化により製造される請求項１１に記載の方法。
【請求項１３】
組成物が、シクロデキストリン、ポリオール類、金属塩、可溶性炭酸塩及び／又は重炭酸塩の塩、酵素、ゼオライト類、活性炭、及びそれらの混合物から成る群から選択される悪臭抑制剤を含む請求項１に記載の方法。
【請求項１４】
緩衝液システムが；
（ｉ）トリス（ヒドロキシメチル）アミノエタン及び塩酸；
（ｉｉ）ホウ砂及び塩酸；
（ｉｉｉ）ジエタノールアミン及び塩酸；
（ｉｖ）ホウ酸ナトリウム及び水酸化ナトリウム；
（ｖ）重炭酸ナトリウム及び水酸化ナトリウム；
（ｖｉ）リン酸水素ナトリウム及び水酸化ナトリウム；
（ｖｉｉ）炭酸ナトリウム及び重炭酸ナトリウム；
（ｖｉｉｉ）ホウ酸及び水酸化ナトリウム；
（ｉｘ）グリシン及び水酸化ナトリウム；並びに
（ｘ）塩化カリウム及び水酸化ナトリウム；並びに
（ｘｉ）それらの混合物；
から選択される請求項１に記載の方法。
【請求項１５】
前記緩衝システムが少なくとも０．０１の緩衝能を有する請求項１に記載の方法。
【請求項１６】
前記緩衝システムが少なくとも３ヵ月間のｐＨドリフトに対する安定性を提供する請求項１に記載の方法。
【請求項１７】
組成物が、金属キレート化剤、光沢剤、青味剤、紫外線吸収剤、酸化安定剤、及びそれらの混合物から選択される白色保存剤を有する請求項１に記載の方法。
【請求項１８】
組成物による処理に続いて布地を風乾する工程をさらに含む請求項１に記載の方法。
【請求項１９】
組成物による処理に続いて布地を加熱する工程をさらに含む請求項１に記載の方法。
【請求項２０】
布地が衣類乾燥機を用いて加熱される請求項１９に記載の方法。
【請求項２１】
布地における皺を抑制するための製造物品であって：
（ａ）水性基剤を含む水を含む皺抑制組成物；
（ｂ）皺抑制組成物のための容器；及び
（ｃ）噴霧散布器が０．０１１ｍｌ／ｃｍ２未満の、好ましくは０．００５４ｍｌ／ｃｍ２未満の及びさらに好ましくは０．００３１ｍｌ／ｃｍ２未満の単位表面積当りの体積を有する噴霧の型を提供する、布地上い組成物を散布するための噴霧散布器；
を含む物品。
【請求項２２】
前記噴霧の型が、０．００８７ｍｌ／ｃｍ２未満の、好ましくは０．００４７ｍｌ／ｃｍ２未満の及びさらに好ましくは０．００３１ｍｌ／ｃｍ２未満の単位表面積当りの前記体積の標準偏差を有する請求項２１に記載の物品。
【請求項２３】
前記皺抑制組成物が、１０，０００未満の、好ましくは１，０００未満の、さらに好ましくは１００未満のトルートン比を有する請求項２１に記載の物品。
【請求項２４】
前記噴霧散布器が、手動操作の噴霧器、非手動操作の噴霧器、制動機付き噴霧器、圧縮噴霧器、及びポンプ噴霧器から選択される請求項２１に記載の物品。
【請求項２５】
前記噴霧散布器が電動である請求項２４に記載の物品。
【請求項２６】
前記噴霧散布器から前記水性分散組成物を前記布地上に散布し、且つ前記布地を滑らかにするための指示を含む前記噴霧散布器に関連する一揃いの使用説明書をさらに含む請求項２１に記載の物品。
【請求項２７】
前記使用説明書が、旅行中に前記物品を用いるための指示を含む請求項２６に記載の物品。
【請求項２８】
前記使用説明書が、前記組成物による処理に続いて布地にアイロンをかけるための指示を含む請求項２６に記載の物品。
【発明の詳細な説明】
【０００１】
（技術分野）
本発明は、水性の皺用噴霧組成物に付随する染み付きを減らし、且つ乾燥時間を減らすために最適な噴霧の型を持つ散布器を利用することに関する。本発明はまた、かかる噴霧器において使用するのに好適な水性組成物、最適な噴霧器を用いて皺を除去する及び／又は軽減するための一揃いの使用説明書及び使用方法を任意で包含する製造物品及び皺除去組成物に関する。
【０００２】
（発明の背景）
織布の皺は織物物質を折り曲げたり、織物物質に折り目をつけること、即ち糸の単繊維の外側の部分を引っ張り、一方でこの糸の単繊維の内側の部分を圧縮することにより生じる。特に、綿織物においては、セルロース分子間に生じる水素結合により、皺が定着してしまう。そのため、布地の皺、特に衣料品や特定の家庭用布地は、糸や布地を構成する繊維に、引っ張りに対する繊維本来の伸縮自在な変形、及び復元性が必要となる。
益々慌しく、前進する近代世界では、迅速な修復が要求され、これは家庭での洗濯に伴われる労力、及び／又はドライ・クリーニング又は市販のクリーニングに伴われる費用と時間を縮小する助けとなるであろう。これは、織物技術者にとっては、布地、特に衣料品及び家庭用布地の皺を実質的に減少するであろう製品を製造し、製品を簡単に、便利に適用することにより、見かけのよさを生み出す、という更なる圧力を加えられることになる。
【０００３】
かかる製品の利便性をさらに高めるために、製品は布地に染みをつける傾向を有すべきではないし、このことは、製品の許容可能性及び利便性の面を現減ずることになる。製品の利便性には、短い乾燥時間も必須である。乾燥時間が長くなりすぎると、消費者はあまり都合よく製品使わない傾向がある。皺抑制製品が長い乾燥時間を有する場合、消費者は衣料物品を着用することを計画するのに先立って、前もって着用するもの及び衣料物品を処理するものを選択することを計画しなければならない。乾燥時間が短かければ、消費者は都合の良い時間、例えば毎日の身だしなみの習慣を行うときに何を着用するのかを選択することができる。衣服を処理し、例えば、消費者がシャワーをあびる時間の後のような短い乾燥時間の後で着用することができる。短い乾燥時間は、旅行で着る皺抑制製品にとっても好都合である。通常、旅行中、消費者は衣類を乾燥する余地も時間も多くは有さないので、旅行に持っていく皺抑制製品については短い乾燥時間は特に重要である。
従来技術では、染み付きや乾燥時間は、製剤における非水性、非揮発性の成分を低レベルで維持することによって又はかかる化合物の構造を制御することによって一般に制御されている（米国特許第４，６６１，２６８号（ヤコブソン（Ｊａｃｏｂｓｏｎ）Ｊ．Ａ．ら）、米国特許第５，５７３，６９５号（タルゴズ（Ｔａｒｇｏｓｚ）Ｅ．Ｆ）。組成物を限定することによって染み付きや乾燥時間を制御することは、性能も同様に限定するのでいつも望ましいとは限らない。多数の界面活性剤、特に好ましいシリコーン界面活性剤は、柔軟性及び皺伸ばしに寄与することができる。任意の布地ケア多糖類は、皺に関する強化された性能、布損傷の軽減及び防止を提供し、布地に腰を与えることができる。
【０００４】
従来技術は、染み付きを抑制し、乾燥時間を減らす方法として、小さい粒径（通常１００ミクロン未満）及び「微小な」霧を引用している（米国特許第３，６７４，６８８号（シュワルツ（Ｓｃｈｗａｒｔ）Ｌ、ら）、米国特許第４，６６１，２６８（ヤコブソン（Ｊａｃｏｂｓｏｎ）Ｊ．Ａら）、米国特許第４，８０６，２５４号（チャーチ（Ｃｈｕｒｃｈ）；米国特許第５，５７３，６９５号（タルゴズ（Ｔａｒｇｏｓｚ）Ｅ．Ｆ．）。驚くべきことに、微細に分割された粒子と共に１００ミクロン未満のサイズと同様の大きさの粒子を生じる分散器及び生じる「微細」な霧は、染みが付く傾向及び乾燥時間において極めて有意な差異を有することができることが発見されている。驚くべきことに、布地上における散布の均一性を制御することによって染み付き及び乾燥時間の両者は最小限に抑えられることが見い出されている。理論に束縛されないが、約１００ミクロン又は約１００ミクロンより小さい粒度を伴い且つ「微細」な霧を生じるいくつかの噴霧器はまた、小さな表面積において大きな体積の産物を沈着し、これは一般に「ホットスポット」と呼ばれる。従来技術の一部は、皺抑制噴霧には均一な散布が重要であることを示すことを列挙している（米国特許第５，７０８，１０７号及び米国特許第５，５３２，０２３号、双方共にボゲル（Ｖｏｇｅｌ）ら）。この技術は、シリコーンとフイルム形成ポリマーとの組み合せに関係し、皺抑制を提供する。
驚くべきことに、本発明では水だけで許容可能な皺抑制利益を提供し、水のみであってさえも乾燥時間を減らすためには均一な散布が重要であることが見い出されている。本発明については、単位表面積当りに沈着される体積及び単位表面積当りの体積における標準偏差を制限することが、かかる組成物の染み付きを有意に最小限に抑え、乾燥時間を有意に軽減することが見い出されている。
【０００５】
（発明の概要）
本発明は、染み付きを最小限に抑え、乾燥時間を減らすために、皺抑制組成物と共に使用するための許容可能な噴霧の型を持つ散布器を選択することに関する。本発明はまた、前記散布器で使用するための皺抑制組成物、前記散布器にて前記皺抑制組成物を使用するための任意の一揃いの使用説明書を伴った製造物品及び前記分散器にて前記皺抑制組成物を使用する方法に関する。
本発明で有用である散布器は、以下のような単位表面積当りに分配される体積及び単位表面積当りに分配される体積の標準偏差のパラメータによって記載することができる、表面における均一な散布を提供する噴霧を生ずる：約０．０７ｍｌ／インチ２（０．０１１ｍｌ／ｃｍ２）未満の；好ましくは約０．０５ｍｌ／インチ２（０．００７８ｍｌ／ｃｍ２）未満の；さらに好ましくは約０．０３５ｍｌ／インチ２（０．００５４ｍｌ／ｃｍ２）未満の；一層さらに好ましくは約０．０２５ｍｌ／インチ２（０．００３９ｍｌ／ｃｍ２）未満の；及び最も好ましくは約０．０２ｍｌ／インチ２（０．００３１ｍｌ／ｃｍ２）未満の単位表面積当りの体積；約０．０５６ｍｌ／インチ２（０．００８７ｍｌ／ｃｍ２）未満の；好ましくは約０．０５ｍｌ／インチ２（０．００７８ｍｌ／ｃｍ２）未満の；さらに好ましくは約０．０３ｍｌ／インチ２（０．００４７ｍｌ／ｃｍ２）未満の；一層さらに好ましくは約０．０２２ｍｌ／インチ２（０．００３４ｍｌ／ｃｍ２）未満の；尚、さらに好ましくは約０．０２ｍｌ／インチ２（０．００３１ｍｌ／ｃｍ２）未満の；最も好ましくは約０．０１８ｍｌ／インチ２（０．００２８ｍｌ／ｃｍ２）未満の単位表面積当りの体積における標準偏差を伴う。
【０００６】
本発明に好適な組成物は、許容可能なレベルの外延粘度を有する。理論に束縛されないで、散布器から良好に製品を散布させるには、製品は小型の液滴及び適当なサイズの噴霧の型を形成することができなければならない。双方の噴霧特性、すなわち、液滴サイズの散布及び噴霧の型は、製品の外延粘度に大きく依存し、より少ない程度には剪断粘度、密度及び表面張力に依存する。ほとんどの製品について密度は僅かしか変化しないので（例えば０．８と１．２ｇ／ｃｍ３）、噴霧特性における製品密度の影響は最小限である。一方、製品の表面張力は液滴サイズの散布に影響を与える（すなわち、高い表面張力はより大きな液滴の形成を生じる）が、圧力渦式噴霧装置に関する噴霧の型のサイズには影響しない。最終的に、剪断粘度が高まるにつれて、液滴サイズが大きくなり、圧力渦式噴霧装置において噴霧の型は低下する。製品の外延粘度は通常、外延粘度対剪断粘度の比であるトルートン比で表す。ニュートン流体のトルートン比は一定であり３に等しい（例えば水及びグリセリン；外延と剪断の比に関わりなく）が、柔軟性ポリマーの溶液のそれは、３（例えばポリアクリルアミド；外延及び剪断の比に依存する）よりはるかに大きい。硬質ポリマーの溶液のトルートン比（例えばキサンタン；外延及び剪断の比に依存する）は通常、柔軟性ポリマーの溶液のそれよりは小さい。許容可能な組成物は、２０，０００ｓ−１未満の外延比にて約１０，０００未満のトルートン比を有するべきであり、以下を含む：
（Ａ）脱イオンすることができる、蒸留することができる又は水道水であることができる水を含む水性基剤。組成物における水のレベルは、組成物の約１００％ほど高くてもよいが、好ましくは使用組成物の約１００質量％未満、さらに好ましくは約９９．９７５質量％未満、一層さらに好ましくは約９９．９質量％未満、尚さらに好ましくは約９９．５質量％未満、及び約４０質量％より高く、好ましくは約５０質量％より高く、さらに好ましくは約６０質量％より高く、一層さらに好ましくは約７０質量％より高く、尚さらに好ましくは約７５質量％より高い。
【０００７】
組成物は任意で：
（Ｂ）任意で、表面張力を減らすための有効量の界面活性剤；
（Ｃ）任意で、溶媒及び／又は可塑剤；
（Ｄ）任意で、しかし好ましくは、悪臭を吸収するための有効量の悪臭抑制剤；
（Ｅ）任意で、皺抑制及びその他の布地の利益を高めるための、主要な布地ケア多糖類、付属的な布地ケアオリゴ糖類、及びデンプンの群から選択される有効量の布地ケア多糖類；
（Ｆ）任意で、しかし好ましくは、嗅覚効果を提供するための有効量の香料；
（Ｇ）任意で、微生物を殺す、又は微生物の増殖を減らすための有効量の抗菌活性成分；
（Ｈ）任意で、例えば抗菌活性成分のために改善された抗菌作用を提供するための有効量のアミノカルボキシレートキレート化剤；
（Ｉ）任意で、特に前記抗菌活性成分が防腐剤として作用するのに充分でない場合、有効量の可溶化された、水溶性の、抗菌防腐剤；
（Ｊ）任意で、付属的臭気制御物質、キレート化剤、さらに静電気の制御が所望の場合の追加の静電気防止剤、防虫及び防蛾剤、着色剤、粘度制御剤；目詰まり防止剤；ｐＨ調整のための作用剤；緩衝液；白色保存剤のようなその他の成分；並びに
（Ｋ）（Ａ）〜（Ｊ）までの任意成分の混合物を含む。
【０００８】
本皺抑制組成物は、使用条件下にて布地を汚す又は染みを付ける物質を本質的に含まず、又は好ましくは使用条件下にて布を汚す又は染みを付けるレベルにて物質を本質的に含まない。本発明はまた、液体、流体及び固体の形態を含む濃縮組成物に関するものであり、濃縮組成物は、使用条件下にて使用濃度に希釈して組成物を形成する。濃縮組成物は、迅速且つ円滑に使用濃度に溶解、又は散布する形態で供給されることが好ましい。
本発明はまた、本発明の組成物が噴霧散布器のような容器に入れられた製造物品にも関するものであり、この容器により、前記組成物は、物品及び／又は面を容易に処置することができ、この前記組成物には皺抑制剤及び他の任意成分が有効な濃度で、しかも面が乾いた場合には認識できない濃度で含有される。散布器は、手動操作、及び非手動の動力付き（操作）の噴霧手段、及び皺抑制組成物を含有する容器を含む。
本発明の製造物品は更に、本発明の組成物の使用方法を消費者に伝達するための一揃いの使用説明書を含むことができる。
【０００９】
（発明の詳細な説明）
Ｉ．成分皺抑制組成物
本発明の許容可能な皺抑制組成物は、２０，０００ｓ−１未満の外延比にて約１０，０００未満のトルートン比を有するべきであり、以下を含む：
（Ａ）脱イオンすることができる、蒸留することができる又は水道水であることができる水を含む水性基剤。組成物における水のレベルは、組成物の約１００％ほど高くてもよいが、好ましくは使用組成物の約１００質量％未満、さらに好ましくは約９９．９９９質量％未満、一層さらに好ましくは約９９．９９質量％、尚さらに好ましくは約９９．９質量％未満、及び約４０質量％より高く、好ましくは約５０質量％より高く、さらに好ましくは約６０質量％より高く、一層さらに好ましくは約７０質量％より高く、尚さらに好ましくは約７５質量％より高い。
【００１０】
皺抑制組成物は任意で：
（Ｂ）任意で、表面張力を減らすための有効量の界面活性剤；
（Ｃ）任意で、溶媒及び／又は可塑剤；
（Ｄ）任意で、しかし好ましくは、悪臭を吸収するための有効量の悪臭抑制剤；
（Ｅ）任意で、皺抑制及びその他の布の利益を高めるための、主要な布地ケア多糖類、付属的な布地ケアオリゴ糖類、及びデンプンの群から選択される有効量の布地ケア多糖類；
（Ｆ）任意で、しかし好ましくは、嗅覚効果を提供するための有効量の香料；
（Ｇ）任意で、微生物を殺す、又は微生物の増殖を減らすための有効量の抗菌活性成分；
（Ｈ）任意で、例えば抗菌活性成分のために改善された抗菌作用を提供するための有効量のアミノカルボキシレートキレート化剤；
（Ｉ）任意で、特に前記抗菌活性成分が防腐剤として作用するのに充分でない場合、有効量の可溶化された、水溶性の、抗菌防腐剤；
（Ｊ）任意で、付属的臭気制御物質、キレート化剤、さらに静電気の制御が所望の場合の追加の静電気防止剤、防虫及び防蛾剤、着色剤、粘度制御剤；目詰まり防止剤；ｐＨ調整のための作用剤；緩衝液；白色保存剤のようなその他の成分；並びに
（Ｋ）（Ａ）〜（Ｊ）までの任意成分の混合物を含む。
【００１１】
本皺抑制組成物は、使用条件下にて布を汚す又は染みを付ける物質を本質的に含まず、又は好ましくは使用条件下にて布を汚す又は染みを付けるレベルにて物質を本質的に含まない。
本発明はまた、液体、流体及び固体の形態を含む濃縮皺抑制組成物に関するものであり、濃縮組成物は、使用条件下にて使用濃度に希釈して組成物を形成する。濃縮組成物は、迅速且つ円滑に使用濃度に溶解、又は分散する形態で供給されることが好ましい。
本発明はまた、本発明の組成物が噴霧散布器を有する容器に入れられた製造物品にも関するものであり、この容器により、前記組成物は、物品及び／又は面を容易に処置することができ、この前記組成物には皺抑制剤及び他の任意成分が有効な濃度で、しかも面が乾いた場合には認識できない濃度で含有される。噴霧散布器は、手動操作、及び非手動の動力付き（操作）の噴霧手段、及び皺抑制組成物を含有する容器を含む。
本発明の製造物品は更に、本発明の組成物の使用方法を消費者に伝達するための一揃いの使用説明書を含むことができる。
【００１２】
Ａ．水性基剤
驚くべきことに、水を表面上に噴霧し、皺を伸ばすために穏かに引っ張る又は平らにすることによって十分な程度の皺の除去及び／又は軽減を達成することができるように、水のみで繊維を可塑化することが可能であることが見い出されてる。
皺を伸ばすには水だけで十分であるけれども、本組成物は好ましくは、界面活性剤及び／又は溶媒のような任意成分を含む。
脱イオン水、蒸留水又は水道水を含むがこれに限定されない種々の水源が本組成物に好適である。水は、組成物の約１００％のレベルで存在するが、好ましくは使用組成物の約１００質量％未満、さらに好ましくは約９９．９７５質量％未満、一層さらに好ましくは約９９．９質量％、尚さらに好ましくは約９９．５質量％未満、及び約４０質量％より高く、好ましくは約５０質量％より高く、さらに好ましくは約６０質量％より高く、一層さらに好ましくは約７０質量％より高く、尚さらに好ましくは約７５質量％より高い。
【００１３】
Ｂ．任意成分
任意で、本皺制御組成物は以下を含有することができる：
１．界面活性剤
界面活性剤は、本組成物では任意であるが、好ましい成分である。界面活性剤は繊維への水の浸透を助けるので、水本来の皺抑制特性をさらに効果的にする。界面活性剤はまた、水をはじく傾向のある疎水性の繊維仕上げ剤で処理された布地への水の浸透も助ける。残留する界面活性剤はまた、繊維表面に対して繊維を平らに保つのを助けるので表面を平らにし、皺を伸ばすのを助ける。残留する界面活性剤は繊維をこわばらせるように作用することができるので、再び皺がよるのを防ぐのに役立つ。
界面活性剤は通常、いくつかのグループに分類され、好ましい部類はシリコーン界面活性剤、非イオン系界面活性剤、イオン系界面活性剤、両性界面活性剤、及びフッ素系界面活性剤として知られている。別の特別な種類の界面活性剤はシクロデキストリンに適合性のある界面活性剤であり、「臭気抑制剤」という題名の項において開示される。任意のシクロデキストリンが処方に組み入れられている場合には、シクロデキストリンに適合性のある界面活性剤を用いることは好ましい。
【００１４】
界面活性剤はまた、様々な程度の飽和を有することもできる。種々の適用には、不飽和に対して様々なレベルの飽和が好ましい。布地の黄ばみを招きうる酸化又は重合化を刺激する状態に、布が慢性的にさらされている適用では（すなわち、高い加熱、遷移金属の存在、ＵＶ照射）、高い程度の飽和（例えば５０未満のＩＶ）を有することが好ましい。黄ばみを招く酸化又は重合化が因子ではない適用では、あまり飽和していない界面活性剤は皺伸ばしを強化するために布−繊維潤滑剤として追加的に作用することができるので、低いレベルの飽和（例えば５０より上のＩＶ）が望ましい。
酸化又は重合が危険な状態において、潤滑性を有することを望む場合には、キレート化剤、布地用直接キレート化剤、光学的光沢剤、青味剤、ＵＶ吸収剤、及び酸化安定剤、例えば酸化防止剤及び／又は還元剤の群から選択される白色保存剤、並びに白色保存剤の混合物を用いることができる。白色保存剤が用いられる場合、少なくとも約０．００１％、好ましくは少なくとも約０．００５％、さらに好ましくは少なくとも約０．０１％、一層さらに好ましくは少なくとも約０．０５％、尚さらに好ましくは少なくとも約０．２％の濃度で添加される必要があるが、通常約１０％未満、好ましくは約５％未満、さらに好ましくは約３％未満、及び尚さらに好ましくは約１．５％未満の濃度で添加される必要がある。白色保存剤は以下のその他の任意成分のもとでさらに詳細に議論される。
【００１５】
任意の界面活性剤が組み入れられる場合、典型的なレベルは、組成物質量の少なくとも約０．０００１％、好ましくは０．００１％、さらに好ましくは少なくとも約０．０１％、及び一層さらに好ましくは少なくとも約０．１％及び通常、約２０％未満、好ましくは約１５％未満、さらに好ましくは約１０％未満、一層さらに好ましくは約５％未満である。
【００１６】
（ａ）シリコーン界面活性剤
シリコーン界面活性剤は、このような化合物が通常、繊維に潤滑性及び滑らかさを付与し、互いに滑らせ易く、または滑り易くすることができ、従って皺伸ばし又は皺抑制の工程を強化するので、極めて好ましい界面活性剤である。このような化合物は、小繊維及び毛玉を平らにすることによって布表面を滑らかにし、布表面に絹のような柔らかな感触を残すことができ、色彩及び表面の外観利益も提供することができる。残留するシリコーン界面活性剤は、小繊維及び繊維をその場に保持するのに役立ち、従って再び皺が寄るのを防ぐ。
非イオン性シリコーン界面活性剤の、好ましいが、非限定的な部類は、ポリアルキレンオキシドポリシロキサンの部類である。通常ポリアルキレンオキシドポリシロキサンは、ジメチルポリシロキサン疎水部分及び１以上の親水性のポリアルキレン鎖を有する。側鎖（ペンダント部分）として又はブロックコポリマー部分として、ポリシロキサン疎水部分とともに親水性ポリアルキレン鎖を組み入れることができる。ポリアルキレンオキシドポリシロキサンは以下の一般式によって記載される：
Ｒ１−（ＣＨ３）２ＳｉＯ−［（ＣＨ３）２ＳｉＯ］ａ−［（ＣＨ３）（Ｒ１）ＳｉＯ］ｂ−Ｓｉ（ＣＨ３）２−Ｒ１
式中、ａ＋ｂは約１〜約５０であり、好ましくは約１〜約３０、さらに好ましくは約１〜約２５であり、Ｒ１はそれぞれ同一又は異なっており、メチル及び次の一般式を有するポリ（エチレンオキシド／プロピレンオキシド）コポリマー基から成る群から選択され：
−（ＣＨ２）ｎＯ（Ｃ２Ｈ４Ｏ）ｃ（Ｃ３Ｈ６Ｏ）ｄＲ２
少なくともＲ１の１つはポリ（エチレンオキシ／プロピレンオキシ）コポリマー基であり、その際ｎは３又は４、好ましくは３であり；ｃの合計（ポリアルキレンオキシ側基すべてに対して）は１〜約１００、好ましくは約６〜約１００の値を有し；ｃ＋ｄの合計は約５〜約１５０、好ましくは約７〜約１００の値を有し、Ｒ２はそれぞれ同一又は異なっており、水素、１〜４の炭素原子を有するアルキル、及びアセチル基、好ましくは水素及び／又はメチル基から成る群から選択される。ポリアルキレンオキシドポリシロキサンはそれぞれ、少なくとも１つのポリ（エチレンオキシド／プロピレンオキシド）コポリマー基であるＲ１基を有する。
これらの種類の界面活性剤の非限定的な例は、クロンプトン（Ｃｒｏｍｐｔｏｎ）より入手可能な、シルエット（Ｓｉｌｗｅｔ）（登録商標）界面活性剤である。代表的シルエット（Ｓｉｌｗｅｔ）（登録商標）界面活性剤の、１つだけエチレンオキシ（Ｃ２Ｈ４Ｏ）基を含有するものは以下のものである。
【００１７】
名称　　　　　　　平均分子量　　平均ａ＋ｂ　　平均ｃの合計
Ｌ−７６０８　　　　　６００　　　　　　１　　　　　８
Ｌ−７６０７　　　１，０００　　　　　　２　　　　１７
Ｌ−７７　　　　　　　６００　　　　　　１　　　　　９
Ｌ−７６０５　　　６，０００　　　　　２０　　　　９９
Ｌ−７６０４　　　４，０００　　　　　２１　　　　５３
Ｌ−７６００　　　４，０００　　　　　１１　　　　６８
Ｌ−７６５７　　　５，０００　　　　　２０　　　　７６
Ｌ−７６０２　　　３，０００　　　　　２０　　　　２９
Ｌ−７６２２　　１０，０００　　　　　８８　　　　７５
Ｌ−８６００　　　２，１００
Ｌ−８６１０　　　１，７００
Ｌ−８６２０　　　２，０００
シルエット（Ｓｉｌｗｅｔ）（登録商標）界面活性剤の、エチレンオキシ（Ｃ２Ｈ４Ｏ）及びプロピレンオキシ（Ｃ３Ｈ６Ｏ）基の両方を含有するものの非限定的な例は以下のものである：
名称　　　　　　　平均分子量　　　ＥＯ／ＰＯ比
Ｌ−７２０　　　　１２，０００　　　５０／５０
Ｌ−７００１　　　２０，０００　　　４０／６０
Ｌ−７００２　　　　８，０００　　　５０／５０
Ｌ−７２１０　　　１３，０００　　　２０／８０
Ｌ−７２００　　　１９，０００　　　７５／２５
Ｌ−７２２０　　　１７，０００　　　２０／８０
シルエット（Ｓｉｌｗｅｔ）（登録商標）界面活性剤の、ただ１つのプロピレンオキシ（Ｃ３Ｈ６Ｏ）基を有するものの非限定的な例は以下のものである：
名称　　　　　　平均分子量
Ｌ７５００　　　　３，０００
Ｌ７５１０　　　１３，０００
Ｌ７５５０　　　　　　３００
Ｌ８５００　　　　２，８００
【００１８】
ポリアルキレン基（Ｒ１）の分子量は、約１０，０００以下である。ポリアルキレンオキシドポリシロキサンの好ましい分子量は、所定の組成物における正確な官能性に依存する。ポリアルキレンオキシ鎖にプロピレンオキシ基が存在するとき、それらは任意に分布するか、又はブロックとして存在する。本発明で有用なポリアルキレンオキシドポリシロキサンのその他の非限定例には、ダウ・コーニングから入手可能な以下の化合物（登録商標）１９３、１９０、ＦＦ−４００液、Ｑ２−５２２０、Ｑ４−３６６７、Ｑ２−５２１１、並びに信越化学工業のＳＨ３７７１Ｃ、ＳＨ３７７２Ｃ、ＳＨ３７７３Ｃ、ＳＨ３７４６、ＳＨ３７４８、ＳＨ３７４９、ＳＨ８４００、ＳＦ８４１０、及びＳＨ８７００、ＫＦ３５１（Ａ）、ＫＦ３５２（Ａ）、ＫＦ３５４（Ａ）、及びＫＦ６１５（Ａ）、東芝シリコーン社のＴＳＦ４４４０、ＴＳＦ４４４５、ＴＳＦ４４４６、ＴＳＦ４４５２として知られ、東レダウ・コーニングシリコーン社から入手可能な化合物が挙げられる。
【００１９】
ポリエーテル鎖（Ｒ１）中のエチレンオキシ単位（−Ｃ２Ｈ４Ｏ）の数は、ポリアルキレンオキシドポリシロキサンを水分散性又は水溶性にするのに十分な値でなければならない。特別の場合では、ポリアルキレンオキシドポリシロキサンを以下で開示されるもう１つの界面活性剤（非イオン系、イオン系、双極性、及びフッ素系界面活性剤に関する項にて）と組み合せて水性製品における安定性又は相容性を改善することが好ましい。ポリアルキレンオキシ鎖にプロピレンオキシ基が存在するとき、それらは任意に分布するか、又はブロックとして存在する。ポリアルキレンオキシドポリシロキサン界面活性剤は、その物質の物理的特徴に依存する種々の目的に役立つ極めて用途の広い物質である。
【００２０】
皺を伸ばすこと以外に提供することができる利益について好ましいポリアルキレンオキシドポリシロキサン界面活性剤を選択することができる。追加的な利益には改善された展着性と柔軟性を挙げることができる。スーパーウエッターによって改善された展着性を提供することができ、その非限定例の一部には、シルウエット（Ｓｉｌｗｅｔ）Ｌ７７及びＤＣＱ２−５２１１が挙げられる。さらに、シクロデキストリン、ポリマー、又は洗剤残留物が布表面に粗い感触を残す場合、追加的な滑らかさは特に好ましい。柔軟性を提供するポリアルキレンオキシドポリシロキサン類の非限定例には、シルウエット（Ｓｉｌｗｅｔｓ）（登録商標）Ｌ７００１、Ｌ７２００、及びＬ７０８７及びＤＣ１９０が挙げられる。任意のシクロデキストリンを用いる場合、シクロデキストリンとの有意な相互作用を防ぐために、少なくとも約５，０００及び好ましくは少なくとも約１０，０００の高い分子量を持つポリアルキレンオキシドポリシロキサンを用いることが好ましい。好ましい特性を有するポリアルキレンオキシドポリシロキサンの混合物もまた好ましい。ポリアルキレンオキシドポリシロキサン界面活性剤から利用可能なその他の追加的利益には、帯電防止効果、潤滑性及び布外観における改善が挙げられる。
【００２１】
ポリアルキレンオキシドポリシロキサンの調製は当該技術分野において周知である。本発明のポリアルキレンオキシドポリシロキサンは、米国特許番号第３，２９９，１１２号に開示された手順に従って調製することができ、これは参考として引用し、本明細書に組み入れる。通常は、本発明の界面活性剤の混合であるポリアルキレンオキシドポリシロキサンは、ヒドロシロキサン（即ちシリコーン−水素結合を含有するシロキサン）と、アルコキシ又はヒドロキシで末端部がブロックされたポリアルキレンオキシドのアルケニルエーテル（例えばビニル、アリル、又はメタリールエーテル（ｍｅｔｈａｌｌｙｌｅｔｈｅｒ））との間の付加反応により容易に調製される。この種類の付加反応に使用される反応条件は、一般に当該技術分野において周知であり、白金触媒（例えば塩化白金酸）と、溶媒（例えばトルエン）の存在下における反応物質の加熱（例えば温度約８５℃から１１０℃）を伴う。
【００２２】
（ｂ）非イオン系界面活性剤
好ましいがこれに限られない非イオン系界面活性剤の種類は、エトキシル化アルキル界面活性剤であり、例えばエチレンオキシドと脂肪族アルコール、脂肪酸、脂肪族アミンなどとの付加化合物である。任意に、エチレンオキシドとプロピレンオキシドの混合物と、脂肪族アルコール、脂肪酸、脂肪族アミンの付加化合物も用いることができる。エトキシル化界面活性剤には以下の一般式を有する化合物が挙げられる：
Ｒ８−Ｚ−（ＣＨ２ＣＨ２Ｏ）ｓＢ
上式において、Ｒ８はアルキル基又はアルキルアリール基であり、第一級、第二級、及び分枝鎖のアルキルヒドロカルビル基、第一級、第二級、及び分枝鎖のアルケニルヒドロカルビル基、及び／又は第一級、第二級、及び分枝鎖のアルキル−及びアルケニル置換型フェノールのヒドロカルビル基であって、約６〜約２０の炭素原子を、好ましくは約８〜約１８の炭素原子を、さらに好ましくは約１０〜約１５の炭素原子を有するヒドロカルビル基から成る群から選択され；ｓは約２〜約４５の、好ましくは約２〜約２０の、さらに好ましくは約２〜約１５の整数であり；Ｂは水素、カルボキシレート基、又はサルフェート基であり；及び結合基Ｚは：−Ｏ−、−Ｎ（Ｒ）ｘ−、−Ｃ（Ｏ）Ｏ−、−Ｃ（Ｏ）Ｎ（Ｒ）−、−Ｃ（Ｏ）Ｎ（Ｒ）−、及びこれらの混合物から成る群から選択され、ここでＲが存在する場合は、Ｒ８であり、約１〜約４の炭素の低級アルキル、ポリアルキレンオキシド、又は水素であり、ｘは１又は２である。
【００２３】
本明細書における非イオン系エトキシル化アルキル界面活性剤は、ＨＬＢ（親水性−親油性バランス）が約５〜約２０、好ましくは約６〜約１５であることを特徴とする。
好ましいエトキシル化アルキル界面活性剤の非限定的な例は：
−直鎖、第一級アルコールエトキシレートであり、Ｒ８はＣ８〜Ｃ１８のアルキル及び／又はアルケニル基であり、さらに好ましくはＣ１０〜Ｃ１４であり、及びＳは約２〜約８であり、好ましくは約２〜約６である；
−直鎖、第二級アルコールエトキシレートであり、Ｒ８はＣ８〜Ｃ１８のアルキル及び／又はアルケニル、例えば３−ヘキサデシル、２−オクタデシル、４−エイコサニル、及び５−エイコサニルであり、Ｓは約２〜約１０である；
−アルキルフェノールエトキシレートであり、ここでアルキルフェノールは、アルキル又はアルケニル基を有し、これは第一級、第二級、又は分枝鎖構造の中に、約３〜約２０の炭素原子を、好ましくは約６〜約１２の炭素原子を有し、Ｓは約２〜約１２であり、好ましくは約２〜約８である；
−分枝鎖アルコールエトキシレートであり、ここで分枝鎖の第一級、及び第二級アルコール（又はゲルベット（Ｇｕｅｒｂｅｔ）アルコール）は、例えば、周知の「ＯＸＯ」方法、又はその改良により入手できるが、エトキシル化されている。
【００２４】
特に好ましいのは、アルキルエトキシレート界面活性剤であって、各Ｒ８がＣ８〜Ｃ１６の直鎖及び／又は分枝鎖のアルキルであり、エチレンオキシ基の数ｓが約２〜約６、好ましくは約２〜約４であるもの、さらに好ましくはＲ８がＣ８〜Ｃ１５のアルキルであり、及びＳが約２．２５〜約３．５であるものである。これらの非イオン系界面活性剤は、ＨＬＢが約６〜約１１、好ましくは約６．５〜約９．５、及びさらに好ましくは約７〜約９であることを特徴とする。市販の好ましい界面活性剤の非限定的な例は、ネオドール（Ｎｅｏｄｏｌ）９１−２．５（Ｃ９〜Ｃ１０、Ｓ＝２．７、ＨＬＢ＝８．５）、ネオドール（Ｎｅｏｄｏｌ）２３−３（Ｃ１２〜Ｃ１３、Ｓ＝２．９、ＨＬＢ＝７．９）、及びネオドール（Ｎｅｏｄｏｌ）２５−３（Ｃ１２〜Ｃ１５、Ｓ＝２．８、ＨＬＢ＝７．５）である。非常に驚くべきことには、これらの好ましい界面活性剤は、それ自体はさほど水溶性ではないが（これらの界面活性剤の０．１％水溶液は透明ではない）、低濃度においてシリコーン油を効果的に乳化又は分散させ、且つこれらの界面活性剤は、低分子量のアルコールが存在しない場合でも、透明な組成物の中に、アクリル酸と第３級ブチルアクリレートを含有するコポリマーのような形状保持ポリマーを可溶化及び／又は分散させることもできる。好適な非イオン系界面活性剤の多くの非限定的な例を、以下の表に示す。
【００２５】
他の有用な非イオン系アルコキシル化アルキル界面活性剤は、エチレンオキシドと疎水性のアルキルアミンとの縮合により得られるエトキシル化アルキルアミンであり、Ｒ８は、約８〜約２２の炭素原子を有し、Ｓは約３〜約３０である。　他の有用なエトキシル化界面活性剤の例には、カルボキシル化アルコールエトキシレートが挙げられ、これはエーテルカルボキシレートとしても知られ、Ｒ８は、約１２〜約１６の炭素原子を有し、Ｓは約５〜約１３であり；エトキシル化アルキルアミン、又は第四級アンモニウム界面活性剤が挙げられ、Ｒ８は、約８〜約２２の炭素原子を有し、Ｓは約３〜約３０であり、例えばＰＥＧ−５ココモニウムメトサルフェート（ＰＥＧ−５ ｃｏｃｏｍｏｎｉｕｍ ｍｅｔｈｏｓｕｌｆａｔｅ）、ＰＥＧ−１５ココモニウムクロリド（ＰＥＧ−１５ ｃｏｃｏｍｏｎｉｕｍ ｃｈｌｏｒｉｄｅ）、ＰＥＧ−１５オレアンモニウムクロリド（ＰＥＧ−１５ ｏｌｅａｍｍｏｎｉｕｍ ｃｈｌｏｒｉｄｅ）、及びビス（ポリエトキシエタノール）タローアンモニウムクロリドである。
【００２６】
追加の好適な非イオン系界面活性剤には、ソルビタンエステルのような炭水化物から得られる界面活性剤、特にソルビタンモノエステル、またアルキルグルコシド、及びアルキルポリグルコシドが挙げられる。炭水化物から得られる多くの界面活性剤の具体的な記述は「界面活性剤ハンドブック（Ｈａｎｄｂｏｏｋ ｏｆ Ｓｕｒｆａｃｔａｎｔｓ）」、Ｍ．Ｒ．ポーター（Ｍ．Ｒ． Ｐｏｒｔｅｒ）、１９９１年、ブラッキー・アンド・サン社（Ｂｌａｃｋｉｅ ＆ Ｓｏｎ Ｌｔｄ）、１４２〜１４５頁において見出すことができる。グルカミン類は炭水化物に由来する界面活性剤の追加的な例であり、米国特許第５，１９４，６３９号（１９９３年３月１６日発行、Ｄ．Ｓ．コナー、Ｊ．Ｊ．シェイベル及びＲ．Ｇ．セバーソン（Ｃｏｎｎｏｒ、 Ｊ．Ｊ． Ｓｃｈｅｉｂｅｌ、 ａｎｄ Ｒ．Ｇ． Ｓｅｖｅｒｓｏｎ））；米国特許第５，３３８，４８７号（１９９３年８月１６日発行、Ｄ．Ｓ．コナー、Ｊ．Ｊ．シェイベル及びＪ．Ｎ．カオ（Ｃｏｎｎｏｒ、 Ｊ．Ｊ． Ｓｃｈｅｉｂｅｌ、 ａｎｄ Ｊ．−Ｎ． Ｋａｏ）））及び；米国特許第５，４８９，３９３号（１９９６年２月６日発行、Ｄ．Ｓ．コナー、Ｊ．Ｊ．シェイベル及びＹ．Ｃ．フー（Ｃｏｎｎｏｒ、 Ｊ．Ｊ． Ｓｃｈｅｉｂｅｌ、 ａｎｄ Ｙ．Ｃ． Ｆｕ））、及び米国特許第５，５１２，６９９号（１９９６年４月３０日発行、Ｄ．Ｓ．コナー、Ｙ．Ｃ．フー及びＪ．Ｊ．シェイベル（Ｃｏｎｎｏｒ、Ｙ．Ｃ． Ｆｕ ａｎｄ Ｊ．Ｊ． Ｓｃｈｅｉｂｅｌ、））を参照して本明細書に包含される。好ましいアルキルポリグルコシドは、水性表面張力が、約３５ｍＮ／ｍ未満を有するものであり、例えばイリノイ州シカゴのアクゾ・ノベル・ケミカルズ社（Ａｋｚｏ Ｎｏｂｅｌ Ｃｈｅｍｉｃａｌｓ、Ｉｎｃ．）よりのＡＧ６２０２及びＡＧ６２１０である。
【００２７】
【表１】
2004500493.tif 000003
【００２８】
（ｃ）イオン系界面活性剤
非限定的な好ましいイオン系界面活性剤は、アニオン系界面活性剤の種類である。アニオン系界面活性剤は、ほとんど残留物を残さないため、好ましいイオン系界面活性剤である。多くの好適なアニオン系界面活性剤の種類の非限定的な例は、界面活性剤及び界面現象（Ｓｕｒｆａｃｔａｎｔｓ ａｎｄ Ｉｎｔｅｒｆａｃｉａｌ Ｐｈｅｎｏｍｅｎａ）、第２版ミルトン　Ｊ．ローゼン（Ｍｉｌｔｏｎ Ｊ． Ｒｏｓｅｎ）、１９８９年、ジョン・ワイリー・アンド・サンズ社（Ｊｏｈｎ Ｗｉｌｅｙ ＆ Ｓｏｎｓ、 Ｉｎｃ．）７〜１６頁に見出すことができ、これは参考として引用し、本明細書に組み入れる。追加の好適なアニオン系界面活性剤の非限定的な例は、「界面活性剤ハンドブック（Ｈａｎｄｂｏｏｋ ｏｆ Ｓｕｒｆａｃｔａｎｔｓ）」、Ｍ．Ｒ．ポーター（Ｍ．Ｒ． Ｐｏｒｔｅｒ）、１９９１年、ブラッキー・アンド・サン社（Ｂｌａｃｋｉｅ ＆ Ｓｏｎ Ｌｔｄ）、５４〜１１５頁、及びその参考文献において見出すことができ、それらの開示は参考として引用し、本明細書に組み入れる。
【００２９】
構造的に好適なアニオン系界面活性剤は少なくとも１つの疎水部分、及び少なくとも１つの親水性部分を含有する。界面活性剤は、複数の疎水性部分、及び／又は複数の親水性部分を含有し得るが、しかし好ましくは約２以下の疎水性の部分、及び３以下の親水性部分を含有する。疎水性部分は通常、アルキル基、又はアルキルアリール基のいずれかの炭化水素から成る。アルキル基は通常約６〜約２２の炭素を、好ましくは約１０〜約１８の炭素を、さらに好ましくは約１２〜約１６の炭素を含有し；アリール基は通常約４〜約６の炭素を含有するアルキル基を含有する。各アルキル基は分枝又は直鎖であること、また飽和又は不飽和のいずれかであることが可能である。典型的なアリール基はベンゼンである。アニオン系界面活性剤のための典型的な親水性基の一部には、−ＣＯ２−、−ＯＳＯ３−、−ＳＯ３−、−（ＯＲ１）ｘ−ＣＯ２−、−（ＯＲ１）ｘ−ＯＳＯ３−、−（ＯＲ１）ｘ−ＳＯ３−が挙げられるが、これに限定されず、式中、ｘは約１０未満、好ましくは約５未満である。好適な界面活性剤の幾つかの非限定的な例には、ステパノール（Ｓｔｅｐａｎｏｌ（登録商標））ＷＡＣ、バイオソフト（Ｂｉｏｓｏｆｔ（登録商標））４０（イリノイ州、ノースフィールド（Ｎｏｒｔｈｆｉｅｌｄ）、ステパン社（Ｓｔｅｐａｎ Ｃｏ．））が挙げられる。
【００３０】
動物又は植物に由来する油を硫酸化する又はスルホン化することによってもアニオン系界面活性剤を創製することができる。このような型の界面活性剤の例には、硫酸化されたキャノーラ油、及び硫酸化されたヒマシ油（フリーダム（Ｆｒｅｅｄｏｍ）ＳＣＯ−７５）が挙げられ、ノースカロライナ州、シャーロット（Ｃｈａｒｌｏｔｔｅ）のフリーダム・ケミカル社（Ｆｒｅｅｄｏｍ Ｃｈｅｍｉｃａｌ Ｃｏ．）（ＢＦグッドリッチ（ＢＦ Ｇｏｏｄｒｉｃｈ）所有）より入手可能である。
他の好適なイオン系界面活性剤にはカチオン系及び両性界面活性剤が挙げられる。これらの種類の界面活性剤の非限定的な例は、「界面活性剤ハンドブック（Ｈａｎｄｂｏｏｋ ｏｆ Ｓｕｒｆａｃｔａｎｔｓ）」、Ｍ．Ｒ．ポーター（Ｍ．Ｒ． Ｐｏｒｔｅｒ）、１９９１年、ブラッキー・アンド・サン社（Ｂｌａｃｋｉｅ ＆ Ｓｏｎ Ｌｔｄ）、１７９〜２０２頁、並びに「界面活性剤及び界面現象（Ｓｕｒｆａｃｔａｎｔｓ ａｎｄ Ｉｎｔｅｒｆａｃｉａｌ Ｐｈｅｎｏｍｅｎａ）」、第２版ミルトン　Ｊ．ローゼン（Ｍｉｌｔｏｎ Ｊ． Ｒｏｓｅｎ）、１９８９年、ジョン・ワイリー・アンド・サンズ社（Ｊｏｈｎ Ｗｉｌｅｙ ＆ Ｓｏｎｓ、Ｉｎｃ．）１７〜２０頁に見出すことができ、これらの開示は参考として引用し、本明細書に組み入れる。
【００３１】
（ｄ）双極性界面活性剤
双極性イオンは本発明に用いるのに好適である。双極性界面活性剤はまた両性界面活性剤とも呼ばれ、負及び正の両方の電荷を有することができる部分を含む。双極性はまた他の界面活性剤より、皮膚に対して刺激が少なく、それでもなお良好な湿り気を与えるため有利である。本発明で有用な双極性界面活性剤の非限定例の一部は：ベタイン類、アミンオキシド類、スルホベタイン類、スルタイン類、グリシネート類、アミノプロピオネート類（ａｍｉｎｏｉｐｒｏｐｉｏｎａｔｅｓ）、イミダゾリン系両性界面活性剤である。種々の双極性界面活性剤が、「界面活性剤ハンドブック」（Ｍ．Ｒ．ポーター（Ｐｏｒｔｅｒ）著、チャップマン＆ホール（Ｃｈａｐｍａｎ ＆ Ｈａｌｌ、１９９１年）及びその中の参考文献、並びに「界面活性剤及び界面現象」（Ｍ．ローゼン（Ｍ． Ｒｏｓｅｎ）著、第２版、ジョンウイリー＆サンズ、１９８９年）及びその中の参考文献に開示されている。「界面活性剤ハンドブック（Ｈａｎｄｂｏｏｋ ｏｆ Ｓｕｒｆａｃｔａｎｔｓ）」、及び「界面活性剤及び界面現象（Ｓｕｒｆａｃｔａｎｔｓ ａｎｄ Ｉｎｔｅｒｆａｃｉａｌ Ｐｈｅｎｏｍｅｎａ）」及びその中の参考文献に開示されている双極性イオンは、参考として引用し、本明細書に組み入れる。
【００３２】
（ｅ）フッ素系界面活性剤
フルオロカーボン界面活性剤は界面活性剤の種類を含み、これは両親媒性化合物の疎水性の部分が、炭素に基づく直鎖又は環式部分のある部分を少なくとも一部分に含み、この直鎖又は環式部分は、通常水素が結合しているであろう炭素に結合するフッ素と、同時に親水性先端基を有する。幾つかの典型的な非制限的フルオロカーボン界面活性剤には、イオン系界面活性剤と同様にフッ素化アルキルポリオキシアルキレン、及びフッ素化アルキルエステルが挙げられる。このような化合物の代表的構造は以下に与えられる：
（１）ＲｆＲ（Ｒ１Ｏ）ｘＲ２
（２）ＲｆＲ−ＯＣ（Ｏ）Ｒ３
（３）ＲｆＲ−Ｙ−Ｚ
（４）ＲｆＲＺ
式中、Ｒｆは、それぞれ約０〜約３の結合されたフッ素を有する約６〜約１８の炭素を含有し；Ｒは存在する場合、アルキル基又はアルキレンオキシド基のいずれかであり、約１〜約１０の炭素を有し；Ｒ１は、約１〜約４の炭素を有するアルキレン基を表し；Ｒ２は、水素又は約１〜約３の炭素を有する小型のアルキルキャッピング基のいずれかであり；及びＲ３は、エステル基上の炭素を含めて約２〜約２２を含む炭化水素部分を表す。この炭化水素は直鎖、分枝、又は環状、飽和又は不飽和であることができ、酸素、窒素、及びイオウに基づく部分を含み、エーテル、アルコール、エステル、カルボキシレート、アミド、アミン、チオエステル、及びチオールが挙げられるが、それらに限定されず；これらの酸素、窒素、及びイオウ部分は、炭化水素鎖の中に割り込むか、又は炭化水素鎖から懸垂するかのいずれかであることができる。構造３において、Ｙは炭化水素基を表し、アルキル、ピリジン基、アミドプロピルなどであることができ、フッ素化された鎖と親水性先端基との間の結合基として作用する。構造３、及び４において、Ｚはカチオン性、アニオン性、及び両性の親水性の先端基を表し、それにはカルボキシレート、サルフェート、スルホネート、第四級アンモニウム基、及びベタインが挙げられるが、これらに限定されない。これらの構造の非制限的な市販の例には、デュポン（ＤｕＰｏｎｔ）によるゾニル（Ｚｏｎｙｌ（登録商標））９０７５、ＦＳＯ，ＦＳＮ、ＦＳ−３００、ＦＳ−３１０、ＦＳＮ−１００、ＦＳＯ−１００、ＦＴＳ、ＴＢＣ、及びミネソタ州、セントポール（Ｓｔ．Ｐａｕｌ）のスリーエム（３Ｍ（登録商標））社によるフルオラド（Ｆｌｕｏｒａｄ（登録商標））界面活性剤ＦＣ−４３０、ＦＣ−４３１、ＦＣ−７４０、ＦＣ−９９、ＦＣ−１２０、ＦＣ−７５４、ＦＣ−１７０、及びＦＣ−１７１が挙げられる。
【００３３】
２．溶媒及び可塑剤
溶媒及び可塑剤は、繊維を可塑化する水本来の能力を助けるように作用する。受け入れられる溶媒及び可塑剤には１〜１０の炭素を有する化合物が挙げられる。以下の非制限的種類の化合物：モノアルコール、ジオール、多価アルコール、エーテル、ケトン、エステル、有機酸、及びアルキルグリセリルエーテル、及び炭化水素が好適である。好ましい溶媒は、水に可溶性であり、及び／又は任意の界面活性剤の存在により混和できる。幾つかの非限定的な例には、メタノール、エタノール、イソプロパノール、ヘキサノール、１，２−ヘキサンジオール、ヘキシレングリコール（例えば２−メチル−２，４−ペンタンジオール）、イソプロピレングリコール（３−メチル−１，３−ブタンジオール）、１，２−ブチレングリコール、２，３−ブチレングリコール、１，３−ブチレングリコール、１，４−ブチレングリコール、１，３−プロピレングリコール、１，２−プロピレングリコール、シクロヘキサンジメタノールの異性体、プロパンジオールの異性体、ブタンジオールの異性体、トリメチルペンタンジオールの異性体、エチルメチルペンタンジオールの異性体、２−エチル−１，３−ヘキサンジオールのアルコールエトキシレート、２，２，４−トリメチル−１，３−ペンタンジオール、２，２，４−トリメチル−１，３−ペンタンジオールグリセロールのアルコールエトキシレート、エチレングリコール、ジエチレングリコール、ジプロピレングリコール、ソルビトール、ブトキシエトキシエタノール、３−メチル−３−メトキシブタノール、３−メトキシブタノール、１−エトキシ−２−プロパノール、ジエチレングリコールモノエチルエーテル、ジエチレングリコールモノプロピルエーテル、ジエチレングリコールモノブチルエーテル、トリエチレングリコールモノエチルエーテル、エリスリトール、及び溶媒と可塑剤の混合物が挙げられる。
【００３４】
水非混和性の溶媒も都合よく用いてもよい。具体的には、水非混和性の溶媒が用いられる場合、溶媒を混和性にするには界面活性剤又は界面活性剤の組み合せのような乳化システムが好ましい。任意のシクロデキストリンが存在する場合は、可塑剤はそれと相容性がなければならない。溶媒の混合物もまた好適である。　溶媒が用いられる場合は、組成物の質量において通常少なくとも約０．５％、好ましくは少なくとも約１％、さらに好ましくは少なくとも約２％、一層さらに好ましくは少なくとも約３％、及び尚さらに好ましくは少なくとも約４％、及び通常約３０％未満、好ましくは約２５％未満、さらに好ましくは約２０％未満、一層さらに好ましくは約１５％未満の濃度で用いられる。
【００３５】
３．悪臭抑制剤
悪臭抑制のための組成物は、米国特許第５，５３４，１６５号、同第５，５７８，５６３号；同第５，６６３，１３４号；同第５，６６８，０９７号；同第５，６７０，４７５号；及び同第５，７１４，１３７号、トリン（Ｔｒｉｎｈ）ら、各々１９９６年７月９日発行；１９９６年１１月２６日発行、１９９７年９月２日発行；１９９７年９月１６日発行；１９９７年９月２３日発行；及び１９９８年２月３日発行に開示されているタイプであり、前記特許のすべては参考として引用し、本明細書に組み入れられる。こうした組成物は、アミン臭を抑制できる上記のポリマーに加えて、アミン臭を抑制できる幾つかの異なる任意の臭気抑制剤を含有することができる。
【００３６】
（ａ）シクロデキストリン
本明細書において使用される「シクロデキストリン」という用語には、６〜１２個のグルコース単位を含有する非置換シクロデキストリンのような、既知のシクロデキストリン、特にα−シクロデキストリン、β−シクロデキストリン、γ−シクロデキストリン及び／又はそれらの誘導体、及び／又はそれらの混合物のいずれかが含まれる。α−シクロデキストリンは６個のグルコース単位から成り、β−シクロデキストリンは７個のグルコース単位から成り、γ−シクロデキストリンはドーナツ形状の環の中に配置された８個のグルコース単位から成る。グルコース単位の特有のカップリング及び配置により、シクロデキストリンは、内部に特有な体積の空洞のある柔軟性のない円錐状の分子構造を有する。各内部の空洞の「内張り」は水素原子及びグリコシド結合する酸素原子によって形成され；従ってこの表面は、完全に疎水性である。空洞の独特の形状及び物理化学的特性は、シクロデキストリン分子が、空洞に取り付くことができる有機分子又は有機分子の一部を吸収すること（それとともに包接複合体を形成する）を可能にしている。多数の悪臭分子及び香料分子をふくめて、多数の臭いのある分子が空洞に取り付くことができる。従って、シクロデキストリン、特に異なった大きさの空洞を持つシクロデキストリン類の混合物は、反応性の官能基を含有していてもいなくてもよい芳しい悪臭を放つ有機物質の広域スペクトルにより生じる臭いを制御するのに用いることができる。シクロデキストリンとにおいのある分子の複合体化は水の存在下で急速に起きる。しかしながら、複合体形成の程度は、吸収される分子の極性にも依存する。水溶液中では、親水性の強い分子（非常に水溶性であるもの）は部分的に吸収されるにすぎない。従って、一部の非常に低分子量の有機アミン及び酸が濡れた布地に低い濃度で存在する場合、シクロデキストリンはそれらとは効果的に錯体を形成しない。しかしながら、水を除いた、例えば、表面を乾かしたとき、一部の低分子量の有機アミン及び酸はより大きな親和性を有し、シクロデキストリンとより容易に錯体を作るようになる。
【００３７】
本発明の溶液を表面に適用したときにシクロデキストリンが様々な匂いの分子を吸収できるように、その溶液中のシクロデキストリンの中の空洞が、溶液中で本質的には満たされていない（シクロデキストリンが複合体を形成していないまま）ままであるべきである誘導体化されていない（通常の）β−シクロデキストリンは、室温にて約１．８５％（１００グラムの水の中に約１．８５グラム）の溶解限度までの濃度で存在することができる。β−シクロデキストリンは、水への溶解限度より高いシクロデキストリンの濃度を要求する組成物中では好ましくない。誘導体化されていないβ−シクロデキストリンは、一般に誘導体化されたシクロデキストリンと適合性のある好ましい界面活性剤のほとんどの表面活性に影響を及ぼすので、組成物が界面活性剤を含有する場合、好ましくない。
【００３８】
好ましくは、本発明で使用されるシクロデキストリンは、α−シクロデキストリン及び／又はそれらの誘導体、γ−シクロデキストリン及び／又はそれらの誘導体、誘導体化されたβ−シクロデキストリン、並びに／又はそれらの混合物のように、水溶性が高い。シクロデキストリン誘導体は主に、ＯＨ基のいくつかがＯＲ基に変換された分子から成る。シクロデキストリン誘導体には、例えば、メチル化したシクロデキストリン、及びエチル化したシクロデキストリンのような短鎖アルキル基を有するシクロデキストリンであって、その際Ｒがメチル基又はエチル基であるシクロデキストリン；ヒドロキシプロピルシクロデキストリン及び／又はヒドロキシエチルシクロデキストリンのようなヒドロキシアルキル置換基を持つものであって、その際、Ｒは−ＣＨ２−ＣＨ（ＯＨ）−ＣＨ３又は−ＣＨ２ＣＨ２−ＯＨであるもの；マルトース結合のシクロデキストリンのような分枝状シクロデキストリン；２−ヒドロキシ−３−（ジメチルアミノ）プロピルエーテルを含有し、その際、ＲはｐＨの低い陽イオンであるＣＨ２−ＣＨ（ＯＨ）−ＣＨ２−Ｎ（ＣＨ３）２である陽イオンシクロデキストリン；例えば、２−ヒドロキシ−３−（トリメチルアンモニオ）プロピルエーテルクロリド基であって、その際ＲはＣＨ２−ＣＨ（ＯＨ）−ＣＨ２−Ｎ＋（ＣＨ３）３Ｃｌ−である四級アンモニウム；　カルボキシメチルシクロデキストリン、シクロデキストリンサルフェート、及びシクロデキストリンスクシニレートのような陰イオンイオンシクロデキストリン；カルボキシメチル／四級アンモニウムシクロデキストリンのような両性シクロデキストリン；本明細書に参考として引用し組み入れた「シクロデキストリンの最小の化学修飾による最適な性能」（”Ｏｐｔｉｍａｌ Ｐｅｒｆｏｒｍａｎｃｅｓ ｗｉｔｈ Ｍｉｎｉｍａｌ ｃｈｅｍｉｃａｌ Ｍｏｄｉｆｉｃａｔｉｏｎ ｏｆ Ｃｙｃｌｏｄｅｘｔｒｉｎｓ”）、Ｆ．ダイダイニ−ピラード（Ｆ． Ｄｉｅｄａｉｎｉ−Ｐｉｌａｒｄ）及びＢ．パーリー（Ｂ． Ｐｅｒｌｙ）、第７回国際シクロデキストリンシンポジウム要項集（１９９４年４月、４９頁）に開示されたシクロデキストリンであって、その少なくとも１個のグルコピラノースユニットが３−６−無水−シクロマルト構造、例えば、モノ−３−６−無水シクロデキストリンを有するシクロデキストリン；及びそれらの混合物が挙げられる。その他のシクロデキストリンは、米国特許第３，４２６，０１１号（パーマータ（Ｐａｒｍｅｒｔｅｒ）ら、１９６９年２月４日発行）；第３，４５３，２５７号；第３，４５３，２５８号；第３，４５３，２５９号；及び第３，４５３，２６０号（全てパーマータ（Ｐａｒｍｅｒｔｅｒ）ら、全て１９６９年７月１日発行）；第３，４５９，７３１号（グラメラ（Ｇｒａｍｅｒａ）ら、１９６９年８月５日発行）；第３，５５３，１９１号（パーマータ（Ｐａｒｍｅｒｔｅｒ）ら、１９７１年１月５日発行）；第３，５６５，８８７号（パーマータ（Ｐａｒｍｅｒｔｅｒ）ら、１９７１年２月２３日発行）；第４，５３５，１５２号（セトリ（Ｓｚｅｊｔｌｉ）ら、１９８５年８月１３日発行）；第４，６１６，００８号（ヒライら、１９８６年１０月７日発行）；第４，６７８，５９８号（オギノら、１９８７年７月７日発行）；第４，６３８，０５８号（ブランツ（Ｂｒａｎｄｔ）ら、１９８７年１月２０日発行）；及び第４，７４６，７３４号（ツチヤマら、１９８８年５月２４日発行）に開示されており、前記特許は全て参考として引用し、本明細書に組み入れる。
【００３９】
水溶性の高いシクロデキストリンとは、水への溶解度が室温で１００ｍｌ中の水に少なくとも約１０ｇ、好ましくは１００ｍｌ中の水に少なくとも約２０ｇ、更に好ましくは室温で１００ｍｌ中の水に少なくとも約２５ｇであるシクロデキストリンである。可溶化非複合型のシクロデキストリンの利用可能度が、効果的及び効率的な匂いの調節性能に必須である。可溶化された、水溶性シクロデキストリンは、面、特に布地に沈着されると非水溶性シクロデキストリンよりもより効率的な臭気抑制性能を示すことができる。
【００４０】
本明細書での使用に好適な好ましい水溶性シクロデキストリン誘導体の例は、ヒドロキシプロピルα−シクロデキストリン、メチル化α−シクロデキストリン、メチル化β−シクロデキストリン、ヒドロキシエチルβ−シクロデキストリン、及びヒドロキシプロピルβ−シクロデキストリンである。ヒドロキシアルキルシクロデキストリン誘導体は好ましくは約１〜約１４、さらに好ましくは約１．５〜約７の置換度を有し、その際、シクロデキストリン当りのＯＲ基の総数が、置換度として定義される。メチル化シクロデキストリン誘導体は通常、約１〜約１８、好ましくは約３〜約１６の置換度を有する。既知のメチル化β−シクロデキストリンは、一般にＤＩＭＥＢとして知られるヘプタキス−２，６−ジ−オー−メチル−β−シクロデキストリンであり、その際、各グルコース単位は、約１４の置換度と共に約２のメチル基を有する。好ましい、さらに市販されている、メチル化β−シクロデキストリンは、通常約１２．６の異なった置換度を有する、一般にＲＡＭＥＢとして知られる、無作為にメチル化されたβ−シクロデキストリンである。ＤＩＭＥＢは、好ましい界面活性剤の表面活性にＲＡＭＥＢよりも大きく影響するので、ＲＡＭＥＢの方がＤＩＭＥＢよりも好ましい。好ましいシクロデキストリンは、例えば、セレスター（Ｃｅｒｅｓｔａｒ）ＵＳＡ社及びワッカーケミカルズ（Ｗａｃｋｅｒ Ｃｈｅｍｉｃａｌｓ）社（米国）から入手可能である。
【００４１】
更にシクロデキストリンの混合物を使用することも好ましい。かかる混合物は、さらに幅広い範囲の分子サイズを有するさらに幅広い範囲の芳しい分子と複合体化することによってさらに幅広く臭気を吸収する。好ましくは、シクロデキストリンの少なくとも一部分は、α−シクロデキストリン及びその誘導体、γ−シクロデキストリン及びその誘導体、及び／又は誘導体化されたβ−シクロデキストリンであり、さらに好ましくは、α−シクロデキストリン、又はα−シクロデキストリン誘導体と誘導体化されたβ−シクロデキストリンの混合物であり、一層さらに好ましくは、誘導体化されたα−シクロデキストリンと誘導体化されたβ−シクロデキストリンの混合物であり、最も好ましくは、ヒドロキシプロピルα−シクロデキストリンとヒドロキシプロピルβ−シクロデキストリンの混合物、及び／又はメチル化α−シクロデキストリンとメチル化β−シクロデキストリンの混合物である。
【００４２】
使用条件のもとで面を処理するために用いられる溶液は、乾燥した場合、視覚的に識別できないのが好ましい。使用条件における使用組成物中のシクロデキストリンの典型的濃度は、組成物の質量において約０．０１％〜約５％、好ましくは約０．１％〜約４％、さらに好ましくは約０．５％〜約２％である。より高度に濃縮された組成物は、溶液が布地から蒸発すると、受け入れられない明確な染みを布地上に残す可能性がある。これは特に、薄い、色のついた、合成の布地の場合には問題である。布地に染みが付くのを、防止又は最小にするために、布地は、布地のグラム当り約５ｍｇ未満のシクロデキストリンの濃度で、さらに好ましくは布地のグラム当り約２ｍｇ未満のシクロデキストリンの濃度で処置するのが好ましい。界面活性剤が存在すると、染みが局所的に付くのを最小にするため、見かけを改善することができる。
シクロデキストリンを濃縮組成物中に混和したい場合には、シクロデキストリンの濃度は濃縮組成物の質量において通常約３％〜約２０％、さらに好ましくは約５％〜約１０％であり、染みが付くのを避けるために布地を処置する前に、濃縮組成物を希釈することが好ましい。得られる希釈組成物は、前述のようにシクロデキストリンの使用濃度が、希釈組成物の質量において、例えば約０．１％〜約５％である。
【００４３】
シクロデキストリン防腐剤
シクロデキストリン分子は多様な数のグルコース単位からできているため、特に水溶液の場合には特定の微生物にとって主要な繁殖場所となる可能性があるため、シクロデキストリンが存在する場合に、抗細菌物質がシクロデキストリンを十分に防護できないか又は存在しない場合、任意ではあるが望ましくは、可溶性、水溶性の抗細菌防腐剤を本発明の組成物に添加することができる。この欠点は結果として、かなり長い、いかなる期間におけるシクロデキストリン溶液の保存安定性の問題につながる。特定の微生物による汚染とその後の細菌の成長により、溶液は見苦しく及び／又は悪臭がひどくなる。シクロデキストリン溶液中における細菌の成長は、それが生じた場合には極めて好ましくないことであり、水溶性シクロデキストリンを含有する、好ましくは透明の水性の臭気吸収溶液の保存安定性を高めるために、細菌の成長を抑制及び／又は規制するのに有効な可溶性、水溶性の抗細菌防腐剤を包含することは極めて好ましい。
【００４４】
広域スペクトルの防腐剤、例えば、バクテリア（グラム陰性及びグラム陽性の両方）及びカビの両方に有効な防腐剤を使用することが好ましい。スペクトルの限定された防腐剤、例えば単一の微生物群、例えばカビにしか有効ではない防腐剤は、優れた活性及び／又は補足する活性を有する、広域スペクトル防腐剤又はその他のスペクトルの限定された防腐剤と組み合わせて使用し得る。広域スペクトル防腐剤の混合物も又使用し得る。汚染微生物の特定の群が（グラム陰性のように）問題がある場合には、アミノカルボキシレートキレート化剤を単独で又は強化剤として、その他の防腐剤とともに使用し得る。例えば、エチレンジアミン四酢酸（ＥＤＴＡ）、ヒドロキシエチレンジアミン三酢酸、ジエチレントリアミン五酢酸、及びその他のアミノカルボキシレートキレート化剤、及びそれらの混合物、及びそれらの塩を含むこれらのキレート化剤、及びそれらの混合物は、グラム陰性バクテリア、とりわけシュードモナス（Ｐｓｅｕｄｏｍｏｎａｓ）属に対する防腐剤の有効性を増大する。
【００４５】
本発明に有効な抗菌防腐剤には、生物致死性化合物すなわち殺微生物物質、又は制生剤化合物すなわち微生物の増殖を阻害する及び／又は抑制する物質が含まれる。好適な防腐剤は、米国特許第５，５３４，１６５号、第５，５７８，５６３号；第５，６６３，１３４号；第５，６６８，０９７号；第５，６７０，４７５号；及び第５，７１４，１３７号、トリン（Ｔｒｉｎｈ）ら、各々１９９６年７月９日発行；１９９６年１１月２６日発行、１９９７年９月２日発行；１９９７年９月１６日発行；１９９７年９月２３日発行；及び１９９８年２月３日発行に開示されており、前記特許のすべては参考として引用し、以前に本明細書に組み入れられている。有機防腐剤は、シクロデキストリン分子と包含複合体を形成する可能性があるので、シクロデキストリンの空洞に包含される悪臭分子と競合して、シクロデキストリンを匂いの調節活性剤として無効にしてしまうので、好ましい抗菌防腐剤は、水溶性で、低濃度で有効である防腐剤である。本発明に有効な水溶性防腐剤は、１００ｍｌの水に少なくとも約０．３ｇの水への溶解性、すなわち、室温で約０．３％より大きい、好ましくは室温で約０．５％より大きい水への溶解性を有する防腐剤である。これらの種類の防腐剤は、シクロデキストリンに対して少なくとも水相においてはより低い親和性を有し、そのため抗細菌作用を提供するのにより利用しやすい。水溶解度が約０．３％未満であり、容易にシクロデキストリンの空洞に取り付く分子構造をもつ防腐剤は、シクロデキストリン分子と包接錯体を形成する傾向がより高く、従って防腐剤はシクロデキストリン溶液中の細菌を抑制するのにそれほど有効ではなくなる。
【００４６】
本発明の水溶性抗細菌防腐剤は、有効量にて包含される。本明細書において定義される「有効量」という言葉は、具体的な期間の間、腐敗を防止、又は不適切にも添加された微生物の成長を防止するのに十分な濃度を意味する。換言すれば、防腐剤は、微生物により生成された臭気を除くために組成物が付着する面上の微生物を殺すのに用いられるのではない。代わりに、それは好ましくはシクロデキストリン溶液の腐敗を防止し、組成物の貯蔵寿命を長くするために用いられる。防腐剤の好ましい濃度は使用組成物の質量において、約０．０００１％〜約０．５％、さらに好ましくは約０．０００２％〜約０．２％、最も好ましくは約０．０００３％〜約０．１％である。
大部分のシクロデキストリンを臭気抑制のために残しておくために、シクロデキストリンの防腐剤に対するモル比は約５：１より大きく、好ましくは約１０：１より大きく、さらに好ましくは５０：１より大きく、一層さらに好ましくは１００：１より大きい。
【００４７】
防腐剤は布地の見かけを損なう、例えば変色、着色、漂白を生じないであろう、いかなる有機防腐剤物質であることもできる。好ましい水溶性防腐剤には、有機イオウ化合物、ハロゲン化合物、環状有機窒素化合物、低分子量のアルデヒド、四級アンモニウム化合物、デヒドロ酢酸、フェニル化合物、及びフェノール化合物、及びそれらの混合物が含まれる。
本発明の防腐剤は、広範囲の微生物を抑制するために、混合物として使用し得る。
【００４８】
（ｂ）低分子量ポリオール類
エチレングリコール、プロピレングリコール及び／又はグリセロールのような、水と比較してかなり沸点の高い低分子量ポリオールは、特にシクロデキストリンが存在する場合、本発明の組成物の臭気の調節性能を改善するために好ましい任意成分である。本発明の組成物へ少量の低分子量グリコール類を組み入れると、通常、布が乾燥するにつれシクロデキストリン包接複合体の形成を高める。
水よりも長い時間、布地上に残るポリオールの能力は通常、布が乾燥するにつれそれとシクロデキストリン及び幾つかの悪臭分子との３次元複合体を形成させてしまう。グリコール類の添加はシクロデキストリンの空洞内の空間を満たす傾向があり、それによって相対的にサイズの小さい悪臭分子によって満たされるのが不可能になる。好ましくは用いられるグリコールは、グリセリン、エチレングリコール、プロピレングリコール、ジエチレングリコール、ジプロピレングリコール又はそれらの混合物であり、さらに好ましくはエチレングリコール及び／又はプロピレングリコールである。ポリオール類を除去することなくシクロデキストリンを使用し得るように、そのようなポリオールの濃度をもたらす方法でシクロデキストリンを調製することがきわめて望ましい。
【００４９】
ポリオール類の一部、例えば、ジプロピレングリコールは、本発明の組成物における香料成分の安定化を促進するのにも有用である。
典型的には、グリコールは本発明の組成物に、組成物の約０．０１〜約３％の濃度で、好ましくは組成物の約０．０５〜約１％、更に好ましくは約０．１〜約０．５％の濃度で加える。低分子量ポリオールのシクロデキストリンに対する好ましい質量比は、約２：１，０００〜約２０：１００、更に好ましくは約３：１，０００〜約１５：１００、更に一層好ましくは約５：１，０００〜約１０：１００、及び最も好ましくは約１：１００〜約７：１００である。
【００５０】
（ｃ）金属塩
付加された臭いを吸収するため、及び／又はシクロデキストリンが存在する場合、シクロデキストリン溶液の抗細菌の利益のため、任意ではあるが、極めて好ましくは、本発明は金属塩を包含することができる。金属塩は、銅塩、亜鉛塩、及びこれらの混合物から成る群から選択される。
銅塩は幾つかの抗細菌効果を有する。具体的には、アビエチン酸第二銅は殺真菌剤として作用し、酢酸銅がカビ阻害物質として、塩化第二銅は殺真菌剤として作用し、乳酸銅は殺真菌剤として作用し、硫酸銅は殺菌剤として作用する。銅塩もまた幾分かの悪臭抑制能力を有する。リューポルド（Ｌｅｕｐｏｌｄ）らの米国特許第３，１７２，８１７号を参照のこと、この特許は、銅の塩及び亜鉛の塩を包含する、少なくともわずかに水溶性のアシルアセトンの塩を含む、使い捨て物品を処置するための脱臭組成物を開示しており、前記特許は参考として引用し、本明細書に組み入れる参考としてする。
好ましい亜鉛塩は悪臭抑制能力を有する。亜鉛は悪臭を改善するその能力のために最もよく用いられており、例えば、口腔洗浄製品があり、１９８２年４月２０日に発行された米国特許番号第４，３２５，９３９号、及び１９８３年９月４日にＮ．Ｂ．シャー（Ｎ．Ｂ． Ｓｈａｈ）らに発行された米国特許番号第４，４６９，６７４号に開示されており、それらのすべてを参考として引用し、本明細書に組み入れる。塩化亜鉛のような高度にイオン化し且つ可溶性の亜鉛塩は、最良の亜鉛イオン源を提供する。ホウ酸亜鉛は、静真菌剤、カビ阻害物質として機能し、カプリル酸亜鉛は、殺真菌剤として機能し、塩化亜鉛は、消毒剤、及び防臭剤の利益を提供し、リシノール酸亜鉛は、殺真菌剤として機能し、硫酸亜鉛七水和物は、殺真菌剤として機能し、ウンデシレン酸亜鉛は、静真菌剤として機能する。
【００５１】
好ましくは金属塩は、水溶性亜鉛塩、銅塩、又はこれらの混合物であり、さらに好ましくは亜鉛塩であり、特にＺｎＣｌ２である。これらの塩は、好ましくは本発明において、主としてアミン及び分子の大きさが小さすぎるためにシクロデキストリン分子と有効に錯体を形成できないイオウ含有化合物を吸収するために存在する。低分子量のイオウ含有物質、例えば硫化物及びメルカプタンは多くの種類の悪臭、例えば食物の臭い（にんにく、たまねぎ）、体／汗の臭い、口臭などの成分である。低分子量のアミンはまた、多くの悪臭、例えば食物の臭い、体臭、尿などの成分である。
金属塩を本発明の組成物中に添加する場合には、その濃度が使用組成物の質量において、通常約０．１％〜約１０％、好ましくは約０．２％〜約８％、さらに好ましくは約０．３％〜約５％で存在する。
【００５２】
（ｄ）可溶性の炭酸塩の塩及び／又は重炭酸塩の塩
重炭酸ナトリウム、重炭酸カリウム、炭酸カリウム、炭酸セシウム、炭酸ナトリウム、及びそれらの混合物のような水溶性アルカリ金属炭酸塩及び／又は重炭酸塩は、ある酸性タイプの匂いの調節を助けるために、本発明の組成物に加え得る。好ましい塩は、炭酸ナトリウム一水和物、炭酸カリウム、重炭酸ナトリウム、重炭酸カリウム、及びそれらの混合物である。これらの塩を本発明の組成物に加えるとき、それらは典型的には組成物の約０．１〜約５質量％、好ましくは約０．２〜約３質量％、更に好ましくは約０．３〜約２質量％の濃度とする。これらの塩を本発明の組成物に加えるとき、不適合な金属塩が本発明品に存在しないことが好ましい。好ましくはこれらの塩を用いる場合には、組成物には本質的に亜鉛及び他の不適合な金属イオン、例えば非水溶性塩を形成するＣａ、Ｆｅ、Ｂａ、などが存在しない。
【００５３】
（ｅ）酵素
酵素も特定の種類の悪臭、嘔吐物質を包含する、特に尿、及び排泄の他の種類からの悪臭を抑制するのに用いることができる。プロテアーゼが特に望ましい。市販の酵素の作用は、考慮される酵素の種類や純度に依存する。水溶性プロテアーゼである酵素、例えばペプシン、トリプシン、フィシン、ブロメリン、パパイン、レンニン、及びこれらの混合物は特に有用である。
酵素は通常、水性組成物のグラムあたり質量において約５ｍｇまで、好ましくは約０．００１ｍｇ〜約３ｍｇ、さらに好ましくは約０．００２ｍｇ〜約１ｍｇの活性のある酵素を提供するのに十分な濃度で組み入れられる。特別に指摘しない限り、本明細書の水性組成物は、約０．０００１質量％〜約０．５質量％の、好ましくは約０．００１〜約０．３質量％の、さらに好ましくは約０．００５〜約０．２質量％の市販の酵素製剤を含むことができる。プロテアーゼ酵素は、通常、水性組成物のグラム当り０．０００５〜０．１アンソン単位（ＡＵ）の活性を提供するのに十分な濃度でこうした市販製剤に存在する。
【００５４】
市販の好適な、水溶性プロテアーゼの非限定的な例は、ペプシン、トリプシン、フィシン、ブロメリン、パパイン、レンニン、及びこれらの混合物である。パパインは、例えばパパイヤラテックスから単離することができ、精製形態で例えば約８０％までのタンパク質で、又はより粗製では、更により低い活性の工業銘柄で市販されている。プロテアーゼの他の好適な例はサブチリシンであり、Ｂ．サブチリス（Ｂ． ｓｕｂｔｉｌｉｓ）、及びＢ．リケニフォームス（Ｂ． ｌｉｃｈｅｎｉｆｏｒｍｓ）の特別な株から得られる。別の好適なプロテアーゼは、バシラス（Ｂａｃｉｌｌｕｓ）の株から得られ、ｐＨ範囲８〜１２全体において、最大の活性を有し、ノボ・インダストリーズＡ／Ｓ（Ｎｏｖｏ Ｉｎｄｕｓｔｒｉｅｓ Ａ／Ｓ）により開発され、登録商品名エスペラーゼ（ＥＳＰＥＲＡＳＥ（登録商標））として販売されている。この酵素及び類似の酵素の調製は、ノボ（Ｎｏｖｏ）の英国特許明細書番号第１，２４３，７８４号に記載されている。タンパク質に基づく染みを落とすのに好適なタンパク質分解酵素は市販されており、商品名アルカラーゼ（ＡＬＣＡＬＡＳＥ（登録商標））、及びザビナーゼ（ＳＡＶＩＮＡＳＥ（登録商標））としてノボ・インダストリーズＡ／Ｓ（Ｎｏｖｏ Ｉｎｄｕｓｔｒｉｅｓ Ａ／Ｓ）（デンマーク）より、及びマキサターゼ（ＭＡＸＡＴＡＳＥ（登録商標））として、インターナショナル・バイオシンセティックス社（Ｉｎｔｅｒｎａｔｉｏｎａｌ Ｂｉｏ−Ｓｙｎｔｈｅｔｉｃｓ、 Ｉｎｃ．）（オランダ）より販売されているものが挙げられる。他のプロテアーゼには、プロテアーゼＡ（欧州特許出願第１３０，７５６号、１９８５年１月９日公開を参照のこと）；プロテアーゼＢ（欧州特許出願番号第８７３０３７６１．８号、１９８７年４月２８日出願、及び欧州特許出願第１３０，７５６号、ボット（Ｂｏｔｔ）ら、１９８５年１月９日公開を参照のこと）；及び１以上の以下の特許：カルドウェル（Ｃａｌｄｗｅｌｌ）らの米国特許番号第５，１８５，２５８号、第５，２０４，０１５号、及び第５，２４４，７９１号によりゼネンカー・インターナショナル社（Ｇｅｎｅｎｃｏｒ Ｉｎｔｅｒｎａｔｉｏｎａｌ、 Ｉｎｃ．）により製造されたプロテアーゼが挙げられる。
【００５５】
酵素物質の範囲及び液状組成物へのそれらの組み込み手段は、米国特許第３，５５３，１３９号（１９７１年１月５日発行、マッカーティ（ＭｃＣａｒｔｙ）ら）にも開示されている。酵素はさらに、米国特許第４，１０１，４５７号（１９７８年７月１８日発行、プレイス（Ｐｌａｃｅ）ら）、及び米国特許第４，５０７，２１９号（１９８５年３月２６日発行、ヒューズ（Ｈｕｇｈｅｓ）ら）に開示されている。液体製剤に有用な他の酵素物質、及びこうした製剤への混合については、１９８１年４月１４日にホラ（Ｈｏｒａ）らに発行された米国特許第４，２６１，８６８号に開示されている。酵素は多様な技術により安定化され得るが、その技術は例えば、１９７１年８月１７日にゲッジ（Ｇｅｄｇｅ）らに発行された米国特許第３，６００，３１９号、１９８６年１０月２９日に公開された、欧州特許出願公開番号０１９９４０５号、出願番号第８６２００５８６．５号、ベネガス（Ｖｅｎｅｇａｓ）、及び米国特許第３，５１９，５７０号に開示され、例示されている。上記のすべての特許及び出願を、少なくとも関連部分は本明細書に組み入れる。
【００５６】
酵素−ポリエチレングリコール抱合体もまた好ましい。こうした酵素のポリエチレングリコール（ＰＥＧ）誘導体では、そのＰＥＧ、又はアルコキシ−ＰＥＧ部分が、例えば第二級アミン結合を介して、タンパク質分子に共役している。好適な誘導体は、一方ではなお酵素の能力を保持しながら、免疫原性を減少させ、従ってアレルギー反応を最小にする。プロテアーゼ−ＰＥＧの１つの例は、ＰＥＧ−サブチリシン・カールスバーグ（ＰＥＧ−ｓｕｂｔｉｌｉｓｉｎ Ｃａｒｌｓｂｅｒｇ）であり、Ｂ．リケンニホルミス（Ｂ． ｌｉｃｈｅｎｎｉｆｏｒｍｉｓ）がメトキシ−ＰＥＧと、第二級アミン結合を介して共役しており、ミズーリー州、セントルイス（Ｓｔ． Ｌｏｕｉｓ）のシグマ−アルドリッチ社（Ｓｉｇｍａ−Ａｌｄｒｉｃｈ Ｃｏｒｐ．）より入手可能である。
【００５７】
（ｆ）ゼオライト類
溶液の透明性が必要ない場合、及び溶液が布地に噴霧されない場合、他の任意の臭気吸収物質、例えばゼオライト、及び／又は活性炭もまた用いることができる。好ましい種類のゼオライトは、「中間体」であるケイ酸塩／アルミン酸塩のゼオライトとして特徴付けられる。中間体ゼオライトは、約１０未満のＳｉＯ２／ＡｌＯ２モル比によって特徴付づけられる。好ましくはＳｉＯ２／ＡｌＯ２のモル比は約２〜約１０の範囲である。この中間体ゼオライトは「ハイ」ゼオライトよりも有効である。この中間体ゼオライトはアミンタイプの匂いに高い親和性を有し、表面積が大きいために匂いの吸収に関して質量効率が良く、そして耐湿性が高く、水中で、ハイゼオライトよりも匂いの吸収用容量が大きい。本明細書に用いるのに好適な、多種多様な中間体ゼオライトは、ＰＱコーポレーション（ＰＱＣｏｒｐｏｒａｔｉｏｎ）よりバルファー（Ｖａｌｆｏｒ）（登録商標）ＣＰ３０１−６８、バルファー（Ｖａｌｆｏｒ）（登録商標）３００−６３、バルファー（Ｖａｌｆｏｒ）（登録商標）ＣＰ３００−３５、及びバルファー（Ｖａｌｆｏｒ）（登録商標）ＣＰ３００−５６として、及びコンテカ（Ｃｏｎｔｅｋａ）よりゼオライトのＣＢＶ１００（登録商標）シリーズとして市販されている。
【００５８】
またユニオンカーバイド社（Ｕｎｉｏｎ Ｃａｒｂｉｄｅ Ｃｏｒｐｏｒａｔｉｏｎ）及びＵＯＰよりアブセンツ（Ａｂｓｃｅｎｔｓ（登録商標））、及びスメルライト（Ｓｍｅｌｌｒｉｔｅ（登録商標））という商品名で市販されるゼオライト物質も好ましい。これらの物質は、典型的には３〜５ミクロンの範囲の粒子サイズである白い粉末として入手可能である。このような物質は、例えば、チオール、メルカプタンのような、イオウを含有する匂いの調節に関して中間体ゼオライトよりも好ましい。
【００５９】
（ｇ）活性炭
本発明への使用に好適な炭素物質は、有機分子の吸収剤及び／又は空気清浄の目的に市販される製品として周知の物質である。しばしば、このような炭素物質は、「活性炭」（アクティベーティドカーボン又はアクティベーティドチャーコール）と呼ばれる。このような炭素物質は、カルゴン−タイプＣＰＧ（Ｃａｌｇｏｎ−Ｔｙｐｅ ＣＰＧ（登録商標））；タイプＰＣＢ（Ｔｙｐｅ ＰＣＢ（登録商標））；タイプＳＧＬ（Ｔｙｐｅ ＳＧＬ（登録商標））；タイプＣＡＬ（Ｔｙｐｅ ＣＡＬ（登録商標））；及びタイプＯＬ（Ｔｙｐｅ ＯＬ（登録商標））の商品名で市販されている。活性炭繊維及び衣料はまた、悪臭の除去及び／又は新鮮さの利益を提供するために、本明細書に開示されている組成物及び／又は製造物品と組み合わせて、使用してもよい。こうした活性炭繊維及び布地はカルゴン（Ｃａｌｇｏｎ）より入手することができる。
【００６０】
（ｈ）それらの混合物
上記の任意の臭気抑制剤の混合物は望ましく、特に混合物が広範囲の臭気を抑制する場合には望ましい。
【００６１】
４．布地ケア多糖類
（ａ）主要な布地ケア多糖類
本発明の布地ケア組成物に用いるのに好適な布地ケア多糖類は、希釈水溶液において、ランダムなコイル構造を経て球構造を有するものである。前記多糖類には、分枝のある又は分枝のない簡単ならせん構造の、ホモ−及び／又はヘテロ多糖類が挙げられ、例えば１，４−α−結合主鎖構造（例えば１，４−α−グルカン、１，４−α−キシラン）の分枝のある又は分枝のないもの、１，３−β−結合主鎖の分枝のある又は分枝のないもの（例えばガラクタン）、及び全ての１，６−結合主鎖の分枝のある又は分枝のないもの（例えばデキストラン、プルラン、パスツラン（ｐｕｓｔｕｌａｎ））が挙げられるが、質量平均分子量は約５，０００〜約５００，０００であり、好ましくは約８，０００〜約２５０，０００であり、さらに好ましくは約１０，０００〜約１５０，０００であり、通常は大きさが約２ｎｍ〜約３００ｎｍの範囲であり、好ましくは約３ｎｍ〜約１００ｎｍの範囲であり、さらに好ましくは約４ｎｍ〜約３０ｎｍの範囲である。この大きさは、希釈水溶液中の分子が占有する回転の長さとして定義される。
【００６２】
好ましくは布地ケア多糖類は、アラビノガラクタン、パキマン（ｐａｃｈｙｍａｎ）、カードラン、カロース、パラミロン、スクレログルカン、レンチナン、リケナン（ｌｉｃｈｅｎａｎ）、ラミナリン、ジゾフィラン（ｓｚｈｉｚｏｐｈｙｌｌａｎ）、グリフォラン（ｇｒｉｆｏｌａｎ）、スクレロチニア、スクレロチオラム、グルカン（ＳＳＧ）、オンファリア・ラピデシーン・グルカン（Ｏｍｐｈａｒｉａ ｌａｐｉｄｅｓｃｅｎｃｅ ｇｌｕｃａｎ（ＯＬ−２））、パスツラン（ｐｕｓｔｕｌａｎ）、デキストラン、プルラン、それらの置換型の種類、それらの誘導型の種類、及びこれらの混合物から成る群から選択される。さらに好ましくは、布地ケア多糖類はアラビノガラクタン、デキストラン、カードラン、それらの置換型の種類、それらの誘導型種類、及びこれらの混合物から成る群から選択され、一層さらに好ましくは布地ケア多糖類はアラビノガラクタン、その置換型の種類、その誘導型の種類、及びこれらの混合物を含む。上記の布地ケア多糖類の置換型及び／又は誘導型物質また本発明において好ましい。これらの物質の非限定的な例には：カルボキシル及びヒドロキシメチル置換（例えば中性糖単位の代わりに幾つかのウロン酸）；アミノ多糖類（アミン置換）；カチオン性四級化された多糖類；Ｃ１〜Ｃ１８のアルキル化多糖類；アセチル化多糖類エーテル；付加したアミノ酸残基（糖タンパク質の小片）を有する多糖類；シリコーン部分を含有する多糖類などが挙げられる。幾つかの多糖類の疎水性誘導体は多糖類が球構造を保持するのを助ける。
【００６３】
本発明に用いるのに好適な好ましい種類の布地ケア多糖類には、少なくとも幾つかの、しかし好ましくはほとんど全部の１，３−βグリコシド結合をもつ主鎖を有するものが挙げられるが、好ましくは分枝の、好ましくは鎖の両側に１，６−結合の付いたもの、又はより良い水溶性及び／又は球構造を保持するための誘導型が挙げられる。１，３−β結合主鎖の１，６−結合型分枝多糖類は、非分枝多糖類より高い水溶解度及び／又は散布性を有し、そのため、高分子量の範囲においては分枝多糖類を用い得る。他の種類の結合の挿入、例えば１，３−β結合主鎖中にある１，４−β結合の幾つかは、また多糖類の溶解度を改善する。有用な１，３−β結合主鎖の布地ケア多糖類の非限定的な例には、アラビノガラクタン、パキマン（ｐａｃｈｙｍａｎ）、カードラン、カロース、パラミロン、スクレログルカン、レンチナン、リケナン（ｌｉｃｈｅｎａｎ）、ラミナリン、ジゾフィラン（ｓｚｈｉｚｏｐｈｙｌｌａｎ）、グリフォラン（ｇｒｉｆｏｌａｎ）、スクレロチニア、スクレロチオラム、グルカン（ＳＳＧ）、オンファリア・ラピデシーン・グルカン（Ｏｍｐｈａｒｉａ ｌａｐｉｄｅｓｃｅｎｃｅ ｇｌｕｃａｎ（ＯＬ−２））、及びこれらの混合物が挙げられる。分枝が少ないか存在しない多糖類には、低分子量物質例えばカードランが好ましく、高度に分枝した多糖類には、高分子量物質例えばアラビノガラクタンを用いることができる。１，３−β、及び１，４−β結合の混ざった高分子量多糖類、例えばリケナン（ｌｉｃｈｅｎａｎ）もまた用いることができる。
【００６４】
１，３−β結合主鎖の好ましい布地ケア分枝多糖類は、アラビノガラクタン（ガラクトアラビニアン（ｇａｌａｃｔｏａｒａｂｉｎａｎ）又はε−ガラクタンとも名付けられている）である。アラビノガラクタンは、長く、分枝の密集した、高分子量の多糖類である。本発明の組成物に有用なアラビノガラクタンは、分子量が約５，０００〜約５００，０００の範囲、好ましくは約６，０００〜約２５０，０００の範囲、さらに好ましくは約１０，０００〜約１５０，０００の範囲である。これらの多糖類は、ガラクトース及びアラビノース単位（β−ガラクトピラノース、β−アラビノフラノース、及びβ−アラビノピラノースから成る）側鎖のあるガラクタン主鎖から成り、高度に分枝している。アラビノガラクタンの主な供給源はカラマツの木である。カラマツ属（カラマツ）は世界中に多く見られる。カラマツの木の２つの主要な供給源は、北アメリカ西部のセイブカラマツ（セイヨウカラマツ（Ｌａｒｉｘ ｏｃｃｉｄｅｎｔａｌｉｓ））とモンゴルカラマツ（カラマツ・ダフリカ（Ｌａｒｉｘ ｄａｈｕｒｉｃａ））である。他のカラマツの例は北アメリカ東部のトウブカラマツ（アメリカカラマツ（Ｌａｒｉｘ ｌａｒｉｃｉｎａ））、ヨーロッパカラマツ（ヨーロッパカラマツ（Ｌａｒｉｘ ｄｉｃｉｄｕａ））、日本カラマツ（カラマツ（Ｌａｒｉｘ ｌｅｐｔｏｌｅｐｉｓ））、シベリアカラマツ（カラマツ（Ｌａｒｉｘ ｓｉｂｅｒｉｃａ））である。最も市販されているアラビノガラクタンは向流抽出製法によりセイブカラマツより製造される。カラマツのアラビノガラクタンは水溶性であり、約１：６の比でアラビノース及びガラクトース単位から、及び微量のウロン酸から構成されている。カラマツのアラビノガラクタンのグリコシル結合分析は、３，４，６−、３，６−及び３，４−並びに３−結合残基を含む、１，３−β−グリコシド結合により結合した、１，３−β−結合ガラクトピラノースの主鎖を含む高度な分枝構造と一致する。カラマツのアラビノガラクタンの好ましい画分の分子量には、約１４，０００〜約２２，０００の範囲の１画分が挙げられ、主に約１６，０００〜約２１，０００であり、及びその他には約６０，０００〜約５００，０００の範囲のものが挙げられ、主に約８０，０００〜約１２０，０００である。平均分子量が約１６，０００〜約２０，０００を有する画分が布地への直接適用、例えば吹付け用製品に用いるのに極めて好ましい。高分子量画分（約１００，０００分子量）、並びに低分子量画分は、その後の水による処置を伴う過程、例えば予め浸す、洗浄を加えた及び／又は濯ぎを加えた洗濯過程及び製品に用いるのに好適である。高い等級のカラマツのアラビノガラクタンは、約９８％より多くのアラビノガラクタンから構成される。カラマツのアラビノガラクタン、及び幾つかのその誘導体、例えばカチオン性誘導体が、ミネソタ州セイント・ポール（Ｓｔ Ｐａｕｌ）、ラレックス社（Ｌａｒｅｘ、 Ｉｎｃ．）より市販されている。
【００６５】
アラビノガラクタンはまた軟木の微量の水溶性成分として存在するが、軟木には、ツガ、クロトウヒ、パラナ・パイン、ムゴ・パイン、ダグラス・ファー、インセンスシダー、ジュニパー、及びサトウカエデの液材がある。多くの食用の及び非食用の植物もまたアラビノガラクタンの豊富な供給源であり、多くは糖タンパク質の形態であり、トレオニン、プロリン、又はセリン（「アラビノガラクタンタンパク質」）のいずれかのタンパク質の脊椎に結合している。これらの植物には、ネギの種、人参、大根、毛蔓小豆、西洋ナシ、メイズ、小麦、赤ワイン、イタリアンライグラス、トマト、ブタクサ、サトウモロコシ、笹、ココナツの果肉とミルクが挙げられる。十分に確立された免疫強化特性のある多くの草木、例えばエキナケア・パープレア（Ｅｃｈｉｎａｃｅａ ｐｕｒｐｕｒｅａ）、バプティシア・ティンクトリア（Ｂａｐｔｉｓｉａ ｔｉｎｔｏｒｉａ）、ニオイヒバ、トウキ、及びウコンは、顕著な量のアラビノガラクタンを含有する。少量のアラビノガラクタンはまた、他の植物、例えばグリーンコーヒー豆（糖の比約２：５）、ムラサキチョウマメモドキの種（糖の比約１：１３）、及び小麦粉（糖の比約７：３）にも存在する。大豆粉の水溶性物質の約７０％が、糖の比約１：２のアラビノガラクタンである。
【００６６】
１，３−β−結合を主鎖の一部として有する他の布地ケア多糖類の例には：１，３−β−キシラン（例えばペンキラス・デュメトサス（Ｐｅｎｃｉｌｌｕｓ ｄｕｍｅｔｏｓｕｓ）より）、カードラン（ｃｕｒｄｌｅｎ）、１，３−β−グルカン（例えばアルカリゲネス・フェカリス（Ａｌｃａｌｉｇｅｎｅｓ ｆａｅｃａｌｉｓ）より）、パラミロンＢ、１，３−β−グルカン（例えばミドリムシより）、リケニン（ｌｉｃｈｅｎｉｎ）、（１，３），（１，４）−β−グルカン（アイスランドゴケを包含する多様な供給源より）、スクレログルカン、（１，３），（１，６）−β−グルカン（例えばスクレロチウム・ロルフィー（Ｓｃｌｅｒｏｔｉｕｍ ｒｏｌｆｉｉ）より）、及びレンチネン（ｌｅｎｔｉｎｅｎ）、（１，３），（１，６）−β−グルカン（例えばシイタケより）が挙げられる。これら及び１，３−β−結合主鎖を持つその他の多糖類に関するさらなる詳細は、Ｂ．Ａ．ストーン（Ｓｔｏｎｅ）及びＡ．Ｅ．クラーク（Ｃｌａｒｋｅ）著、「（１（３）−β−グルカン類の化学及び生物学」（オーストラリア、ビクトリアのラ・トローブ大学出版、１９９２年）の６８〜７１ページ、及び８２〜８３ページに提供されており、参考として本明細書に組み入れる。
【００６７】
アラビノガラクタンの置換型及び／又は誘導型物質もまた、本発明において好ましい。これらの物質の非限定的な例には：カルボキシル及びヒドロキシメチル置換（例えば中性糖単位の代わりに幾つかのウロン酸）；アミノ多糖類（アミン置換）；カチオン性四級化された多糖類；Ｃ１〜Ｃ１８のアルキル化多糖類；アセチル化多糖類エーテル；付加したアミノ酸残基（糖タンパク質の小片）を有する多糖類；シリコーン部分を含有する多糖類が挙げられる。このような置換された及び／又は誘導体化された多糖類は、例えば：アミン置換が繊維の酸化的に損傷を受けた領域に結合する及び／又はそれと縮合して古くなった布地を若返らせることができる；アセチル化糖エーテル類は、過酸化水素が存在する場合、連続した工程で漂白活性化剤として作用することができる；アミノ酸残基を有する多糖類は、例えば、羊毛及び絹のようなタンパク質の繊維を含有する布地に対する布地ケア利益の送達を改善することができる；及びシリコーンから派生した多糖類は追加的な布地の滑らかさ及び平滑潤滑性を提供することができるというような追加的な利益を提供することができる。誘導体化されたアラビノガラクタンの例には、ラレックス社（Ｌａｒｅｘ、 Ｉｎｃ）から入手可能な３−クロロ−２−ヒドロキシプロピルトリメチル塩酸アンモニウム誘導体、及び上記で提供されたアラビノガラクタンタンパク質が挙げられる。
【００６８】
１，３−β−結合主鎖の本発明の布地ケア多糖類（１，３−β−ガラクタン、１，３−β−Ｄ−マンナン、１，３−β−Ｄ−キシラン、及び１，３−β−Ｄ−グルカンのような）は、擬似らせん構造を有する。このように、これらの多糖類は、柔軟性に富んだ主鎖を有し、水溶液においては球構造に巻いて、見かけの寸法（回転体積）を実質的に減少する傾向があり、これは拡張した寸法を有する１，４−β−グルカンの主鎖に相反するものである。１，３−β−結合の主鎖及び１，６−結合による拡張的分枝のある多糖類、又はらせん構造の多糖類、又は１，６−結合主鎖の多糖類は、１，６−結合の゛巻く゛性質のため、柔軟性が付加されている。水中ではこれらの１，３−β−結合主鎖及び１，６−分枝、例えばアラビノガラクタンの多糖類は、巻くことにより、小型で、柔軟性に富んだ、変形可能な微細粒子になる高度に柔軟性のある球構造を有する。例えば、公称分子量約１８，０００のアラビノガラクタンは、希釈水溶液中で大きさ（回転の長さ）５ｎｍ〜約１０ｎｍを有する。らせん構造をもつ球形多糖類のこの構造的特徴とランダムに巻く性質は、水溶解度、低粘度、及び乳化のような物理的特性を改善する。理論により制限されることなく、本発明の１，３−β−結合主鎖の布地ケア多糖類、例えばアラビノガラクタンの、球形で小型の柔軟性に富んだ構造的特性、及び低粘度は、多糖類の小球が粗い布地面に効率のよく付着すること、又はこれらの小球が利用可能な空間に適合するように配向し得る布地繊維上の開口部及び／又は欠損空間に適切に固着／充填することのいずれかにより、布地ケアの利益を提供する上で重要であると考えられている。その上、低濃度において、これらの低分子量（約１０，０００〜約１５０，０００）の本発明の多糖類の小球は、繊維及び／又は微小繊維を「スポット結合」により非常に有効に結合できると考えられている。このようにして、布地ケア多糖類の小球は多くの望ましい利益、例えば：異なる種類の布地、セルロース性の布地（綿、レーヨンなど）、ウール、絹などについて、布地の強化、布地の磨耗への抵抗及び／又は減少、皺の除去及び／又は減少、布地の毛玉の防止及び／又は減少、布地の色の保持及び／又は褪色減少、布地の色の復元、布地の汚れの減少、布地の形状保持、布地の萎縮減少、及び／又は布地の感触／滑らかさの改善、傷の減少を提供することができる。
【００６９】
上記で規定された分子量の範囲内にない、らせん構造をもつ多糖類は、異なる物理的特性、例えば低い溶解度及びゲル化の特徴を有する（例えばデンプン、高分子量の１，４−α−Ｄ−グルカン）。
本発明の球構造の布地ケア多糖類は、天然繊維、合成繊維、及びこれらの混合物から製造された布地を包含する、全ての種類の布地に対して、少なくとも幾つかの布地ケアの利益を提供することができる。布地ケアの利益を得るために、本発明の布地ケア組成物により処置し得る布地の種類の非限定的な例には、（１）セルロース繊維、例えば綿、レーヨン、リネン、テンセル、（２）タンパク質繊維、例えば絹、ウール、及び関連する哺乳類繊維、（３）合成繊維、例えばポリエステル、アクリル、ナイロンなど、（４）黄麻、亜麻、ラミー、コイア、カポック、サイザル、ヘネッケン、アバカ、麻布、及びサンヘンプからの長い植物繊維、及び（５）これらの混合物より製造される繊維が挙げられる。天然繊維及び／又は合成繊維により製造された他の平凡な基質及び／又は面、及び／又は不織布繊維、詰め物、カーペット、紙、使い捨て製品、フィルム、発泡体のような物質はまた、その特性を改善するために、１，３−β−結合主鎖の布地ケア多糖類により処置することができる。
【００７０】
具体的適用には、組成物は、使用される組成物の質量において約０．００１％〜約２０％の、好ましくは約０．０１％〜約１０％の、さらに好ましくは約０．１％〜約５％の球構造の布地ケア多糖類を含有することができる。本発明はまた、濃縮液体又は固体組成物に関し、これは「使用条件」で用いるため、使用濃度の組成物を形成するために希釈される。濃縮組成物は、濃縮布地ケア組成物の質量において、通常約１％〜約９９％の、好ましくは約２％〜約６５％の、さらに好ましくは約３％〜約４０％の高濃度の布地ケア多糖類を含む。提供される、目的の布地ケアの利益により、濃縮組成物はまた、比例して高濃度の望ましい任意成分を含む。
【００７１】
噴霧器から散布されるべき典型的な組成物は、球構造の布地ケア多糖類を、使用される組成物の質量において約０．０１％〜約５％、好ましくは約０．０５％〜約２％、さらに好ましくは約０．１％〜約１％含有する。
乾燥剤の添加された組成物は通常、球構造の布地ケア多糖類を、乾燥剤の添加された組成物の質量において約０．０１％〜約４０％の濃度で含有する。
【００７２】
（ｂ）付属的な布地ケアオリゴ糖類
任意ではあるが好ましい本発明の付属の布地ケア剤は、オリゴ糖類、特にオリゴ糖類の混合物、特に、イソマルトオリゴ糖類（ＩＭＯ）（混合物を包含する）、前記混合物の個々の成分、これらの置換型、これらの誘導型、及びこれらの混合物から成る群から選択される。付属の布地ケアオリゴ糖類は、布地の利益、例えば皺の除去及び／又は軽減、毛玉防止、磨耗防止、布地の色の保持、及び全体の見かけの利益を、特にセルロース繊維／織物、例えば綿、レーヨン、ラミー、黄麻、亜麻、リネン、ポリノジック繊維、リオセル（Ｌｙｏｃｅｌｌ）（テンセル（Ｔｅｎｃｅｌ（登録商標））、ポリエステル／綿混合物、他の綿混合物など、及びこれらの混合物、特に綿、レーヨン、リネン、ポリエステル／綿混合物に提供するのを助ける。
【００７３】
本発明において有用な好適な付属の布地ケアオリゴ糖類には重合度（ＤＰ）約１〜約１５、好ましくは約２〜約１０を有するオリゴ糖類が挙げられ、ここで、各モノマーは５及び／又は６の炭素原子を含有する還元糖から成る群から選択され、この還元糖には、イソマルトース、イソマルトトリオース、イソマルトテトラオース、イソマルトオリゴ糖、フラクトオリゴ糖、レボオリゴ糖（ｌｅｖｏｏｌｉｇｏｓａｃｃｈａｒｉｄｅｓ）、ガラクトオリゴ糖、キシロオリゴ糖、ゲンチオリゴ糖、二糖類、グルコース、フルクトース、ガラクトース、キシロース、マンノース、アラビノース、ラムノース、マルトース、スクロース、ラクトース、マルツロース（ｍａｌｔｕｌｏｓｅ）、リボース、リキソース、アロース、アルトロース、グロース、イドース、タロース、トレハロース、ニゲロース、コージビオース、ラクツロース、オリゴ糖類、マルトオリゴ糖、三糖類、四糖類、五糖類、六糖類、天然多糖類供給源の部分的加水分解物からのオリゴ糖類など、及びこれらの混合物が挙げられ、好ましくはイソマルトオリゴ糖の混合物、特に個々に約３〜約７単位のグルコースから成り、１，２−α、１，３−α、１，４−α、及び１，６−α−結合、及びこれらの結合の混合により結合したイソマルトオリゴ糖を包含する混合物である。β結合を含有するオリゴ糖類もまた好ましい。好ましいオリゴ糖類は非環式であり、及びα−１，４グリコシド結合ではない少なくとも１つの結合を有する。好ましいオリゴ糖類はＩＭＯ：０〜約２０質量％のグルコース、約１０〜約６５質量％のイソマルトース、約１質量％〜約４５質量％のイソマルトトリオース、イソマルトテトラオース（ｉｓｏｍａｌｔｅｔｒａｏｓｅ）及びイソマルトペンタオースのそれぞれ、０〜約３質量％のイソマルトヘキサオース、イソマルトヘプタオース、イソマルトオクタオース及びイソマルトノナオースのそれぞれ、約０．２質量％〜約１５質量％のイソマルトヘキサオース及びイソマルトヘプタオースのそれぞれ、及び０〜約５０質量％の２〜７のグルコース単位のイソマルトオリゴ糖類である前記混合物及び０〜約１０質量％の約７〜約１０のグルコース単位のイソマルトオリゴ糖類である前記混合物を含有する混合物である。質量パーセントによるおよその含量を伴った好ましい非環式オリゴ糖類のその他の非限定例は：
【００７４】
【表２】
2004500493.tif 000004
【００７５】
【表３】
2004500493.tif 000005
【００７６】
【表４】
2004500493.tif 000006
【００７７】
オリゴ糖混合物は、酵素反応により調製されるか、又は植物性の素材から天然生成物として分離される。オリゴ糖類の酵素による合成は二糖類又はそれ以上の糖類に、一つずつ、単糖類を付加して分枝オリゴ糖類を製造するか、又は多糖類が分解したあと分枝の位置へ糖類が転移するかのいずれかが必要である。例えば、オリゴ糖混合物Ｉ及びＩＩは、デンプンの酵素によるマルトオリゴ糖類への加水分解により調製され、これは次いでトランスグルコシダーゼ反応により、イソマルトオリゴ糖類に変換される。オリゴ糖混合物ＩＩＩは、例えば大豆から単離されたオリゴ糖類である。混合物ＩＩＩのような大豆オリゴ糖類は純粋に天然を起源とするものである。
環状オリゴ糖類もまた本発明の布地ケア組成物に有用であり得る。好ましい環状オリゴ糖類にはα−シクロデキストリン、β−シクロデキストリン、γ−シクロデキストリン、それらの分枝誘導体、例えばグルコシル−α−シクロデキストリン、ジグルコシル−α−シクロデキストリン、マルトシル−α−シクロデキストリン、グルコシル−β−シクロデキストリン、ジグルコシル−β−シクロデキストリン、及びこれらの混合物が挙げられる。シクロデキストリンはまた任意ではあるが非常に重要な臭気抑制の利益を提供し、以降により詳しく開示する。
【００７８】
オリゴ糖類の置換型及び／又は誘導型物質は上に記載したが、本発明においてまた好ましい。これらの物質の非限定的な例には：カルボキシル及びヒドロキシメチル置換（例えば、グルコースの代わりのグルクロン酸）；アミノオリゴ糖類（アミン置換、例えば、グルコースに代わるグルコサミン）；カチオン四級化オリゴ糖類；Ｃ１〜Ｃ６のアルキル化オリゴ糖類；アセチル化オリゴ糖類エーテル；結合されたアミノ酸残基を有するオリゴ糖類（糖タンパク質の小断片）；シリコーン部分を含有する多糖類が挙げられる。このような置換された及び／又は誘導体化された多糖類は、例えば：カルボキシル及びヒドロキシメチル置換は繊維の上に及び中に酸化可能物質を容易に導入することができるので繊維自体が漂白剤のような酸化剤によって酸化される可能性を減らすことができる；アミン置換が繊維の酸化的に損傷を受けた領域に結合する及び／又はそれと縮合して古くなった布地を若返らせることができる；アセチル化糖エーテル類は、過酸化水素が存在する場合、連続した工程で漂白活性化剤として作用することができる；アミノ酸残基を有するオリゴ糖類は、例えば、羊毛及び絹のようなタンパク質の繊維を含有する布地に対する布地ケア利益の送達を改善することができる；及びシリコーンから派生した多糖類は追加的な布の滑らかさ及び潤滑性を提供することができるというような追加的な利益を提供することができる。Ｃ６アルキルオリゴ糖は（その他の高級、ずなわち、Ｃ６〜Ｃ３０のアルキル多糖類と共に）、洗濯洗剤、身体及び毛髪清浄組成物、及び防火組成物のような泡形成組成物における泡形成剤に使用するために米国特許第４，５６５，６４７号（１９８６年１月２１日発行、レナード（Ｌｌｅｎａｄｏ））で開示されている。このＣ６アルキルオリゴ糖は、貧弱な界面活性剤であり、本発明の界面活性剤として用いるには好ましくないが、好ましくは米国特許番号第４，５６５，６４７号において、まだ知られていず、評価されていず、及び／又は開示されていない、布地ケアの利益を提供するのに用いることはできる。１９８４年１２月１８日に発行された米国特許番号第４，４８８，９８１号には、水性液体洗剤において幾つかのＣ１〜Ｃ６アルキル化オリゴ糖類（低級アルキルグリコシド）を用いると、粘度を減少し相分離が防止されることが開示されている。Ｃ１〜Ｃ６アルキル化オリゴ糖類は、米国特許番号第４，４８８，９８１号において、まだ知られていず、評価されていず、及び／又は開示されていない、布地ケアの利益を提供するのに用いることはできる。これらの特許は参考として引用し、本明細書に組み入れる。
【００７９】
布地ケアオリゴ糖はセルロース性繊維に吸収され、結合して繊維の特性を改善すると考えられている。布地ケアオリゴ糖はセルロース性繊維に結合されて、繊維の欠陥部位（非晶性領域）に拡散し、その部位を満たして、上記の皺の除去、強度の増加、及び見かけの改善の利益を提供すると考えられている。非晶性の非結晶領域の程度はセルロース性繊維のタイプによって変化し、例えば、Ｐ．Ｈ．ハーマンズ及びＡ．ウエイジンガー（Ｐ． Ｈ． Ｈｅｒｍａｎｓ ａｎｄ Ａ． Ｗｅｉｄｉｎｇｅｒ）が、ジャーナルオブポリマーサイエンス（第ＩＶ巻１３５〜１４４ページ、１９４９年）の中の「セルロースの結晶化度におけるＸ線による研究」で報告しているように、綿の相対的な結晶化度は約７０．％であり、レーヨンのような再生セルロースについてはそれは約３０．％である。非晶性領域は化学的及び物理的修飾に利用し易く、耐久性の加圧処理では、共有結合によってセルロースポリマーを架橋することができる分子で非晶性領域が満たされ、皺がないという利益を送達すると考えられている（「セルロース誘導体の架橋」、繊維科学と技術のハンドブック、第ＩＩ巻（１９８３年、Ｍ．レビン及びＳ．Ｂ．セロ（Ｍ． Ｌｅｗｉｎ ａｎｄ Ｓ． Ｂ．Ｓｅｌｌ）編集、マーセルデッカー（Ｍａｒｃｅｌ Ｄｅｋｋｅｒ）出版）の６ページにてＧ．Ｃ．テソロ（Ｇ． Ｃ． Ｔｅｓｏｒｏ）により引用されたＳ．Ｐ．ローランド（Ｓ． Ｐ． Ｒａｗｌａｎｄ）著「修飾されたセルロース誘導体」（１９７８年、Ｒ．Ｍ．ロウエル及びＲ．Ａ．ヤング（Ｒ． Ｍ． Ｒｏｗｅｌｌ ａｎｄ Ｒ． Ａ． Ｙｏｕｎｇ）編集、アカデミックプレス・ニューヨーク）の１４７〜１６７ページを参照のこと）。これらの文献は参考として引用し、本明細書に組み入れる。
【００８０】
具体的適用には、組成物は、使用される組成物の質量において約０．００１％〜約２０％の、好ましくは約０．０１％〜約１０％の、さらに好ましくは約０．１％〜約５％の任意ではあるが好ましいオリゴ糖を含有することができる。
噴霧器から散布される典型的な組成物は任意の布地ケアオリゴ糖を、使用される組成物の質量において約０．０１％〜約３％、好ましくは約０．０５％〜約２％、さらに好ましくは約０．１％〜約１％含有する。
乾燥剤の添加された組成物は、任意の布地ケアオリゴ糖を、乾燥剤の添加された組成物の質量において通常約０．０１％〜約４０％の、好ましくは約０．１％〜約２０％の、さらに好ましくは約１％〜約１０％の濃度で含有する。例えば噴霧のメカニズムにより布地に直接適用される、乾燥剤の添加された水性組成物は布地ケア多糖類を、組成物の質量において通常約０．０１％〜約２５％の、好ましくは約０．１％〜約１０％の、さらに好ましくは約０．２％〜約５％、一層さらに好ましくは約０．３％〜約３％の低濃度で含有する。
【００８１】
主要な布地ケア多糖類及び付属の布地ケアオリゴ糖類の両方共小型構造を有するが、異なる大きさを有する。より大きい多糖類は、織物繊維表面におけるより大きい開口部及び／又は欠損部位を充填することができる一方で、より小さいオリゴ糖類は綿繊維の非晶性領域のような小さい欠損部位に拡散し浸透し得ると考えられている。そのため、布地ケアの目的とする利益により主要な布地ケア多糖類、及び付属の布地ケア多糖類は単独で、又は混合して用いることができる。付属の布地ケア多糖類（例えばオリゴ糖類）が存在する場合、前記オリゴ糖類と布地ケア多糖類との間の質量比は通常、約１：９９〜約９９：１、好ましくは約１５：８５〜約８５：１５、及びさらに好ましくは約３０：７０〜約７０：３０である。
【００８２】
（ｃ）デンプン
デンプンは、デンプンにより布地が変形に対して抵抗するようになるため、通常好ましくない。しかしながらデンプンは、多くの場合に望まれる強化された「腰」を提供する。デンプンはアイロンかけと共に用いられるべき本発明の組成物において特に好ましい。さらに、１又はそれより多くの上記のシリコーン界面活性剤と組み合せて用いた場合、デンプンは着用中、望ましい皺抑制を提供することが認められている。使用する場合、デンプンは組成物に可溶化されるか、又は分散される。
いかなる種類のデンプン、例えばコーン、小麦、米、グレインソルガム、ワクシー・グレインソルガム（ｗａｘｙ ｇｒａｉｎ ｓｏｒｇｈｕｍ）、ワクシー・メイズ（ｗａｘｙ ｍａｉｚｅ）、又はタピオカ、又はこれらの混合物から得られるもの、及びそれらの水溶性又は散布性の修飾したもの又は誘導体が、本発明の組成物に用い得る。用い得る修飾デンプンには、天然デンプンが挙げられ、この天然デンプンは、低粘度を得るために、酸性、酸化、又は酵素による解重合によリ、分解されている。更に、低粘度の市販のプロポキシル化及び／又はエトキシル化デンプンも本発明の組成物において用いることができ、比較的高い固体濃度において低粘度であるために、噴霧の過程において非常に適合性がある。好適なアルコキシル化低粘度デンプンは、サブミクロンの大きさの疎水性のデンプン粒子であり、容易に水に散布し、顆粒デンプンを一官能性アルコキシル化剤によりアルコキシル化することにより調製され、この一官能性アルコキシル化剤はデンプンに、エーテルに結合した親水性基を提供する。それらの好適な調整方法は、米国特許番号第３，４６２，２８３号で教えられている。本発明により、プロポキシル化又はエトキシル化デンプン誘導体は水性媒質に散布するが、その量は使用される組成物の質量において、約０．１％〜約１０％、好ましくは約０．５％〜約６％、さらに好ましくは約１％〜約４％である。
【００８３】
５．香料
本発明の皺抑制組成物はまた、処置した布地に新鮮な印象を提供する「香りのシグナル」を、心地よい匂いの形態で任意に提供することができる。香りのシグナルは一瞬の香料の香りを提供するように設計され得る。香料を香りのシグナルとして加えるときは、きわめて低濃度、例えば使用組成物の質量において、約０〜約０．５％の、好ましくは約０．００３％〜約０．３％の、さらに好ましくは約０．００５％〜約０．２％の濃度で添加される。
香料はまた、さらに強い匂いとして製品及び布地に添加され得る。香料の強めの度合いが好ましい場合は、比較的高濃度の香料が添加され得る。
いかなる種類の香料も本発明の組成物に使用することができる。好ましい香料成分は布地及び衣服への適用のため用いるのに好適なものである。こうした好ましい成分の典型的な例は、１９９５年４月２９日にクビエトク（Ｋｖｉｅｔｏｋ）らに発行された、米国特許第５，４４５，７４７号に載っており、参考として引用し、本明細書に組み入れる。
【００８４】
布地上に長続きする芳香が望ましい場合は、約３００℃以上の沸点を有する香料成分の少なくとも有効量を用いることが好ましい。こうした好ましい成分の非限定的な例は、１９９６年３月１９日にベーコン（Ｂａｃｏｎ）らに発行された、米国特許第５，５５０，１３８号に載っており、参考として引用し、本明細書に組み入れる。布地を本発明の皺抑制組成物により処置した後に、香料成分をゆっくりと放出できる物質を用いることがまた好ましい。この種類の物質の例は１９９６年７月２日にセバーンズ（Ｓｅｖｅｒｎｓ）らに発行された、米国特許第５，５３１，９１０号に載っており、前記特許は参考として引用し、本明細書に組み入れる。
【００８５】
シクロデキストリンが存在する場合、組成物中の全ての香料がシクロデキストリンと錯体を形成するとしても、適切な臭いの抑制を行うために、依然として溶液中に有効濃度の非錯体型のシクロデキストリン分子が存在するような濃度で香料を添加することが必須である。シクロデキストリンが存在する場合、臭いの抑制を行うためシクロデキストリン分子の有効量を残すために、香料とシクロデキストリンの錯体が通常約９０％未満、好ましくは香料とシクロデキストリンの錯体が約５０％未満、さらに好ましくは香料とシクロデキストリンの錯体が約３０％未満、最も好ましくは香料とシクロデキストリンの錯体が約１０％未満になる濃度で香料は存在する。シクロデキストリンの香料に対するモル比は約５：１より大きく、好ましくは約８：１より大きく、さらに好ましくは約１０：１より大きく、一層さらに好ましくは約２０：１より大きく、尚さらに好ましくは約４０：１より大きく、及び最も好ましくは約７０：１より大きい。
好ましくは、香料は親水性であり、主に２つの群の成分から選択される成分、及びこれらの混合物から成るが、それは即ち（ａ）ＣｌｏｇＰ約３．５未満、さらに好ましくは約３．０未満を有する親水性成分、及び（ｂ）大幅に低い検出閾値を有する成分である。通常、質量において少なくとも約５０％、好ましくは少なくとも約６０％、さらに好ましくは少なくとも７０％、及び最も好ましくは少なくとも約８０％の香料が上記の群（ａ）及び（ｂ）の香料成分から成る。これらの好ましい香料において、シクロデキストリンの香料に対する質量比は通常約２：１〜約２００：１；好ましくは約４：１〜約１００：１、さらに好ましくは約６：１〜約５０：１、及び一層さらに好ましくは約８：１〜約３０：１である。
【００８６】
（ａ）親水性香料成分
親水性香料成分は水中でより可溶性であり、シクロデキストリンと錯体となる傾向がそれほどなく、及び従来の香料成分よりも、臭気吸収組成物の中で利用可能である。香料成分の疎水性の度合いは、そのオクタノール／水の分配係数Ｐに相関関係があり得る。香料成分のオクタノール／水への分配係数は、オクタノール中及び水中におけるその平衡濃度の間の比率である。大きな分配係数Ｐを有する香料成分ほど疎水性が高いと考えられる。逆に、小さな分配係数Ｐを有する香料成分ほど親水性が高いと考えられる。香料成分の分配係数は通常、高い値を有するので、それらの１０を底とする対数、ｌｏｇＰの形で示すと便利である。したがって、本発明の好ましい香料の親水性香料成分のｌｏｇＰの値は、約３．５又はそれより小さく、好ましくは約３．０又はそれより小さい。
【００８７】
多数の香料成分のｌｏｇＰの値が報告されており；例えば、デイライトケミカルインフォメーションシステム社（Ｄａｙｌｉｇｈｔ ＣＩＳ）（カリフォルニア州アーヴィン）より市販されるＰｏｍｏｎａ９２データベースには、元の文献の引用とともに多数のデータが記載されている。しかし、ｌｏｇＰ値は、最も簡単にはデイライトＣＩＳから入手できる「ＣＬＯＧＰ」プログラムにより計算される。このプログラムは、Ｐｏｍｏｎａ９２データベースにあるデータの実験的なｌｏｇＰの値も一覧にしている。「計算値ｌｏｇＰ（ＣｌｏｇＰ」）」は、ハンシュ及びレオの分画法によって決定される（参考として本明細書に組み入れるＡ．レオ（Ａ．Ｌｅｏ）著、「包括的医化学」（Ｃｏｍｐｒｅｈｅｎｓｉｖｅ Ｍｅｄｉｃｉｎａｌ Ｃｈｅｍｉｓｔｒｙ）第４巻、（Ｃ．ハンシュ、Ｐ．Ｇ．サメンス、Ｊ．Ｂ．テイラー及びＣ．Ａ．ラムスデン（Ｃ． Ｈａｎｓｃｈ、 Ｐ． Ｇ． Ｓａｍｍｅｎｓ、 Ｊ． Ｂ． Ｔａｙｌｏｒ ａｎｄ Ｃ． Ａ． Ｒａｍｓｄｅｎ）編集、ペルガモンプレス（Ｐｅｒｇａｍｏｎ Ｐｒｅｓｓ）、１９９０年）の２９５ページを参照のこと）。この分画法は、各香料成分の化学構造を基にして、原子の数と種類、原子の結合性、及び化学結合を考慮に入れている。このＣｌｏｇＰ値は、最も信頼性が高く、このような物理化学の特性を評価するために広く使用され、本発明に有効な香料成分を選択する際に、実験に基づくｌｏｇＰの値の代わりに使用される。
【００８８】
更に好ましい親水性香料成分の例は、アリルアミルグリコレート、アリルカプロエート、アミルアセテート、プロピオン酸アミル、アニスアルデヒド、アニシルアセテート、アニソール、ベンズアルデヒド、ベンジルアセテート、ベンジルアセトン、ベンジルアルコール、ベンジルホルマート、ベンジルイソバレレート、プロピオン酸ベンジル、β−γ−ヘキセノール、カローン、カンファーゴム、左旋性カルベオール、ｄ−カルボン、左旋性カルボン、シンナミックアルコール、シンナミルアセテート、シンナミックアルコール、シンナミルホルマート、プロピオン酸シンナミル、シス−ジャスモン、シス３−ヘキセニルアセテート、クマリン、クミニックアルコール、クミニックアルデヒド、シクラルＣ、シクロガルバネート、ジヒドロオイギノール、ジヒドロイソジャスモネート、ジメチルベンジルカルビノール、ジメチルベンジルカルビニルアセテート、エチルアセテート、エチルアセトアセテート、エチルアミルケトン、エチルアントラニレート、エチルベンゾエート、エチルブチレート、エチルシンナメート、エチルヘキシルケトン、エチルマルトール、エチル−２−メチルブチレート、エチルメチルフェニルグリシデート、エチルフェニルアセテート、エチルサリチレート、エチルバニリン、オイカリプトール、オイゲノール、オイゲニルアセテート、オイゲニルホルマート、オイゲニルメチルエーテル、フェンチルアルコール、フロラアセテート（トリシクロデセニルアセテート）、フルクトン、フルテン（トリシクロプロピオン酸デセニル）、ゲラニオール、ゲラニルオキシアセトアルデヒド、ヘリオトロピン、ヘキセノール、ヘキセニルアセテート、ヘキシルアセテート、ヘキシルホルマート、ヒノキチオール、ヒドロアトロピックアルコール、ヒドロキシシトロネラール、ヒドロキシシトロネラールジエチルアセタール、ヒドロキシシトロネロール、インドール、イソアミルアルコール、イソシクロシトラール、イソオイゲノール、イソオイゲニルアセテート、イソメントン、イソプレギルアセテート、イソキノリン、ケオン、リグストラル、リナロール、リナロールオキシド、リナリルホルマート、ライラール、メントン、メチルアセトフェノン、メチルアミルケトン、メチルアントラニレート、メチルベンゾエート、メチルベンジルアセテート、メチルシンナメート、メチルジヒドロジャスモネート、メチルオイゲノール、メチルヘプテノン、メチルヘプチンカルボネート、メチルヘプチルケトン、メチルヘキシルケトン、メチルイソブテニルテトラヒドロピラン、メチル−Ｎ−メチルアントラニレート、メチル−β−ナフチルケトン、メチルフェニルカルビニルアセテート、メチルサリシレート、ネロール、ノナラクトン、オクタラクトン、オクチルアルコール（オクタノール２）、パラ−アニスアルデヒド、パラ−クレゾール、パラ−クレシルメチルエーテル、パラ−ヒドロキシフェニルブタノン、パラ−メトキシアセトフェノン、パラ−メチルアセトフェノン、フェノキシエタノール、プロピオン酸フェノキシエチル、フェニルアセトアルデヒド、フェニルアセトアルデヒドジエチルエーテル、フェニルエチルアキシアセトアルデヒド、フェニルエチルアセテート、フェニルエチルアルコール、フェニルエチルジメチルカルビノール、プレニルアセテート、プロピルブチレート、プレゴン、ローズオキシド、サフロール、テルピネオール、バニリン、ビリジン、及びそれらの混合物であるが、これらに限定されない。
【００８９】
本発明の香料組成物に使用し得る、その他の好ましい親水性香料成分の非限定的な例は、アリルヘプトエート、アミルベンゾエート、アネトール、ベンゾフェノン、カルバクロール、シトラール、シトロネロール、シトロネリルニトリル、シクロヘキシル酢酸エチル、サイマール、４−デセナ−ル（ｄｅｃｅｎａｌ）、ジヒドロイソジャスモネート、ジヒドロミルセノール（ｍｙｒｃｅｎｏｌ）、エチルメチルフェニルグリシデート、フェンチルアセテート、フロリドラル（ｆｌｏｒｈｙｄｒａｌ）、γ−ノナラクトン、ゲラニルホルマート、ゲラニルニトリル、ヘキセニルイソブチレート、α−イオノン、イソボルニルアセテート、イソブチルベンゾエート、イソノニルアルコール、イソメントール、パラ−イソプロピルフェニルアセトアルデヒド、イソプレゴール、リナリルアセテート、２−メトキシナフタレン、メンチルアセテート、メチルカビコール、ムスクケトン、β−ナフトールメチルエーテル、ネラール、ノニルアルデヒド、フェニルヘプタノール、フェニルヘキサノール、ターピニルアセテート、ベラトロール、ヤラ−ヤラ（ｙａｒａ−ｙａｒａ）、及びそれらの混合物である。
本発明用いられる好ましい香料組成物は、少なくとも４つの異なる親水性香料成分、好ましくは少なくとも５つの異なる親水性香料成分、さらに好ましくは少なくとも６つの異なる親水性香料成分、及び一層さらに好ましくは少なくとも７つの異なる親水性香料成分を含有する。天然資源から得られる、最も一般的な香料成分は、多数の成分から成る。こうした各物質が本発明の好ましい香料組成物の配合に用いられる場合、本発明の定義上は１つの単一成分として数えられる。
【００９０】
（ｂ）低い臭気検出閾値の香料成分
匂いのある物質の匂い検出閾値とは、嗅覚で感知できる物質の最低蒸気濃度である。臭気検出閾値及びいくつかの臭気検出閾値の値は、例えば、「標準化されたヒト嗅覚の閾値」（Ｍ．デボス（Ｍ． Ｄｅｖｏｓ）ら、１９９０年、オックスフォード大学プレスのＩＲＬプレス）、及び「臭気及び味覚の閾値の値に関するデータ集」（Ｃｏｍｐｉｌａｔｉｏｎ ｏｆ Ｏｄｏｒ ａｎｄ Ｔａｓｔｅ Ｔｈｒｅｓｈｏｌｄ Ｖａｌｕｅｓ Ｄａｔａ）（Ｆ．Ａ．ファザラリ（Ｆａｚｚａｌａｒｉ）編、ＡＳＴＭデータシリーズＤＳ４８Ａ、全米材料試験協会、１９７８年）で議論されており、前記文献の双方とも参考として組み入れる。匂い検出閾値の低い少量の香料成分を使用すると、たとえ上述の香料成分の（ａ）群ほど親水性が高くないとしても、香料の匂いの特性を改善することができる。上述の（ａ）群に属さない香料成分ではあるが、著しく低い検出閾値を有し、本発明の組成物に有効である香料成分は、アンブロックス、バクダノール、ベンジルサリチラート、ブチルアントラニレート、セタロックス、ダマスセノン、α−ダマスコーン、γ−ドデカラクトン、エバノール、ハーババート、シス−３−ヘキセニルサリチラート、α−イオノン、β−イオノン、α−イソメチルイオノン、リリアル、メチルノニルケトン、γ−ウンデカラクトン、ウンデシレンアルデヒド、及びそれらの混合物から成る群から選択される。これらの物質は、（ａ）群の親水性成分に加えて、好ましくは低濃度で存在し、本発明の総香料組成物の、典型的には約２０質量％未満、好ましくは約１５質量％未満、更に好ましくは約１０質量％未満である。しかし、効果を示すためには低濃度しか必要としない。
【００９１】
更に（ａ）群の親水性成分にはきわめて低い検出閾値の成分があり、特に本発明の組成物には有効である。これらの成分の例は、アリルアミルグリコレート、アネトール、ベンジルアセトン、カローン、シンナミックアルコール、クマリン、シクロガルバネート、サイクラルＣ、サイマール、４−デセナール、ジヒドロイソジャスモネート、エチルアントラニレート、エチル−２−メチルブチレート、エチルメチルフェニルグリシデート、エチルバニリン、オイゲノール、フローアセテート、フローヒドラル、フラクトン、フルテン、ヘリオトロピン、ケオン、インドール、イソシクロシトラール、イソオイゲノール、ライラール、メチルヘプチンカーボネート、リナロール、メチルアントラニレート、メチルジヒドロジャスモネート、メチルイソブテニルテトラヒドロピラン、メチル−β−ナフチルケトン、β−ナフトールメチルエーテル、ネロール（ｎｅｒｏｌ）、パラ−アニスアルデヒド、パラーヒドロキシフェニルブタノン、フェニルアセトアルデヒド、バニリン、及びそれらの混合物である。匂い検出閾値の低い香料成分を使用すると、大気中に放散する有機物質の濃度を最小限にする。
【００９２】
６．抗細菌性活性物質
これらの水性製品は、特に水性組成物中では特定の微生物にとって主要な繁殖場所となる可能性があるため、任意ではあるが、好ましくは、可溶性、水溶性抗細菌防腐剤が本発明の組成物に添加され得る。この欠点は結果として、かなり長い、いかなる期間におけるこれらの溶液の保存安定性の問題につながる。特定の微生物による汚染とその後の細菌の成長により、溶液は見苦しく及び／又は悪臭がひどくなる。水溶液中における細菌の成長は、それが生じた場合には極めて好ましくないことであり、本特許の対象製品のような、好ましくは透明、水性の消費者向け製品の保存安定性を高めるために、細菌の成長を抑制及び／又は規制するのに有効な可溶性、水溶性の抗細菌防腐剤を包含することは極めて好ましい。
【００９３】
これらの製品の原材料において見出し得る典型的な微生物、及び結果の水溶液において見出し得るその成長には、グラム陰性菌、及びグラム陽性菌の両方の細菌が挙げられる。汚染グラム陰性菌には、大腸菌及び緑膿菌のような属が挙げられ、幾つかの水の供給源に見出されるかも知れず、調製の間にこれらの溶液に混入する可能性がある。他のシュードモナス属、例えばセパシア菌は、界面活性剤製造施設における典型的な汚染細菌であり、包装された最終製品を容易に汚染するかもしれない。典型的な他のグラム陰性菌の汚染細菌には、バークホルデリア、エンテロバクター、及びグラコノバクター属が挙げられる。グラム（＋）種には、例えばＢ．ｃｅｒｅｕｓ及びＢ．ｓｐｈａｅｒｉｃｕｓのようなバチルス（Ｂａｃｉｌｌｕｓ）種を挙げてもよいし；例えば、Ｓ．ａｕｒｅｕｓのようなスタフィロコッカス（Ｓｔａｐｈｙｌｏｃｏｃｃｕｓ）種のようなその他のグラム（＋）を挙げてもよい。
【００９４】
汚染真菌にはアスペルギルス属が挙げられるであろう。
そのため、広域スペクトルの防腐剤、例えば、細菌（グラム陰性及びグラム陽性の両方）及び真菌の両方に有効な防腐剤を使用することが好ましい。スペクトルの限定された防腐剤、例えば単一の微生物群、例えばカビにしか有効ではない防腐剤は、優れた活性及び／又は補足する活性を有する、広域スペクトル防腐剤又はその他のスペクトルの限定された防腐剤と組み合わせて使用し得る。広域スペクトル防腐剤の混合物も又使用し得る。汚染細菌の特定の群が（グラム陰性のように）問題がある場合には、上記のようなアミノカルボキシレートキレート化剤を単独で又は強化剤として、その他の防腐剤とともに使用し得る。例えば、エチレンジアミン四酢酸（ＥＤＴＡ）、ヒドロキシエチレンジアミン三酢酸、ジエチレントリアミン五酢酸（ＤＴＰＡ）、及びその他のアミノカルボキシレートキレート化剤、及びこれらの混合物、及びホスホン酸塩を包含するそれらの塩、及びこれらの混合物を包含するこれらのキレート化剤は、グラム陰性細菌、とりわけシュードモナス（Ｐｓｅｕｄｏｍｏｎａｓ）属に対する防腐剤の有効性を増大する。
【００９５】
本発明に有効な抗菌防腐剤には、生物致死性化合物すなわち殺微生物物質、又は制生剤化合物すなわち微生物の増殖を阻害する及び／又は抑制する物質が含まれる。好ましい抗細菌防腐剤は、水溶性であって、低濃度で有効なものである。本発明に有効な水溶性防腐剤は、１００ｍｌの水に少なくとも約０．３ｇの水への溶解性、すなわち、室温で約０．３％より大きい、好ましくは室温で約０．５％より大きい水への溶解性を有する防腐剤である。
本発明の水溶性抗細菌防腐剤は、有効量にて包含される。本明細書において定義される「有効量」という言葉は、具体的な期間の間、腐敗を防止、又は包装製品に不適切に添加された微生物の成長を防止するのに十分な濃度を意味する。換言すれば、防腐剤は、組成物が付着する面上の微生物を殺すのに用いられるのではない。代わりに、それは好ましくは製品の溶液の腐敗を防止し、組成物の貯蔵寿命を長くするために用いられる。防腐剤の好ましい濃度は使用組成物の質量において、約０．０００１％〜約０．５％、さらに好ましくは約０．０００２％〜約０．２％、最も好ましくは約０．０００３％〜約０．１％である。
【００９６】
防腐剤は布地の見かけを損なう、例えば変色、着色、漂白を生じないであろう、いかなる有機防腐剤物質であることもできる。好ましい水溶性防腐剤には、有機イオウ化合物、ハロゲン化化合物、環状有機窒素化合物、低分子量のアルデヒド、第四級アンモニウム化合物、デヒドロ酢酸、フェニル化合物、及びフェノール化合物、アルコール溶媒、及びそれらの混合物が含まれる。
以下に記載するのは、本発明への使用に好ましい水溶性防腐剤の非限定的な例である。より完全なリストは米国特許第５，７１４，１３７号に見出され、これ以前において参考として引用し本明細書に組み込まれている。
【００９７】
（ａ）有機イオウ化合物
本発明への使用に好ましい水溶性防腐剤は、有機イオウ化合物である。本発明に用いるのに好適な有機イオウ化合物の幾つかの非限定的な例は以下である：
（ｉ）３−イソチアゾロン化合物
好ましい防腐剤は、３−イソチアゾロン基を含有する抗細菌有機防腐剤である。このクラスの化合物は、米国特許第４，２６５，８９９号（ルイス（Ｌｅｗｉｓ）ら、１９８１年５月５日発行）に開示されており、参考として引用し本明細書に組み入れる。好ましい防腐剤は、５−クロロ−２−メチル−４−イソチアゾリン−３−オン及び２−メチル−４−イソチアゾリン−３−オンの水溶性混合物であり、さらに好ましくは約７７％の５−クロロ−２−メチル−４−イソチアゾリン−３−オン及び約２３％の２−メチル−４−イソチアゾリン−３−オンの混合物であり、商品名カトン（Ｋａｔｈｏｎ（登録商標））ＣＧとしてローム・アンド・ハース社（ＲｏｈｍａｎｓｄＨａａｓＣｏｍｐａｎｙ）より市販されている、１．５％水溶液としての広域スペクトル防腐剤である。
【００９８】
カトン（Ｋａｔｈｏｎ（登録商標））を本発明の防腐剤として使用するとき、組成物の質量において約０．０００１％〜約０．０１％、好ましくは約０．０００２％〜約０．００５％、さらに好ましくは約０．０００３％〜約０．００３％、最も好ましくは約０．０００４％〜約０．００２％の濃度で存在する。
その他のイソチアゾリンには、１，２−ベンズイソチアゾリン−３−オンが、商品名プロキセル（Ｐｒｏｘｅｌ（登録商標））製品として入手可能であり；そして２−メチル−４，５−トリメチレン−４−イソチアゾリン−３−オンが、商品名プロメキサル（Ｐｒｏｍｅｘａｌ（登録商標））して入手可能である。プロキセル（Ｐｒｏｘｅｌ）及びプロメキサル（Ｐｒｏｍｅｘａｌ）の両方ともゼネカ（Ｚｅｎｅｃａ）より市販されている。それらは、広範囲のｐＨ（すなわち、４〜１２）で安定性を示す。いずれも活性ハロゲンを含有せず、そしていずれもホルムアルデヒド放出防腐剤ではない。プロキセル（Ｐｒｏｘｅｌ）及びプロメキサル（Ｐｒｏｍｅｘａｌ）の両方とも、使用する組成物の約０．００１〜約０．５質量％、好ましくは約０．００５〜約０．０５質量％、及び最も好ましくは約０．０１〜約０．０２質量％の濃度で使用すると、典型的なグラム陰性及びグラム陽性バクテリア、カビ、及び酵母に有効である。
【００９９】
（ｉｉ）ナトリウムピリチオン
その他の好ましい有機イオウ防腐剤は、水への溶解度が約５０％であるナトリウムピリチオンである。ナトリウムピリチオンを本発明の防腐剤として使用するとき、典型的には使用する組成物の約０．０００１〜約０．０１質量％、好ましくは約０．０００２〜約０．００５質量％、更に好ましくは約０．０００３〜約０．００３質量％の濃度で存在する。
好ましい有機イオウ化合物の混合物も又、本発明の防腐剤として使用し得る。
【０１００】
（ｂ）ハロゲン化化合物
本発明への使用に好ましい防腐剤は、ハロゲン化合物である。本発明に用いるのに好適なハロゲン化化合物の幾つかの非限定的な例は以下である：
５−ブロモ−５−ニトロ−１，３−ジオキサンで、ヘンケル（Ｈｅｎｋｅｌ）より、商品名ブロニドックスＬ（ＢｒｏｎｉｄｏｘＬ（登録商標））として入手可能である。ブロニドックスＬ（Ｂｒｏｎｉｄｏｘ Ｌ（登録商標））は、水に約０．４６％の溶解度を有する。ブロニドックス（Ｂｒｏｎｉｄｏｘ）が防腐剤として本発明に用いられる場合は、使用組成物の質量において通常約０．０００５％〜約０．０２％、好ましくは約０．００１％〜約０．０１％の濃度で存在する。
２−ブロモ−２−ニトロプロパン−１，３−ジオールが商品名ブロノポール（Ｂｒｏｎｏｐｏｌ（登録商標））としてイノレックス（Ｉｎｏｌｅｘ）より入手可能であり、これは本発明の防腐剤として用い得る。ブロノポール（Ｂｒｏｎｏｐｏｌ）の水への溶解度は約２５％である。ブロノポールが、本発明の防腐剤として使用されるとき、典型的な濃度は使用する組成物の約０．００２〜約０．１質量％、好ましくは約０．００５〜約０．０５質量％である。
【０１０１】
通常はクロラルヘキシジンとして知られ、その、例えば酢酸及びグルコン酸との塩は本発明において防腐剤として使用し得る１，１’−ヘキサメチレン−ビス−（５−（ｐ−クロロフェニル）ビグアニド）ジグルコン酸塩は高い水溶性、すなわち水に対し約７０％の溶解度を示し、二酢酸塩は水に対し約１．８％の溶解度を示す。クロルヘキシジンが本発明の防腐剤として用いられる場合、使用組成物の質量において通常約０．０００１％〜約０．０４％、好ましくは約０．０００５％〜約０．０１％の濃度で存在する。
【０１０２】
１，１，１−トリクロロ−２−メチルプロパン−２−オルは、通常、クロロブタノールとして知られ、水への溶解度は約０．８％であり；典型的なクロロブタノールの有効濃度は、使用する組成物の約０．１〜約０．５質量％である。
水への溶解度が約５０％である、４，４’−（トリメチレンジオキシ）ビス−（３−ブロモベンザミジン）ジイセチオネート、又はジブロモプロパミジンは；本発明の防腐剤として使用する場合は、典型的には組成物の約０．０００１〜約０．０５％、好ましくは約０．０００５〜約０．０１％の濃度で存在する。
好ましいハロゲン化合物の混合物は、本発明の防腐剤としても使用し得る。
【０１０３】
（ｃ）環状有機窒素化合物
本発明への使用に好ましい水溶性の防腐剤は環状有機窒素化合物である。本発明に用いるのに好適な環状有機窒素化合物の幾つかの非限定的な例は以下のようなものである：
【０１０４】
（ｉ）イミダゾリジンジオン化合物
本発明への使用に好ましい防腐剤は、イミダゾリジンジオン（ｉｍｉｄａｚｏｌｉｄｉｎｅｄｉｏｎｅ）化合物である。本発明に用いるのに好適なイミダゾリジンジオン化合物の幾つかの非限定的な例は以下のようなものである：
１，３−ビス（ヒドロキシメチル）−５，５−ジメチル−２，４−イミダゾリジンジオンは、通常はジメチロールジメチルヒダントイン、又はＤＭＤＭヒダントインとして知られ、例えばグリダント（Ｇｌｙｄａｎｔ（登録商標））としてロンザ（Ｌｏｎｚａ）より入手可能である。ＤＭＤＭヒダントインは、水への溶解度が約５０％より大きく、主として細菌に有効である。ＤＭＤＭヒダントインを用いる場合、カトン（Ｋａｔｈｏｎ）ＣＧ（登録商標）、又はホルムアルデヒドのような広域防腐剤との組み合せで用いることが好ましい。好ましい混合物は、ＤＭＤＭヒダントイン：３−ブチル−２−ヨードプロピニルカルバメートが約９５：５の混合物であり、グリダントプラス（Ｇｌｙｄａｎｔ Ｐｌｕｓ（登録商標））という商品名でロンザ社（Ｌｏｎｚａ）より入手可能である。グリダントプラス（Ｇｌｙｄａｎｔ Ｐｌｕｓ（登録商標））を本発明の防腐剤として用いる場合、通常は、使用組成物の質量において約０．００５％〜約０．２％の濃度で存在する；
Ｎ−［１，３−ビス（ヒドロキシメチル）２，５−ジオキソ−４−イミダゾリジニル］−Ｎ，Ｎ’−ビス（ヒドロキシメチル）尿素は、通常はジアゾリジニル尿素として知られ、ジャーマルＩＩ（Ｇｅｒｍａｌｌ）（登録商標）という商品名でサットンラボラトリー社（ＳｕｔｔｏｎＬａｂｏｒａｔｏｒｉｅｓ、Ｉｎｃ．（サットン、Ｓｕｔｔｏｎ））より入手可能であり、本発明の防腐剤として用い得る。ジャーマル（Ｇｅｒｍａｌｌ）ＩＩ（登録商標）は本発明の防腐剤として使用され、通常は使用組成物の質量において約０．０１％〜約０．１％の濃度で存在する；
Ｎ，Ｎ”−メチレン−ビス−［Ｎ’−［１−（ヒドロキシメチル）−２，５−ジオキソ−４−イミダゾリジニル］尿素］は、通常はイミダゾリジニル尿素として知られ、例えば、商品名アビオール（Ａｂｉｏｌ）（登録商標）として、３Ｖ−シグマ（３Ｖ−Ｓｉｇｍａ）より、ユニサイドＵ１３（ＵｎｉｃｉｄｅＵ−１３）（登録商標）としてインダケム（Ｉｎｄｕｃｈｅｍ）より、ジャーマル１１５（Ｇｅｒｍａｌｌ１１５）（登録商標）としてサットン（Ｓｕｔｔｏｎ）より入手可能であり、本発明の防腐剤として用い得る。イミダゾリジニル尿素を本発明の防腐剤として使用するとき、典型的には、使用する組成物の約０．０５〜約０．２質量％の濃度で存在する。
好ましいイミダゾリジンジオン化合物の混合物も又、本発明の防腐剤として使用し得る。
【０１０５】
（ｉｉ）ポリメトキシ二環式オキサゾリジン
別の好ましい水溶性環状有機窒素防腐剤は、ポリメトキシ二環式オキサゾリジンであり、商品名ヌオセプト（Ｎｕｏｓｅｐｔ（登録商標））Ｃとしてフルス・アメリカ（Ｈｕｌｓ Ａｍｅｒｉｃａ）より入手可能である。ヌオセプト（Ｎｕｏｓｅｐｔ（登録商標））Ｃを防腐剤として用いる場合、通常は、使用組成物の質量において約０．００５％〜約０．１％の濃度で存在する。
更に好ましい環状有機窒素化合物の混合物も、本発明の防腐剤として使用し得る。
【０１０６】
（ｄ）低分子量のアルデヒド類及びアルコール類
（ｉ）ホルムアルデヒド
本発明への使用に好ましい防腐剤は、ホルムアルデヒドである。ホルムアルデヒドは、通常はホルムアルデヒドの３７％水溶液であるホルマリンとして市販される広域スペクトルの防腐剤である。本発明の防腐剤としてホルムアルデヒドを用いる場合、典型的なレベルは使用組成物の約０．００３質量％〜約０．２質量％、好ましくは約０．００８質量％〜約０．１質量％、さらに好ましくは約０．０１質量％〜約０．０５質量％である。
【０１０７】
（ｉｉ）グルタルアルデヒド
本発明への使用に好ましい防腐剤は、グルタルアルデヒドである。グルタルアルデヒドは水溶性で、広域スペクトルの防腐剤であり、通常は２５％又は５０％の水溶液で市販される。グルタルアルデヒドが、本発明の防腐剤として使用されるとき、典型的な濃度は使用する組成物の約０．００５〜約０．１質量％、好ましくは約０．０１〜約０．０５質量％である。
【０１０８】
（ｉｉｉ）エタノール
本発明における好ましい強化剤又は保存増強剤は、エタノールのようなアルコールであってもよく、使用中噴霧製品の乾燥を助け、ビン詰め製品における防腐システムの有効性を高めるために溶媒の有効量は、組成物の好ましくは約１質量％〜約１５質量％、さらに好ましくは約１質量％〜約１０質量％、最も好ましくは約１質量％〜約５質量％であってもよい。
【０１０９】
（ｅ）第四級化合物
本発明への使用に好ましい防腐剤は陽イオン及び／又は第四級化合物である。このような化合物にはポリアミノプロピルビグアニドが含まれ、ポリヘキサメチレンビグアニドとしても知られ、次の一般式を有する：
ＨＣｌ・ＮＨ２−（ＣＨ２）３−［−（ＣＨ２）３−ＮＨ−Ｃ（＝ＮＨ）−ＮＨ−Ｃ（＝ＮＨ・ＨＣｌ）−ＮＨ−（ＣＨ２）３−］ｘ−（ＣＨ２）３−ＮＨ−Ｃ（＝ＮＨ）−ＮＨ・ＣＮ
ポリアミノプロピルビグアニドは、２０％水溶液としてコスモシル（Ｃｏｓｍｏｃｉｌ）ＣＱ（登録商標）という商品名でＩＣＩアメリカズ（ＩＣＩＡｍｅｒｉｃａｓ、Ｉｎｃ．）より、又はミクロキル（Ｍｉｋｒｏｋｉｌｌ）（登録商標）という商品名でブルック（Ｂｒｏｏｋｓ、Ｉｎｃ．）より市販されている水溶性の広域スペクトル防腐剤である。
【０１１０】
例えば、商品名ダウィシル（Ｄｏｗｉｃｉｌ）２００のもとダウコーニングから入手可能な１−（３−クロロアリル）−３，５，７−トリアザ−１−アゾニアアダマンタンクロリドは、有効な第四級アンモニウム防腐剤である。それは大量に水に溶けるが、変色（黄色）する傾向があるのであまり好ましくない。
好ましい第四級アンモニウム化合物の混合物も又、本発明の防腐剤として使用し得る。
四級アンモニウム化合物を本発明の防腐剤として使用するとき、それらは典型的には、使用する組成物の約０．００５〜約０．２質量％、好ましくは約０．０１〜約０．１質量％の濃度で存在する。
【０１１１】
（ｆ）デヒドロ酢酸
本発明への使用に好ましい防腐剤は、デヒドロ酢酸である。デヒドロ酢酸は広域スペクトの防腐剤であり、水溶性となるように、好ましくはナトリウム塩又はカリウム塩の形である。この防腐剤は、生物致死性防腐剤というよりは制生防腐剤として作用する。デヒドロ酢酸を防腐剤として使用するとき、典型的には、使用する組成物の約０．００５〜約０．２質量％、好ましくは約０．００８〜約０．１質量％、更に好ましくは約０．０１〜約０．０５質量％の濃度で存在する。
【０１１２】
（ｇ）フェニル化合物及びフェノール化合物
本発明への使用に好適なフェニル化合物及びフェノール化合物の幾つかの非限定的な例は：
通常はプロパミジンイセチオネートとして知られる、水への溶解度が約１６％である、４，４’−ジアミジノ−α、ω−ジフェノキシプロパンジイセチオネート；及び通常はヘキサミジンイセチオネートとして知られる４，４’−ジアミジノ−α、ω−ジフェノキシヘキサンジイセチオネートである。典型的なこれらの塩の有効濃度は、使用する組成物の約０．０００２〜約０．０５質量％である。
その他の例は、水への溶解度が約４％であるベンジルアルコール；水への溶解度が約２％の２−フェニルエタノール；及び水への溶解度が約２．６７％の２−フェノキシエタノールであり；これらのフェニルアルコール及びフェノキシアルコールの典型的な有効濃度は、使用する組成物の約０．１〜約０．５質量％である。
【０１１３】
（ｈ）これらの混合物
本発明の防腐剤は、広範囲の微生物を抑制するために、混合物として使用し得る。
静菌効果は、水性組成物において、組成物のｐＨを酸のｐＨ、例えばｐＨ約４未満、好ましくはｐＨ約３未満、又は塩基のｐＨ、例えばｐＨ約１０より大きく、好ましくはｐＨ約１１より大きく調整することにより得られることもある。低いｐＨは細菌汚染を最小にする可能性があるため、低いｐＨは本発明において好適な方法である。高いｐＨ１０、好ましくは約１１より高いｐＨも、細菌の汚染及び抗菌汚染を最小限に抑える可能性があるが、最適なシクロデキストリンが存在する場合、シクロデキストリンがイオン化され、これによって幾つかの臭気分子を複合化する有効性が低下するので、高いｐＨは好ましくない。高いｐＨは皮膚刺激も招きうる。そのため、本発明の水性組成物は、約３〜約６のｐＨを、好ましくは約４〜約６を、さらに好ましくは約４．５〜約６のｐＨを有する必要がある。ｐＨは通常、（ＨＣｌ）又はＮａＯＨのような無機分子により調整される。
【０１１４】
７．アミノカルボキシレートキレート化剤
キレート化剤、例えばエチレンジアミン四酢酸（ＥＤＴＡ）、ヒドロキシエチレンジアミン三酢酸、ジエチレントリアミン五酢酸（ＤＴＰＡはまた商業的にはデクエスト（Ｄｅｑｕｅｓｔ）２０６０として知られている）、アミノトリ（メチレンホスホン酸）五ナトリウム塩（商業的にはデクエスト（Ｄｅｑｕｅｓｔ）２００６として知られている）、及び他のアミノカルボキシレートキレート化剤、及びこれらの混合物、及びこれらの塩及びホスホン酸塩、及びこれらの混合物は、グラム陰性細菌、特にシュードモナス属に対する抗細菌及び防腐剤の有効性を高めるため、任意に用い得る。ＥＤＴＡ／ＤＴＰＡ、及び他のアミノカルボキシレートキレート化剤への感度は、主にシュードモナス属の特徴的であるが、他の細菌属もキレート化剤に対して高い感度を有し、これらにはアクロモバクター属、アルカリゲネス属、アゾトバクター属、エシェリキア属、サルモネラ属、スピリルム属、及びビブリオ属が挙げられる。真菌及びイースト菌を包含する、他の微生物の群もまた、これらのキレート化剤に対して高い感度を示す。その上、アミノカルボキシレートキレート化剤は、例えば製品の透明性の保持、芳香及び香料成分の保護、及び酸敗及び悪臭の防止を援助し得る。
【０１１５】
これらのアミノカルボキシレートキレート化剤は、それ自体は効き目のある殺生物剤ではないかもしれないが、本発明の組成物の、他の抗菌剤／防腐剤の性能を改善する強化剤として機能する。アミノカルボキシレートキレート化剤は、多くのカチオン系、アニオン系、及び非イオン系抗菌剤／防腐剤、及びフェノール化合物、及びイソチアゾリノンであって、本発明の組成物において抗菌剤／防腐剤として用いられるものの性能を強化することができる。溶液中のアミノカルボキシレートキレート化剤により強化されるカチオン系の抗菌剤／防腐剤の非限定的な例には、クロルヘキシジン塩（ジグルコン酸塩、ジ酢酸塩、及びジヒドロクロリド塩が挙げられる）、及びまたダウィシル（Ｄｏｗｉｃｉｌ）２００、ダウィサイド（Ｄｏｗｉｃｉｄｅ）Ｑ、プリベントール（Ｐｒｅｖｅｎｔｏｌ）Ｄ１としても知られクアテルニウム−１５（Ｑｕａｔｅｒｎｉｕｍ−１５）、塩化ベンザルコニウム、セトリモニウム、ミリスタリコニウムクロリド（ｍｙｒｉｓｔａｌｋｏｎｉｕｍ ｃｈｌｏｒｉｄｅ）、塩化セチルピリジニウム、塩化ラウリルピリジニウムなどがある。アミノカルボキシレートキレート化剤により強化される、有用なアニオン系の抗菌剤／防腐剤の非限定的な例は、ソルビン酸及びソルビン酸カリウムである。
【０１１６】
アミノカルボキシレートキレート化剤により強化される、有用な非イオン系の抗菌剤／防腐剤の非限定的な例は、ＤＭＤＭヒダントイン、フェネチルアルコール、モノラウリン、イミダゾリジニル尿素、及びブロノポール（２−ブロモ−２−ニトロプロパン−１，３，−ジオール）である。
これらのキレート化剤により強化される、有用なフェノール性抗菌剤／防腐剤の例は、クロルオキシレノール（ｃｈｌｏｒｏｘｙｌｅｎｏｌ）、フェノール、ｔ−ブチルヒドロキシアニソール、サリチル酸、レゾルシノール、及びソジウムオルト−フェニルフェナート（ｓｏｄｉｕｍ ｏ−ｐｈｅｎｙｌ ｐｈｅｎａｔｅ）である。アミノカルボキシレートキレート化剤により強化される、イソチアゾリノン抗菌剤／防腐剤の非限定的な例は、カトン（Ｋａｔｈｏｎ）、プロキセル（Ｐｒｏｘｅｌ）及びプロメキサル（Ｐｒｏｍｅｘａｌ）である。
【０１１７】
任意のキレート化剤は本発明に抗細菌の効果を提供するために、使用組成物の質量において、通常約０．０１％〜約０．３％、さらに好ましくは約０．０２％〜約０．１％、最も好ましくは約０．０２％〜約０．０５％の濃度で、本発明の組成物中に存在する。
抗菌剤の効果を強化するため、遊離した、非錯体型のアミノカルボキシレートキレート化剤が必要である。そのため、アルカリ土類（特にカルシウム及びマグネシウム）、及び遷移金属（鉄、マンガン、銅、及びその他）が存在する場合、遊離したキレート化剤が利用できず、そして抗細菌の強化も見られない。水の硬度が高い、又は遷移金属が利用される場合、又は製品の美観から特別なキレート化剤の濃度が必要である場合は、抗細菌／防腐剤強化剤として機能する、遊離した、非錯体型のアミノカルボキシレートキレート化剤の利用可能性に合った、より高い濃度が必要とされるかもしれない。
【０１１８】
８．その他の任意成分
本発明の組成物は、任意に他の臭気抑制添加物質、キレート化剤、更に静電気の抑制を望む場合には追加の静電気防止剤、防虫防蛾剤、着色剤、特に青味剤、粘度制御剤、及びこれらの混合物を抗皺成分、例えばポリマーに加えて含有することができる。任意成分の総レベルは好ましくは、使用する組成物の約１０質量％未満、さらに好ましくは約５質量％未満、一層さらに好ましくは約３質量％未満、及び尚、さらに好ましくは約２質量％未満である。これらの任意成分は、これ以前に具体的に記載した他の成分を除外する。臭気抑制添加物質を組み込むことにより、シクロデキストリンが臭気を抑制する能力を高め、並びに抑制し得る臭気の種類、及び分子の大きさの範囲を広げることができる。こうした物質には例えば、これ以前に記載された金属塩、すでに開示されたものに加えて、水溶性のカチオン系及びアニオン系ポリマー、これ以前に論じたゼオライト、水溶性重炭酸塩、及びこれらの混合物が挙げられる。その他の任意物質は、粘度制御のための塩、静電気防止剤、防虫防蛾剤、任意の着色剤、任意の目詰まり防止剤、及び任意成分のそれらの混合物である。
【０１１９】
（ａ）任意の水溶性ポリイオン系ポリマー
幾つかの水溶性のポリイオン系ポリマー、例えばこれ以前に論じたものに加えて、水溶性のカチオン系ポリマー、及び水溶性のアニオン系ポリマーが、追加の臭気抑制の利益を提供するために本発明の組成物中に用い得る。
【０１２０】
（ｉ）カチオン系ポリマー、例えばポリアミン
水溶性のカチオン系ポリマー、例えばアミノ官能基、アミド官能基、及びこれらの混合物を含有するものが特定の酸型の臭気を抑制するために、本発明において有用である。
【０１２１】
（ｉｉ）アニオン系ポリマー、例えば、ポリアクリル酸
水溶性のアニオン系ポリマー、これ以前に記載されたものに加えて、例えばポリアクリル酸、及びその水溶性塩が、特定のアミン型臭気を抑制するために、本発明において有用である。好ましいポリアクリル酸及びそれらのアルカリ金属塩は、平均分子量が約２０，０００未満であり、さらに好ましくは１０，０００未満であり、一層さらに好ましくは約５００〜約５，０００である。添加されたポリマーはトルートン比の許容可能な限度を超える組成物を生じてはならない。塩は、以下で議論するようにトルートン比を制御するためにポリマーと共に用いる、有用な粘度制御剤である。スルホン酸基を含有するポリマー、リン酸基、ホスホン酸基、及びそれらの水溶性塩、及びそれらの混合物、及びカルボン酸及びカルボキシレート基との混合物も更に好適である。架橋ポリマーも有用である。
【０１２２】
陽イオン及び陰イオンの両方の官能性を含有する水溶性重合体も更に好適である。これらのポリマーの例は、米国特許第４，９０９，９８６号（Ｎ．コバヤシ及びＡ．カワゾエ、１９９０年３月２０日発行）に記載されており、参考として引用し本明細書に組み入れる。カチオン及びアニオンの両方の官能性を含有する水溶性ポリマーの別の例は、ジメチルジアリルアンモニウムクロリド及びアクリル酸のコポリマーであり、商品名Ｍｅｒｑｕａｔ（メルクァト）２８０（登録商標）として、カルゴン（Ｃａｌｇｏｎ）より市販されている。
水溶性重合体を使用するとき、典型的には使用する組成物の約０．００１〜約３質量％、好ましくは約０．００５〜約２質量％、更に好ましくは約０．０１〜約１質量％、及び更に一層好ましくは約０．０５〜約０．５質量％の濃度で使用される。
【０１２３】
（ｂ）任意の静電気防止剤
本発明の組成物は、静電気を帯びた衣料品を処理するために、任意に追加の有効量の他の静電気防止剤を含有することができる。好ましい静電気防止剤は、少なくとも有効量において水溶性であり、組成物が透明な溶液になるようなものである。これらの静電気防止剤の例は、モノアルキルカチオン系第四級アンモニウム化合物、例えば、モノ（Ｃ１０〜Ｃ１４アルキル）トリメチルアンモニウムハロゲン化物、例えばモノラウリルトリメチルアンモニウムクロリド、ヒドロキシセチルヒドロキシエチルジメチルアンモニウムクロリドであり、商品名デヒコートＥ（Ｄｅｈｙｑｕａｒｔ Ｅ）（登録商標）としてヘンケル（Ｈｅｎｋｅｌ）より入手可能であり、及びエチルビス（ポリエトキシエタノール）アルキルアンモニウムエチルサルフェートであり、商品名バリコート６６（Ｖａｒｉｑｕａｔ ６６）（登録商標）としてウィトコ・コーポレーション（Ｗｉｔｃｏ Ｃｏｒｐｏｒａｔｉｏｎ）より入手可能であり、ポリエチレングリコール、ポリマー第四級アンモニウム塩であって、例えば以下の一般式に適合するポリマーであり：
−［Ｎ（ＣＨ３）２−（ＣＨ２）３−ＮＨ−ＣＯ−ＮＨ−（ＣＨ２）３−Ｎ（ＣＨ３）２＋−ＣＨ２ＣＨ２ＯＣＨ２ＣＨ２］−ｘ２＋２ｘ［Ｃｌ−］
商品名ミラポールＡ−１５（Ｍｉｒａｐｏｌ Ａ−１５）（登録商標）としてローヌプーラン（Ｒｈｏｎｅ Ｐｏｕｌｅｎｃ）より入手可能であり、及び
−［Ｎ（ＣＨ３）２−（ＣＨ２）３−ＮＨ−ＣＯ−（ＣＨ２）４−ＣＯ−ＮＨ−（ＣＨ２）３−Ｎ（ＣＨ３）２−（ＣＨ２ＣＨ２ＯＣＨ２ＣＨ２］−ｘ＋ｘ［Ｃｌ−］
は、商品名ミラポールＡＤ−１（Ｍｉｒａｐｏｌ ＡＤ−１）（登録商標）としてローヌプーラン（Ｒｈｏｎｅ Ｐｏｕｌｅｎｃ）より入手可能であり、四級化されたポリエチレンイミン、ビニルピロリドン／メタクリルアミドプロピルトリメチルアンモニウムクロリドコポリマーであり、商品名ガフクァットＨＳ−１００（Ｇａｆｑｕａｔ ＨＳ−１００）（登録商標）としてガフ（ＧＡＦ）より入手可能であり；トリエトニウム（ｔｒｉｅｔｈｏｎｉｕｍ）加水分解されたコラーゲンエトサルフェート（ｅｔｈｏｓｕｌｆａｔｅ）であって、商品名コート−プロＥ（Ｑｕａｔ−Ｐｒｏ Ｅ）（登録商標）としてメイブルック（Ｍａｙｂｒｏｏｋ）より入手可能であり；中和されたスルホン化ポリスチレンであって、例えば商品名ベルサＴＬ−１３０（Ｖｅｒｓａ ＴＬ−１３０）（登録商標）としてアルコ・ケミカル（Ａｌｃｏ Ｃｈｅｍｉｃａｌ）より入手可能であり、中和されたスルホン化スチレン／無水マレイン酸コポリマーであって、例えば商品名ベルサＴＬ−４（Ｖｅｒｓａ ＴＬ−４）（登録商標）としてアルコ・ケミカル（Ａｌｃｏ Ｃｈｅｍｉｃａｌ）より入手可能であり；及びこれらの混合物である。
【０１２４】
布地を処置する間の泡の形成を避けるため、非発泡性又は低発泡性の剤を用いることが好ましい。またα−シクロデキストリンを用いる場合は、ポリエトキシレート化剤、例えばポリエチレングリコール又はバリコート６６（Ｖａｒｉｑｕａｔ ６６）（登録商標）を用いないことが好ましい。ポリエトキシレート基は、強い親和力を有し、容易にα−シクロデキストリンと錯体を形成し、臭気抑制に利用できる非錯体型シクロデキストリンを使い果たすことになる。
静電気防止剤が用いられる場合、使用組成物の質量において、通常約０．０５％〜約１０％で、好ましくは約０．１％〜約５％で、さらに好ましくは約０．３％〜約３％の濃度で存在する。
【０１２５】
（ｃ）任意の防虫及び／又は防蛾剤
本発明の組成物は、任意に有効量の防虫及び／又は防蛾剤を含有することができる。典型的な防虫及び防蛾剤は、フェロモン、例えば抗集合フェロモン、及び他の天然及び／又は合成成分である。本発明の組成物において有用な、好ましい防虫及び防蛾剤は、香料成分、例えばシトロネロール、シトロネラール、シトラール、リナロール、シーダー抽出物、ゼラニウム油、ビャクダン油、２−（ジエチルフェノキシ）エタノール、１−ドデセンなどである。本発明の組成物において有用な防虫及び／又は防蛾剤の他の例は、米国特許番号第４，４４９，９８７号、第４，６９３，８９０号、第４，６９６，６７６号、第４，９３３，３７１号、第５，０３０，６６０号、第５，１９６，２００号；及び「多様な昆虫種への風味及び芳香分子の情報活動（Ｓｅｍｉｏ Ａｃｔｉｖｉｔｙ ｏｆ Ｆｌａｖｏｒ ａｎｄ Ｆｒａｇｒａｎｃｅ Ｍｏｌｅｃｕｌｅｓ ｏｎ Ｖａｒｉｏｕｓ Ｉｎｓｅｃｔ Ｓｐｅｃｉｅｓ）」Ｂ．Ｄ．ムックハージー（Ｂ．Ｄ． Ｍｏｏｋｈｅｒｊｅｅ）ら、植物からの生物活性揮発性化合物（Ｂｉｏａｃｔｉｖｅ Ｖｏｌａｔｉｌｅ Ｃｏｍｐｏｕｎｄｓ ｆｒｏｍ Ｐｌａｎｔｓ）において公開、ＡＳＣシンポジウムシリーズ５２５、Ｒ．テラニシ、Ｒ．Ｇ．バタリー（Ｒ．Ｇ． Ｂｕｔｔｅｒｙ）、及びＨ．スギサワ、１９９３年、３５〜４８頁に開示されており、前記特許及び前記出版物のすべてを参考として引用し、本明細書に組み入れる。防虫及び／又は防蛾剤が用いられる場合、使用組成物の質量において、通常約０．００５％〜約３％の濃度で存在する。
【０１２６】
（ｄ）任意の着色剤
着色剤及び染料、特に青味剤は、視覚訴求及び性能の印象のため、皺抑制組成物に任意に添加することができる。着色剤が用いられる場合は、布地に染みが付くのを避けるため、極めて低い濃度で用いられる。本組成物で使用するのに好ましい着色剤は、水によく溶解する染料であり、例えば、ミリケンケミカル社（Ｍｉｌｌｉｋｅｎ Ｃｈｅｍｉｃａｌ Ｃｏ．）から入手可能なリクイチント（Ｌｉｑｕｉｔｉｎｔ）（登録商標）染料であり、好適な染料の非限定例は、リクイチントブルーＨＰ（登録商標）、リクイチントブルー６５（登録商標）、リクイチントパテントブルー（登録商標）、リクイチントロイヤルブルー（登録商標）、リクイチントエクスペリメンタルイエロー８９４９−４３（登録商標）、リクイチントグリーンＨＭＣ（登録商標）、リクイチントイエローＩＩ（登録商標）、及びそれらの混合物であり、好ましくはリクイチントブルーＨＰ（登録商標）、リクイチントブルー６５（登録商標）、リクイチントパテントブルー（登録商標）、リクイチントロイヤルブルー（登録商標）、リクイチントエクスペリメンタルイエロー８９４９−４３（登録商標）、及びそれらの混合物である。
【０１２７】
（ｅ）任意の目詰まり防止剤
特に糊が存在する場合に、組成物の湿潤性及び目詰まり防止を高める、任意の目詰まり防止剤は、２〜約６、好ましくは２炭素原子を有する、アルカン及びオレフィンのポリマーグリコールから成る群から選択される。目詰まり防止剤は噴霧器のノズルの中に栓が形成されるのを妨ぐ。好ましい目詰まり防止剤の例は、平均分子量約８００〜約１２，０００、さらに好ましくは約１，４００〜約８，０００を有するポリエチレングリコールである。目詰まり防止剤が用いられる場合、使用組成物の質量において、通常約０．０１％〜約１％で、好ましくは約０．０５％〜約０．５％で、さらに好ましくは約０．１％〜約０．３％の濃度で存在する。
【０１２８】
（ｆ）ｐＨ
製品のｐＨは約７より下又は約７より上であることができる。ｐＨは一般に、成分の安定性を維持するために、成分の有効性を維持するために、追加的な利益（例えば臭気抑制）を提供するために及び非刺激性の消費者向け製品を提供するために選択される。
ポリアルキレンオキシドポリシロキサンが用いられる場合、溶液のｐＨを少なくとも約ｐＨ５．５及び約ｐＨ９．５より低く調整することは、このような物質がこのｐＨ範囲で最も安定なので、有用である。シクロデキストリンが存在する場合、ｐＨ約１１を超えると、複合体を形成し、臭気を抑制するシクロデキストリンの能力が低下するので、ｐＨを約１１より下で維持することが望ましい。刺激を防ぐには、製品のｐＨを約３のｐＨより上及び約１２のｐＨより下に維持することが好ましい。鉱酸、有機酸の添加及び／又は苛性アルカリ又はアミン含有化合物のような強塩基の添加によってｐＨの調整は達成される。酸の非限定例には、ＨＣｌ、硝酸、硫酸、酢酸などが挙げられる。本明細書で使用するのに好適な苛性アルカリの非限定例には水酸化ナトリウム及び水酸化カリウムが挙げられる。好適な苛性塩基及びアミン化合物の非限定例には、水酸化物（例えばＮａＯＨ、ＫＯＨ）、トリエタノールアミン、Ｎ，Ｎ、Ｎ’，Ｎ’−テトラキス（２−ヒドロキシプロピル）−エチレンジアミン及び水酸化アンモニウムが挙げられる。
【０１２９】
（ｇ）緩衝液
組成物の含有する物質が加水分解し、ｐＨの変動を起こす傾向がある場合には、緩衝液が好ましい。ポリアルキレンオキシドポリシロキサンは、特にこうした行動を取り易いトリシロキサン物質と共に、加水分解する傾向のある物質である。ポリアルキレンオキシドポリシロキサンは、ｐＨが少なくとも約５．５〜約７未満である場合に加水分解に対して最も安定している。そのため、組成物が任意にポリアルキレンオキシドポリシロキサンを含有する場合には、好ましくはｐＨが少なくとも約５．５〜約９．５未満であるように製剤が緩衝されることが好ましい。驚くべきことにこれは、こうした溶液を適切なｐＨに調整することのように単純ではなく、それはある程度の加水分解はなお起こる可能性があり、結果としてｐＨが低下して、更なる加水分解及び分解を加速化するためである。こうした分解を防止するため、溶液を緩衝し、及びいかなる少量の加水分解により生成されるいかなる酸又は塩基を補うのにも十分な緩衝能を提供することが必須である。
緩衝能は、酸又は塩基が緩衝システムに添加された場合に、ｐＨが大きく変化するのを避けるのに十分な程度又は濃度の緩衝システムを組成物中に有することと関係する。緩衝能は、通常ｄＢ／ｄｐＨとして表現され、これには単位がなく、正の数はシステムのｐＨを１単位変化させるために添加されなければならない、強酸又は塩基のリットル当たりのグラム等量を表す。緩衝能は、システムの初めのｐＨ、並びに解離定数、及び緩衝液の濃度に関係する。
【０１３０】
本組成物のこの場合、システムの緩衝能は以下の方程式から計算することができる：
ｄＢ／ｄｐＨ＝２．３ＫａＣ［Ｈ＋］／（Ｋａ＋［Ｈ＋］）２
式中、Ｋａ＝緩衝液のイオン化定数、Ｃ＝緩衝液の濃度及び［Ｈ＋］＝組成物における水素イオンの最初の濃度である。一例として、単にトリエタノールアミンのような弱塩基を用いてｐＨを調整するだけでは必要な緩衝能をこのシステムに提供するのに十分ではなく、上記の計算は、組成物のｐＨをｐＨ＝６．８（前記組成物を配合するのに用いられる脱イオン水の典型的なｐＨ）から前記組成物の好ましいｐＨレベルであるｐＨ＝９まで上げるのに必要なトリエタノールアミンの量を計算するのに用いられる。トリエタノールアミンに対して、Ｋａ＝１．２×１０−８であり、初期値＝１×１０−９である。ｐＨを６．８から９に上げるのに必要なトリエタノールアミンの量は、リットル当り０．１ｇ、又は６．７×１０−４である。上記システムの緩衝能は以下に等しい：
２．３（１．２×１０−８）（６．７×１０−４）（１×１０−９）／（１．２×１０−８＋１×１０−９）２＝０．０００１１
この結果は、ｐＨが塩基により単純に高いｐＨに上げられた組成物は、それがたとえトリエタノールアミンのような緩衝塩基による場合でも、ほとんど緩衝能を有しないことを示す。緩衝能は、ｐＨを１単位変化させるのにリットル当りわずか０．０００１１グラム等量の強酸が必要であることを示す。こうしたシステムは時間の経過に伴い、ｐＨの変動に対して強靭ではなく、加水分解は加速する傾向がある。緩衝能は、重要な概念−存在する緩衝液の濃度は、システムがｐＨを顕著に変化させずにどれだけの水素イオンを吸収できるかということに直接関係するため、組成物における緩衝液の濃度（又はレベル）は重要であるという概念をもたらす。緩衝能の全体の論議、及びそれに関連する理論については、学術論文「緩衝値の測定及び緩衝値と緩衝液の解離定数と濃度との関係、及び緩衝溶液の反応について（Ｏｎ ｔｈｅ Ｍｅａｓｕｒｅｍｅｎｔ ｏｆ Ｂｕｆｆｅｒ Ｖａｌｕｅｓ ａｎｄ ｏｎ ｔｈｅ Ｒｅｌａｔｉｏｎｓｈｉｐ ｏｆ Ｂｕｆｆｅｒ Ｖａｌｕｅ ｔｏ ｔｈｅ Ｄｉｓｓｏｃｉａｔｉｏｎ Ｃｏｎｓｔａｎｔ ｏｆ ｔｈｅ Ｂｕｆｆｅｒ ａｎｄ ｔｈｅＣｏｎｃｅｎｔｒａｔｉｏｎ ａｎｄ Ｒｅａｃｔｉｏｎ ｏｆ ｔｈｅ Ｂｕｆｆｅｒ Ｓｏｌｕｔｉｏｎ）」、ドナルドＤ．ヴァン．スライク（Ｄｏｎａｌｄ Ｄ． Ｖａｎ Ｓｌｙｋｅ）著、生物化学ジャーナル（Ｊ． ＢｉｏｌＣｈｅｍ．）５２巻、５２５〜５７０ページ、１９２２年に記載されており、参考として引用し、本明細書に組み入れる。
【０１３１】
多くの一般に使用される緩衝液は、本である「ｐＨ及び金属イオン制御についての緩衝（Ｂｕｆｆｅｒｓ ｆｏｒ ｐＨ ａｎｄ Ｍｅｔａｌ Ｉｏｎ Ｃｏｎｔｒｏｌ）」、Ｄ．Ｄ．ペリン（Ｄ．Ｄ．Ｐｅｒｒｉｎ）及びＢ．デンプセイ（Ｂ． Ｄｅｍｐｓｅｙ）著、（ジョン・ワイリー・アンド・サンズ社（Ｊｏｈｎ Ｗｉｌｅｙ ＆ Ｓｏｎｓ、Ｉｎｃ．）１９７４年））、及びその中の参考文献に記載されており、これは参考として引用し、本明細書に組み入れる。本明細書で論じる組成物に用いる好ましい緩衝剤は、緩衝システム、酸ー塩基抱合体ペア、及び酸又は塩基と共にその塩、から成る群から選択され、組成物のｐＨを少なくとも約５．５に、好ましくは少なくとも約６に、及びさらに好ましくは少なくとも約７に、及び一層さらに好ましくは少なくとも約７．５に、しかし約９．５未満に、及び好ましくは９未満に、少なくとも約３ヵ月間、好ましくは少なくとも約６ヵ月間、さらに好ましくは少なくとも約１２ヵ月間、一層さらに好ましくは少なくとも約１８ヵ月間、及びなおさらに好ましくは少なくとも約２４ヵ月間保持する濃度で本発明の組成物中に組み込まれる。
【０１３２】
好ましい緩衝液システムの非限定例の一部には、アンガス（Ａｎｇｕｓ）（登録商標）ミズーリ州セントルイスのシグマケミカル社）から入手可能なトリス／ＨＣｌ対（トリス＝トリス（ヒドロキシメチル）アミノメタン、ボラックス／ＨＣｌ（ボラックスは米国カリフォルニア州バレンシアのＵＳボラックス社から入手可能）、ジエタノールアミン／ＨＣｌ（ジエタノールアミンは、ミシガン州ミッドランドのダウケミカルから入手可能）、ホウ酸ナトリウム／ＮａＯＨ（ホウ酸ナトリウムは、カリフォルニア州バレンシアのＵＳボラックス社から入手可能）、重炭酸ナトリウム／ＮａＯＨ（重炭酸ナトリウムは、ペンシルベニア州フィラデルフィアのＦＭＣコーポレーションから入手可能）、リン酸水素ナトリウム／ＮａＯＨ（リン酸水素ナトリウムは、ミズーリ州セントルイスのモンサントから入手可能）、炭酸ナトリウム／重炭酸ナトリウム（炭酸ナトリウム及び重炭酸ナトリウムは、ペンシルベニア州フィラデルフィアのＦＭＣコーポレーションから入手可能）、ホウ酸／ＮａＯＨ（ホウ酸は、カリフォルニア州バレンシアのＵＳボラックス社から入手可能）、グリシン／ＮａＯＨ（グリシンは、ミズーリ州セントルイスのシグマケミカル社から入手可能）、及びＫＣｌ／ＮａＯＨ（ＫＣｌは、カンザス州オーバーランドＰｋ．のノースアメリカンケミカル社から入手可能）が挙げられる。水酸化ナトリウムがペンシルバニア州、フィラデルフィアのＦＭＣコーポレーション（ＦＭＣ Ｃｏｒｐｏｒａｔｉｏｎ）より、及び塩化水素がペンシルバニア州、アレンタウン（Ａｌｌｅｎｔｏｗｎ）のエアー・プロダクツ・アンド・ケミカルズ社（Ａｉｒ Ｐｒｏｄｕｃｔｓ ａｎｄ Ｃｈｅｍｉｃａｌｓ、 Ｉｎｃ．）より入手可能である。
【０１３３】
緩衝システムの有効量、つまり酸−塩基抱合体ペア、並びに緩衝能を高めるために用いられるいかなる塩を包含する、緩衝システムの全成分の濃度は組成物の質量において通常約０．０５％〜約１０％、好ましくは約０．０２％〜約８％、さらに好ましくは約０．１％〜約５％、及び最も好ましくは約０．２％〜約２．５％である。好ましい緩衝システムは、緩衝システム、酸−塩基抱合体ペア、酸又は塩基と対になる塩、又は自己緩衝化合物、及びシステムの緩衝能を高める目的の、及び組成物のｐＨを少なくとも約５．５に、好ましくは少なくとも約６に、及びさらに好ましくは少なくとも約７に、及び一層さらに好ましくは少なくとも約７．５に、しかし約９．５未満に、及び好ましくは９未満に、、少なくとも約３ヵ月間、好ましくは少なくとも約６ヵ月間、さらに好ましくは少なくとも約１２ヵ月間、一層さらに好ましくは少なくとも約１８ヵ月間、及びなおさらに好ましくは少なくとも約２４ヵ月間保持する濃度で利用されるいかなる塩から成る群から選択されるが、これに限定されない。システムの好ましい緩衝能は、少なくとも約０．０１、及びさらに好ましくは少なくとも約０．０２である。
【０１３４】
（ｈ）白色保存剤
酸化又は重合が危険な状態において、潤滑性を有することを望む場合には、キレート化剤、布地用直接キレート化剤、光学的光沢剤、青味剤、ＵＶ吸収剤、及び酸化安定剤、例えば酸化防止剤及び／又は還元剤の群から選択される白色保存剤、並びに白色保存剤の混合物を用いることができる。白色保存剤が用いられる場合、少なくとも約０．００１％、好ましくは少なくとも約０．００５％、さらに好ましくは少なくとも約０．０１％、一層さらに好ましくは少なくとも約０．０５％、尚さらに好ましくは少なくとも約０．２％の濃度で添加される必要があるが、通常約１０％未満、好ましくは約５％未満、さらに好ましくは約３％未満、及び一層さらに好ましくは約１．５％未満の濃度で添加される必要がある。
【０１３５】
驚くべきことに、時間が経つと、特に衣料品が過熱される（例えば長時間乾燥される又は市販の乾燥機の中で乾燥される）、及び／又は処置後に囲われた場所に入れられたままである場合、望ましくない黄ばみが白色の品に現れ始めることが見出された。この黄ばみは消費者にとってマイナスとして受け取られるであろう。理論により制限されないが、この黄ばみは、組成物中の不飽和物質の自動的酸化、特に自動的酸化を触媒することが既知である、多不飽和物質の自動的酸化により生じると考えられている。供給元が多不飽和を最小限に抑える又は除くように制約されなければ原材料はより安価に且つ容易に製造されるので、それが寄与するとき、ある条件下にてあるレベルの多不飽和は組成物において望ましい。特に組成物が低い温度（４０°Ｆ以下）にさらされる場合、あるレベルの多不飽和は、組成物の透明性を保つのに望ましい。従って、単に全ての多不飽和の柔軟剤組成物を取り除くことによって黄ばみ問題を片付けることはあらゆる場合で許容可能であるとは限らない。多不飽和の脂肪族アシル基及び具体的にＣ１８：３の種を除く試みは、全体的なシス／トランス異性体比を低下させ、結果的に低い温度、すなわち、４０°Ｆ以下では透明性が乏しくなる。代わりに、驚くべきことに、多不飽和柔軟剤を除かないで自動酸化反応を抑制する及び／又は任意に光学的に黄ばみを隠す物質を導入することにより、黄ばみを有意に緩和できることが、見い出されている。
【０１３６】
（ｉ）金属キレート化剤
布地中、製品中、給水又は他の供給源から到達する水中に存在する金属、特に遷移金属、及び特に銅及び鉄は不飽和物質の自動酸化の触媒として作用する可能性があり、色の付いた化合物を生成する可能性がある。そのため、金属キレート化剤を、布地に直接的であることも可能であるが、組成物に添加し、金属による自動酸化反応の触媒を抑制及び減少、又は除外する。金属キレート化剤は、アミン及び特に第三級アミン部分を含有するが、それはこれらが布地に直接的である傾向があり、非常に有効に銅及び鉄、並びに他の金属をキレート化するからである。自動酸化反応により、アルデヒドが生成されるが、これらは容易に酸化され、自動酸化反応を拡大すると考えられている。そのため、アミンに基づく金属キレート化剤、特に第三級アミン部分がまた好ましいが、それはこれらがアルデヒドと反応し自動酸化反応を終わらせるからである。
製品は、質量において少なくとも約０．０１％、好ましくは少なくとも約０．０５％、さらに好ましくは少なくとも約０．１０％、一層さらに好ましくは約０．５％、及び最も好ましくは少なくとも約０．７５％で、及び約１０％未満、好ましくは約５．０％未満、及びさらに好ましくは約１．０％未満のキレート化剤を含有する。１．０％未満の濃度はこの配合において特に好ましいが、それは金属キレート化剤がより高い濃度であると、配合の不安定性につながるからである。
【０１３７】
本組成物に用いるアミンに基づく金属キレート化剤化合物の構造的記述は以下のようである：
（Ｒ１）（Ｒ２）Ｎ（ＣＸ２）ｎＮ（Ｒ３）（Ｒ４）
上式においてＸは水素、直鎖又は分枝、置換型又は非置換型の１〜１０の炭素原子を有するアルキル、及び置換型又は非置換型の少なくとも６の炭素原子を有するアリールから成る群から選択され；ｎは０〜６の整数であり；Ｒ１、Ｒ２、Ｒ３、及びＲ４は、それぞれ独立して以下のものから成る群から選択される：アルキル；アリール；アルカリール；アリールアルキル；ヒドロキシアルキル；ポリヒドロキシアルキル；ポリアルキルエーテルであって式−（（ＣＨ２）ｙＯ）ｚＲ７を有し、この式においてＲ７は水素又は直鎖、分枝、置換型又は非置換型アルキル鎖で１〜１０の炭素原子を有し、ｙは２〜１０の整数であり、ｚは１〜３０の整数であり；アルコキシ；ポリアルコキシであって式：−（Ｏ（ＣＨ２）ｙ）ｚＲ７を有し；−Ｃ（Ｏ）Ｒ８基であって、この式においてＲ８はアルキル；アルカリール；アリールアルキル；ヒドロキシアルキル；ポリヒドロキシアルキル、及びＲ１、Ｒ２、Ｒ３、及びＲ４において定義されたようなポリアルキルエーテルであり；（ＣＸ２）ｎＮ（Ｒ５）（Ｒ６）であって、１以下のＲ１、Ｒ２、Ｒ３、及びＲ４が（ＣＸ２）ｎＮ（Ｒ５）（Ｒ６）であり、この式においてＲ５及びＲ６はアルキル；アルカリール；アリールアルキル；ヒドロキシアルキル；ポリヒドロキシアルキル；ポリアルキルエーテル；アルコキシ、及びＲ１、Ｒ２、Ｒ３、及びＲ４において定義されたようなポリアルコキシであり；及びＲ１＋Ｒ３、又はＲ４、又はＲ２＋Ｒ３、又はＲ４のいずれかが組み合わさって環状置換基を形成し得る。
【０１３８】
好ましい剤には上式においてＲ１、Ｒ２、Ｒ３、及びＲ４はそれぞれ独立して１〜１０の炭素原子を有するアルキル基、及び１〜５の炭素原子を有するヒドロキシアルキル基から成る群から選択され、好ましくはエチル、メチル、ヒドロキシエチル、ヒドロキシプロピル、及びイソヒドロキシプロピルである。色のケア剤は、化合物の質量において約１％を超える、及び好ましくは７％を超える窒素を有する。好ましい剤はテトラキス−（２−ヒドロキシルプロピル）エチレンジアミン（ＴＰＥＤ）である。
他の好適な水溶性キレート化剤は、アミノカルボン酸塩、アミノホスホン酸塩、多官能基置換型芳香族キレート化剤、及びこれらの混合物から成る群から選択することができ、全て以下に定義される。前記米国特許番号第５，７５９，９９０号の第２６欄２９行〜第２７欄３８行に開示されているキレート化剤は好適である。
好適なアミンに基づく金属キレート化剤は、ＥＤＤＳであり、本明細書において用い得る（エチレンジアミン−Ｎ，Ｎ’−ジコハク酸塩としても既知である）が米国特許第４，７０４，２３３号に記載されており、上記に引用されており、式（遊離酸の形態において示す）：
ＨＮ（Ｌ）Ｃ２Ｈ４Ｎ（Ｌ）Ｈ
を有し、上式においてＬは、ＣＨ２（ＣＯＯＨ）ＣＨ２（ＣＯＯＨ）基である。
【０１３９】
本明細書において多種多様なキレート化剤を用いることができる。実際、単純なポリカルボキシレート、例えばクエン酸塩、オキシジコハク酸塩などを用いることができるが、こうしたキレート化剤は質量ベースでアミノカルボン酸塩及びホスホン酸塩ほど有効ではない。それ故に、キレート化の有効性の異なる度合いを考慮に入れて使用濃度を調整してもよい。本明細書のキレート化剤は、好ましくは（完全にイオン化したキレート化剤の）銅イオンの安定度定数は、少なくとも約５、好ましくは少なくとも約７である。通常キレート化剤は、安定剤であるものに加えて、本明細書の組成物の質量において約０．０５％〜約１０％、さらに好ましくは約０．７５％〜約５％含まれる。好ましいキレート化剤には、ＤＥＴＭＰ、ＤＥＴＰＡ、ＮＴＡ、ＥＤＤＳ、及びＥＤＴＡが挙げられる。
本明細書に用いるのに、金属キレート化剤の混合物は受け入れられる。
【０１４０】
（ｉｉ）光沢剤
蛍光白色剤（ＦＷＡ）又は蛍光光沢剤として既知である、光学的光沢剤もまた、布地に相補的な色を添加し、それにより望ましくない黄ばみを見えなくすることにより、黄ばんだ外観を補い、白さを保持する。理論により制限されないが、多不飽和柔軟剤化合物の自動酸化は、白い布地上に黄色く現れる化合物を生成するが、それはこれらの化合物が短波長の光、紫〜青の範囲の、又は約３７０ｎｍ〜５５０ｎｍの波長の光を吸収するからである。光学的光沢剤は、スペクトルのこの失われた部分を置き換え、そのため、白い外観が保持される。光学的光沢剤はより短波長の紫外線の光を吸収し、蛍光によりスペクトルの青〜青紫の範囲の光を放出する。
【０１４１】
製品は、少なくとも約０．００５％の、好ましくは少なくとも約０．０１％の、さらに好ましくは少なくとも約０．０５％の、一層さらに好ましくは少なくとも約０．１％の、尚さらに好ましくは少なくとも約０．１７％の、及び約５％未満の、好ましくは約３％未満の、さらに好ましくは約２％未満の、そして最も好ましくは約１％未満の光学的光沢剤（光沢剤）として既知の作用剤を含有する。金属キレート化化合物が存在する場合は、より低い濃度の光沢剤が用いられる。金属キレート化化合物が存在しない場合は、より高い濃度の光沢剤が好ましい。
【０１４２】
好ましい光学的光沢剤は基質上で無色であり、スペクトルの可視部分は吸収しない。好ましい光学的光沢剤はまた耐光性であり、つまり日光の中で実質的に分解しない。本発明に用いるのに好適な光学的光沢剤は、スペクトルの紫外線部分２７５ｎｍ〜約４００ｎｍの光を吸収し、紫〜青紫の、スペクトルの範囲が約４００ｎｍ〜５５０ｎｍの光を放出する。好ましくは光学的光沢剤は連続した共役二重結合の鎖を含有するであろう。光学的光沢剤は、典型的にはスチルベン又は４，４’−ジアミノスチルベン、ビフェニル、五員環の複素環、例えばトリアゾール、オキサゾール、イミダゾールなど、又は六員環の複素環（クマリン、ナフタールアミド、ｓ−トリアジンなど）であるが、これに限らない。多数の特定の光沢剤構造がキルク−オトマー（Ｋｉｒｋ−Ｏｔｈｍｅｒ）の化学百科事典第３版の２１４〜２２６ページ及びその引用文献、米国特許第５，７５９，９９０号の第２１欄の１５〜６０行目に記載されており；前記参考文献を本発明での使用に好適であるとして参考として本明細書に組み入れる。正電荷又は負電荷のイオン系光沢剤は、本明細書に開示された組成物の溶解度を高め、従って配合を容易にし、より安定にするため好ましい。
【０１４３】
幾つかの好ましいが、非制限的な光沢剤は、オプティブランク（Ｏｐｔｉｂｌａｎｃ（登録商標））ＧＬ、及びオプティブランク（Ｏｐｔｉｂｌａｎｃ（登録商標））ＬＳＮであり、ニュージャージー州ウィーホーケン（Ｗｅｅｈａｗｋｅｎ）の３Ｖ社（３Ｖ Ｉｎｃ．）により、チノパール（Ｔｉｎｏｐａｌ（登録商標））ＣＢＳ　ＳＰ　スラリー３３、ＰＬＣ，ＵＮＰＡ−ＧＸ、４ＢＭ、４ＢＭＳ、５ＢＭ、５ＢＭＳ、５ＢＭ−ＧＸ、ＡＭＳ−ＧＸ、ＤＭＳ−Ｘ、ＤＣＳ液体、Ｋ、ＥＲＮ、ＬＣＳ、ＬＦＷ、及びＴＡＳ、ユニベックス（Ｕｎｉｖｅｘ（登録商標））、ＳＫ、ＥＲＮ、及びＡＴであり、ノースカロライナ州ハイポイント（Ｈｉｇｈ Ｐｏｉｎｔ）のチバ（Ｃｉｂａ）により、ブランコフォール（Ｂｌａｎｋｏｐｈｏｒ（登録商標））ＦＢＷ、ＦＢ、ＬＰＧ、及びＨＲＳであり、モーベイ（Ｍｏｂａｙ）による。自動酸化を防止するのに加えて、幾つかの光沢剤はまた、染料の移染を防止する。
【０１４４】
（ｉｉｉ）青味剤
青味剤はまた、布地に相補的な色を再添加し、それにより望ましくない黄ばみを見えなくすることにより、黄ばんだ外観を補い、白さを保存するように作用する。光学的光沢剤のように、青味剤はスペクトルのこの失われた部分を置き換え、そのため白い外観が保持される。通常、青味剤として用いられる水溶性の青い染料はアニオン系であり、カチオン系の柔軟剤有効分と会合しており、それによって柔軟剤有効分とともに布に沈着する。通常は青味剤は、組成物の質量において少なくとも約０．００５％、さらに好ましくは約０．００１％、一層さらに好ましくは約０．００５％、及び最も好ましくは少なくとも約０．０１％で、及び約１０％未満で、好ましくは約５％未満で、及びさらに好ましくは約１％未満で包含される。その例はポーラー・ブリリアント・ブルー（Ｐｏｌａｒ Ｂｒｉｌｌｉａｎｔ Ｂｌｕｅ（酸ブルー１２７：１））、リキチント・パテント・ブルー（Ｌｉｑｕｉｔｉｎｔ ＰａｔｅｎｔＢｌｕｅ）、及びリキチント・ブルー６５（Ｌｉｑｕｉｔｉｎｔ Ｂｌｕｅ ６５）であり、全てミルケン・アンド・カンパニー（Ｍｉｌｌｉｋｅｎ ＆ Ｃｏｍｐａｎｙ）により、及びアシッド・ブルー８０（Ａｃｉｄ Ｂｌｕｅ ８０）で、オハイオ州シンシナティ（Ｃｉｎｃｉｎｎａｔｉ）のヒルトン・デイヴィス社（Ｈｉｌｔｏｎ−Ｄａｖｉｓ Ｃｏ．）による。油溶性青染料及び色素もまた用いることができる。
【０１４５】
（ｉｖ）ＵＶ吸収剤
理論により制限されないが、ＵＶ吸収剤は、布地及び布地に付着したいかなる布地柔軟剤化合物を、ＵＶへの暴露から保護することにより、機能する。ＵＶ光が自動酸化過程を開始することは既知であり、及び驚くべきことにＵＶ吸収剤は、ＵＶ光を布地及び布地＋組成物から遮るように布地上に付着し、それにより、自動酸化の開始を妨げることができる。
好ましくは、ＵＶ吸収剤化合物は波長約３１５ｎｍ〜約４００ｎｍの光を吸収し、好ましくは融点約２５℃〜約７５℃、さらに好ましくは約２５℃〜約５０℃を有する固体である。ＵＶ吸収剤は、組成物の質量において、少なくとも約０．００５％の、好ましくは少なくとも約０．０５％の、及び約１０％未満の、好ましくは約５％未満の濃度で包含される。
好ましくはこれらのＵＶ吸収剤化合物は、以下のものから成る群から選択される発色団の少なくとも１を含有する：
（Ｉ）
【０１４６】
【化１】
2004500493.tif 000007
【０１４７】
フェニルベンゾトリアゾール
（ＩＩ）
【０１４８】
【化２】
2004500493.tif 000008
【０１４９】
２−ヒドロキシベンゾフェノン
（ＩＩＩ）
【０１５０】
【化３】
2004500493.tif 000009
【０１５１】
ジベンゾイルメタン
（ＩＶ）
【０１５２】
【化４】
2004500493.tif 000010
【０１５３】
フェニルベンゾイミダゾール
（Ｖ）
【０１５４】
【化５】
2004500493.tif 000011
【０１５５】
Ｐ−アミノ安息香酸（ＰＡＢＡ）エステル
（ＶＩ）
【０１５６】
【化６】
2004500493.tif 000012
【０１５７】
ケイ皮酸エステル
（ＶＩＩ）
【０１５８】
【化７】
2004500493.tif 000013
【０１５９】
２−シアノ−３，３−ジフェニル−２−プロペン酸エステル
（ＶＩＩＩ）
【０１６０】
【化８】
2004500493.tif 000014
【０１６１】
サリチル酸エステル
及び
（ＩＸ）
これらの混合物；
上式において各Ｒは水素、メチル、エチル、Ｃ１〜Ｃ２２の分枝又は直鎖アルキル基、及びこれらの混合物であり、好ましくはメチル基であり；上式において発色団を含有する化合物は布地に染みを付けない、光安定化合物であり、好ましくは少なくとも１のＣ８〜Ｃ２２炭化水素脂肪族有機部分を含有し；上式において発色団は、波長約２９０ｎｍ〜約４５０ｎｍの光を吸収し；上式において化合物は融点約２５℃〜約９０℃を有する固体であるか、又は任意に約４０℃未満の温度で粘稠な液体である。
【０１６２】
好ましくはＵＶ吸収剤化合物は、（Ｉ）、（ＩＩ）、（ＩＩＩ）、（ＩＶ）、（Ｖ）、（ＶＩＩ）（ＶＩＩＩ）、及びこれらの混合物から成る群から選択される少なくとも１の発色団を含有する化合物であり；さらに好ましくはＵＶ吸収剤化合物は、（Ｉ）、（ＩＩ）、（ＩＩＩ）、（ＩＶ）、及びこれらの混合物から成る群から選択される少なくとも１の発色団を含有する化合物であり；一層さらに好ましくは（Ｉ）、（ＩＩ）及びこれらの混合物である。その上、少なくとも１つの式（Ｉ）の発色団を含有する化合物は特に好ましい。
さらに好ましくはこのようなＵＶ吸収化合物は、以下から成る群から選択される：
【０１６３】
【化９】
2004500493.tif 000015
【０１６４】
（Ｖ）
それらの混合物；
式中、Ｒ１は、水素又はＣ１〜Ｃ２２のアルキル基；好ましくは水素又はメチル基であり；
Ｒ２は、水素又はＣ１〜Ｃ２２のアルキル基；好ましくは水素又はメチル基であり；
Ｒ３は、Ｃ１〜Ｃ２２のアルキル基；好ましくはＣ８〜Ｃ１８のアルキル基であり；さらに好ましくはＣ１２〜Ｃ１８アルキル基であり；
Ｒ４はそれぞれ、水素、Ｃ１〜Ｃ２２のアルキル基、及びそれらの混合物であり；好ましくはメチル基、Ｃ８〜Ｃ２２のアルキル基、及びそれらの混合物であり、さらに好ましくはＲ４の１つがＣ１０〜Ｃ２０のアルキル基、好ましくはＣ１２〜Ｃ１８のアルキル基であり、その他のＲ４基がメチル基であり；
Ｒ５はそれぞれ、水素、ヒドロキシ基、Ｃ１〜Ｃ２２のアルキル基、（エステル、アミド、又はエーテル中断基でありうる）、及びそれらの混合物であり、好ましくは、水素、ヒドロキシ基、及びそれらの混合物、さらに好ましくは水素であり；
Ｒ６は、水素、ヒドロキシ基、メトキシ基、Ｃ１〜Ｃ２２のアルキル基、（エステル、アミド、又はエーテル中断基でありうる）、及びそれらの混合物であり、好ましくはエーテル又はエステル中断基を持ったＣ１〜Ｃ２２のアルキル基、及びそれらの混合物、さらに好ましくはメトキシ基、エーテル又はエステル中断基を持ったＣ８〜Ｃ２２のアルキル基、及びそれらの混合物であり；
Ｒ７は、水素、ヒドロキシ基、又はＣ１〜Ｃ２０のアルキル基、好ましくは、水素又はヒドロキシ基、さらに好ましくはヒドロキシ基であり；
Ｒ８は、水素、ヒドロキシ基、又はＣ１〜Ｃ２２のアルキル基、（エステル、アミド、又はエーテル中断基でありうる）であり；好ましくはＣ１〜Ｃ２２のアルキル基；さらに好ましくはＣ１〜Ｃ８のアルキル基、及び一層さらに好ましくはメチル基、「第３級」−アミル基、又はドデシル基であり；並びに
Ｒ９は、水素、ヒドロキシ基、又はＣ１〜Ｃ２２のアルキル基、（エステル、アミド、又はエーテル中断基でありうる）であり；好ましくは「第３級」−アミル、メチルフェニル基、又はココジメチルブタノエート基である。
【０１６５】
これらのＵＶ吸収剤化合物は、波長約２９０ｎｍ〜約４５０ｎｍの、好ましくは約３１５ｎｍ〜約４００ｎｍの光を吸収する。
Ｒ５、Ｒ６、Ｒ７、Ｒ８、及びＲ９は相当するエステル結合中断基と、短いアルキレン（Ｃ１〜Ｃ４）基により中断されることができる。
【０１６６】
本発明の好ましいＵＶ吸収剤は、ＰＡＢＡ、ベンゾフェノン、ケイ皮酸、及びフェニルベンゾトリアゾールの脂肪族誘導体、具体的にはオクチルジメチルＰＡＢＡ、ジメチルＰＡＢＡラウリルエステル、ジメチルＰＡＢＡオレオイルエステル、ベンゾフェノン−３ココアセテートエーテル、商品名スペクトラ−ソルブ（Ｓｐｅｃｔｒａ−Ｓｏｒｂ（登録商標））ＵＶ−９としてシンナミド（Ｃｙａｎａｍｉｄ）より入手可能であるベンゾフェノン−３、商品名チヌビン（Ｔｉｎｕｖｉｎ（登録商標））３２８としてチバ・ガイギー（Ｃｉｂａ−Ｇｅｉｇｙ）より入手可能である２−（２’−ヒドロキシ−３’，５’−ジ−ｔ−アミルフェニルベンゾトリアゾール、チヌビン（Ｔｉｎｕｖｉｎ（登録商標））ココエステル２−（２’−ヒドロキシ−，３’−（ココジメチルブタノエート）−５’−メチルフェニル）ベンゾトリアゾール、及びこれらの混合物から成る群から選択される。本発明の好ましいＵＶ吸収剤は、ベンゾトリアゾール誘導体であり、それはこれらの物質はＵＶの範囲を通じて広く吸収するためである。好ましいベンゾトリアゾール誘導体は、２−（２’−ヒドロキシ−，３’−ドデシル，５’−メチルフェニル）ベンゾトリアゾール、及びココ３−［３’−（２Ｈベンゾトリアゾール−２’−イル）−５−ｔ−ブチル−４’−ヒドロキシフェニル］プロピオネートから成る群から選択され、２−（２’−ヒドロキシ−，３’−ドデシル，５’−メチルフェニル）ベンゾトリアゾールは、商品名チヌビン（Ｔｉｎｕｖｉｎ（登録商標））５７１（チバ（Ｃｉｂａ））としてチバ・ガイギー（Ｃｉｂａ−Ｇｅｉｇｙ）より入手可能である。
【０１６７】
他の従来のＵＶ吸収剤も用い得るが、一般にそれほど好適ではないのは、それらはそれほど有効に面に付着せず、布地を変色させることもあり、常に安定又は組成物中の他の成分と適合性があるというわけではなく、高価なことも多いためである。
【０１６８】
（Ｖ）酸化安定剤
酸化安定剤は本発明の酸化過程におけるスカベンジャーとして作用し、自動酸化を防止及び／又は終了するか、又は酸化を反転させて、黄ばみも反転させることにより、黄ばみを防止するために組成物中に存在することができる。本明細書で用いる場合、「酸化安定剤」という言葉には、酸化防止剤及び還元剤が包含される。これらの剤は、酸化防止剤としては０％〜約２％、好ましくは約０．０１％〜約０．２％、さらに好ましくは約０．０３５％〜約０．１％の濃度で、及び好ましくは還元剤としては約０．０１％〜約０．２％の濃度で存在する。
【０１６９】
本組成物及び本発明の製法に添加し得る酸化防止剤の例には、アスコルビン酸、アスコルビン酸パルミチン酸塩、没食子酸プロピルの混合物が挙げられ、イーストマン・ケミカル・プロダクツ社（Ｅａｓｔｍａｎ Ｃｈｅｍｉｃａｌ Ｐｒｏｄｕｃｔｓ、 Ｉｎｃ．）より商品名テノックス（Ｔｅｎｏｘ（登録商標））ＰＧ、及びテノックス（Ｔｅｎｏｘ（登録商標））Ｓ−１として入手可能であり；ＢＨＴ（ブチル化ヒドロキシトルエン）、ＢＨＡ（ブチル化ヒドロキシアニソール）、没食子酸プロピル、及びクエン酸の混合物が挙げられ、イーストマン・ケミカル・プロダクツ社（Ｅａｓｔｍａｎ ＣｈｅｍｉｃａｌＰｒｏｄｕｃｔｓ、 Ｉｎｃ．）より商品名テノックス（Ｔｅｎｏｘ（登録商標））−６として入手可能であり；ブチル化ヒドロキシトルエンが挙げられ、ＵＯＰプロセス・ディヴィジョン（ＵＯＰ Ｐｒｏｃｅｓｓ Ｄｉｖｉｓｉｏｎ）より商品名サスタン（Ｓｕｓｔａｎｅ（登録商標））ＢＨＴとして入手可能であり；ｔ−ブチルヒドロキノンが挙げられ、イーストマン・ケミカル・プロダクツ社（Ｅａｓｔｍａｎ Ｃｈｅｍｉｃａｌ Ｐｒｏｄｕｃｔｓ、 Ｉｎｃ．）より商品名テノックス（Ｔｅｎｏｘ（登録商標））ＴＢＨＱとして入手可能であり；天然のトコフェロールが挙げられ、イーストマン・ケミカル・プロダクツ社（Ｅａｓｔｍａｎ Ｃｈｅｍｉｃａｌ Ｐｒｏｄｕｃｔｓ、 Ｉｎｃ．）より商品名テノックス（Ｔｅｎｏｘ（登録商標））ＧＴ−１／ＧＴ−２として入手可能であり；及びブチル化ヒドロキシアニソールが挙げられ、イーストマン・ケミカル・プロダクツ社（Ｅａｓｔｍａｎ Ｃｈｅｍｉｃａｌ Ｐｒｏｄｕｃｔｓ、 Ｉｎｃ．）よりのＢＨＡであり；長鎖エステル（Ｃ８〜Ｃ２２）の没食子酸、例えば没食子酸ドデシルが挙げられ；イルガノックス（Ｉｒｇａｎｏｘ（登録商標））１０１０；イルガノックス（Ｉｒｇａｎｏｘ（登録商標））１０３５；イルガノックス（Ｉｒｇａｎｏｘ（登録商標））Ｂ１１７１；イルガノックス（Ｉｒｇａｎｏｘ（登録商標））１４２５；イルガノックス（Ｉｒｇａｎｏｘ（登録商標））３１１４；イルガノックス（Ｉｒｇａｎｏｘ（登録商標））３１２５；及びこれらの混合物が挙げられ、好ましくはイルガノックス（Ｉｒｇａｎｏｘ（登録商標））３１２５；イルガノックス（Ｉｒｇａｎｏｘ（登録商標））１４２５；イルガノックス（Ｉｒｇａｎｏｘ（登録商標））３１１４；及びこれらの混合物が挙げられ、さらに好ましくはイルガノックス（Ｉｒｇａｎｏｘ（登録商標））３１２５で、単独で、又はクエン酸及び／又は他のキレート化剤との混合によるものが挙げられ、この他のキレート化剤は、例えばクエン酸イソプロピル、モンサント（Ｍｏｎｓａｎｔｏ）より化学名１−ヒドロキシエチリデン−１，１−ジホスホン酸（エチドロン酸）として入手可能なデクエスト（Ｄｅｑｕｅｓｔ（登録商標））２０１０、及びコダック（Ｋｏｄａｋ）より化学名４，５−ジヒドロキシ−ｍ−ベンゼン−スルホン酸／ナトリウム塩として入手可能なチロン（Ｔｉｒｏｎ（登録商標）、及びアルドリッチ（Ａｌｄｒｉｃｈ）より化学名ジエチレントリアミン五酢酸として入手可能なＤＴＰＡ（登録商標）である。
【０１７０】
多不飽和化合物が存在する布地柔軟剤の原材料を作る工程中のいかなる時点でも酸化安定剤を加えることができる。例えば、布地柔軟材の製造中及び／又は保存中の脂肪酸の製造及び／又は保存の間に、脂肪酸を製造するのに用いられる油分の中にこれらを加えることができる。これらによって長期の保存条件下における良好な臭気安定性が確保される。匂いをつけない又は匂いの少ない製品（香料がない又は少ない）を製造するのに用いられる加工工程にこれらを加えることは特に重要である。
【０１７１】
（ｖｉ）白色保存剤の組み合わせ
白色保存剤の組み合わせはまた本発明において有用である。
【０１７２】
１０．それらの混合物
任意の皺調整補助剤、任意の臭気抑制剤、任意の香料、任意の抗細菌活性物質、任意のアミノカルボキシレートキレート化剤、任意の水溶性ポリイオン系ポリマー、任意の静電気防止剤、任意の防虫剤、任意の着色剤、任意の目詰まり防止剤の多種多様な混合物及び組み合わせを本皺抑制組成物に用いることができる。
【０１７３】
ＩＩ．噴霧の型
布地の処置に用いられるであろう最適性能を生み出すために、最適な噴霧の型を提供することが重要である。染み付きを最小にし、乾燥時間を減少するのに有効な主要パラメータは、液体製品の布地表面積への均一な散布を実現することである。このことは、成分が水性システムに加えられその他の成分に対する水の量が減少したとき、さらに重要になる。水ではない成分のレベルが高くなればなるほど、布地に染みを残すリスクは大きくなる。噴霧の型の均一な散布は：単位表面積当りの散布された製品の体積及び単位表面積当りの沈着された体積における標準偏差として測定される。均一な散布を達成するために、選択された噴霧器は、本明細書で開示される単位表面積当りの散布された製品の体積及び単位表面積当りの体積の標準偏差における限度範囲に入る許容可能な噴霧型を生じることが可能でなければならない。
【０１７４】
組成物また良好な散布の型を実現するために、特定の要件を満たす必要がある。理論により制限されないが、製品の外延的な粘度が増加するに従って、噴霧時に粒子が分離することはより困難になり、噴霧の円錐角が崩壊して布地面のより小さい領域に液体が散布される結果となり、受け入れられる噴霧器が用いられた場合でさえ、「ホットスポット」の形成を強いられることになる。そのため製品組成物は、外延的な粘度について特定の要件を満たさなければならない。外延的な粘度は通常、トルートン（Ｔｒｏｕｔｏｎ）比により表され、これは外延的粘度の剪断粘度に対する比である。
流体の外延的レオロジーを測定するのに用い得る多くの技術があり、それらは通常二つの範疇に分類される。第一の範疇は「貫流」装置であり、第二は「停滞点」装置である。測定装置を「指標」と呼ぶ方が、「レオメーター」と呼ぶよりむしろ正確であることに留意されたいが、これは外延的測定装置においては通常、圧力への応答から外部圧力の影響をなくすことはできないためでる。
【０１７５】
第一の装置の多くは、管のないサイフォンのような回転できる流体、及び回転技術に依存している。これらの技術は通常、ひずみの割合が低い、及び一般に高度に粘稠又は弾力性のある流体に限られる。そのためこれらの噴霧への適用性は限られているであろう。回転技術の例は紡織であり、「液滴落下」又は「フィラメント伸張」である。あるいは開口部流体技術であり、これは収縮による圧力低下を測定するものであるが、回転できない流体に用いることができる。しかしながら、データの解釈はニュートン流体においてさえ簡単なものではない。非ニュートン流体においては、再循環する渦巻きや粘弾性的不安定度があるために、その困難さは更によりはっきりしたものになる。流体技術の他の変形は「充填層」又は「スクリーンパック」の還流のものである。層又はパックの増加する粘性は、外延的粘度の存在を示す。しかしながら還流スクリーンパックは、絶対値を測定するよりも外延的粘度の相対的指標をもたらす。
【０１７６】
一方、停滞点装置、例えば回転ミル、潤滑性ダイ合流レオメーター（ｌｕｂｒｉｃａｔｅｄ−ｄｉｅｃｏｎｖｅｒｇｉｎｇｆｌｏｗｒｈｅｏｍｅｔｅｒ）、クロス・スロットセル、及び逆噴射装置を低粘度流体の外延的性質の研究に用いることができる。レオメトリックスＲＦＸ（Ｒｈｅｏｍｅｔｒｉｃｓ ＲＦＸ）レオメーター（レオメトリック・サイエンティフィック社（Ｒｈｅｏｍｅｔｒｉｃ Ｓｃｉｅｎｔｉｆｉｃ Ｉｎｃ．）、ニュージャージー州ピスケイタウェイ（Ｐｉｓｃａｔａｗａｙ））は逆噴射装置であり、市販されている。最後に、上記で参照した多様な装置による外延的粘度のデータの比較は、各装置が試料として扱った染みが異なる由来をもつため、困難である。従って、このような異なった装置から得られた粘度は広範囲に分散することが予想される。
受け入れられる噴霧の型を提供する噴霧器は、単位表面積当りの体積約０．０７ｍｌ／ｉｎｃｈ２未満（０．０１１ｍｌ／ｃｍ２未満）を；好ましくは約０．０５ｍｌ／ｉｎｃｈ２未満（０．０７８ｍｌ／ｃｍ２未満）を；さらに好ましくは約０．０３５ｍｌ／ｉｎｃｈ２未満（０．０５４ｍｌ／ｃｍ２未満）を；一層さらに好ましくは約０．０２５ｍｌ／ｉｎｃｈ２未満（０．００３９ｍｌ／ｃｍ２未満）を；及び最も好ましくは約０．０２ｍｌ／ｉｎｃｈ２未満（０．００３１ｍｌ／ｃｍ２未満）を散布し；単位表面積当り体積の標準偏差が約０．０５６ｍｌ／ｉｎｃｈ２未満（０．００８７ｍｌ／ｃｍ２未満）であり；好ましくは約０．０５ｍｌ／ｉｎｃｈ２未満（０．００７８ｍｌ／ｃｍ２未満）であり；さらに好ましくは約０．０３ｍｌ／ｉｎｃｈ２未満（０．０４７ｍｌ／ｃｍ２未満）であり；一層さらに好ましくは約０．０２２ｍｌ／ｉｎｃｈ２未満（０．００３４ｍｌ／ｃｍ２未満）であり；尚さらに好ましくは約０．０２ｍｌ／ｉｎｃｈ２未満（０．００３１ｍｌ／ｃｍ２未満）であり；及び最も好ましくは約０．０１８ｍｌ／ｉｎｃｈ２未満（０．００２８ｍｌ／ｃｍ２未満）である。
【０１７７】
伸張及び剪断速度が約２０，０００ｓ−１未満におけるトルートン（Ｔｒｏｕｔｏｎ）比は、約１０，０００未満、好ましくは約５，０００未満、さらに好ましくは約１，０００未満、一層さらに好ましくは５００未満、及び尚さらに好ましくは約１００未満であることが必要である。
本明細書において望ましい噴霧の型を提供するのに用いられる好適な噴霧散布器として挙げられるが、これらに限定されないものは、インデスコ（Ｉｎｄｅｓｃｏ）Ｔ−８５００であり、コネチカット・スプレイヤー社（Ｃｏｎｔｉｎｅｎｔａｌ Ｓｐｒａｙｅｒｓ Ｉｎｃ．）より入手可能であり；ＴＳ−８００−２及びＴＳ−８００−２Ｅであり、カルマー社（Ｃａｌｍａｒ， Ｉｎｃ．）より入手可能である。
【０１７８】
ＩＩＩ．製品
本発明はまた、（１）噴霧散布器、（２）容器、及び（３）皺制御組成物を含む製造物品も包含する。任意で、本発明の製造物品は物品に付随する一揃いの使用説明書を包含することができる。後述するように、多種多様の容器、組成物、噴霧散布器及び使用説明書が本発明の製造物品に使用され得る。
本発明の製造物品は任意で、しかし好ましくは一揃いの使用説明書を含み、この一揃いの使用説明書は通常は容器に付随する。一揃いの使用説明書は通常、：皺を減らすことに加えて微生物を殺傷すること又はそのレベルを減らすこと；悪臭を減らすこと；柔軟性を改善すること、外観を改善すること、害虫を忌避すること、及び／又は静電気を減らすことから成る群から選択されるものを含む問題の解決を提供するために有効量にて組成物を散布すること及び／又はそのようなものに関する利益の供給を本物品の消費者に伝える。本物品の消費者がこれらの追加の利益について承知していることは重要であり、それはそうでないと消費者は、組成物がこれらの問題又は問題の組み合せを解決すること、及び／又は組成物がこれらの利益又は利益の組み合せを提供することを知ることがないためである。
【０１７９】
本明細書で使用されるとき、語句「付随する」及び「付随した」は、一揃いの使用説明書を製造物品の消費者に伝えることができるように、一揃いの使用説明書が容器を包装する容器それ自体の上に直接印刷されるか、又はパンフレット、印刷広告、電子広告、及び／又は放送伝達を含むが、これに限定されない別の方式で提示されるかのいずれかであることを意味する。一揃いの使用説明書は好ましくは、示された利益を提供するために、好ましくは噴霧により組成物の有効量を適用する指示を含み、この示された利益には、例えば皺の減少、及び任意に抗細菌作用、及び／又は静電気防止効果などがあり、また任意に臭気の抑制及び／又は減少がある。
使用説明書についてのより完全な開示は、この後に提示する。
【０１８０】
Ａ．噴霧散布器が提供する噴霧の型
噴霧の型を提供する噴霧器は、単位表面積当りの散布された製品の体積及び単位表面積当りの体積における標準偏差によって表される均一な散布に一致する噴霧の型を提供すべきである。最適な噴霧の型は上文に記載されている。かかる型を生み出す噴霧器の非限定例には、カルマー（Ｃａｌｍａｒ）社から入手可能なＴＳ−８００−２及びＴＳ−８００−２Ｅ及びコンチネンタルスプレヤー社（Ｃｏｎｔｉｎｅｎｔａｌ Ｓｐｒａｙｅｒｓ Ｉｎｃ．）（「ＣＳＩ」）から入手可能なインデスコ（Ｉｎｄｅｓｃｏ）が挙げられる。
【０１８１】
Ｂ．容器
皺制御組成物はいかなる従来の容器に保持されてもよいし、それから散布されてもよい。容器は皺制御組成物のためにリザーバとして役立つが、そうでなくても本発明には重要ではない。容器は特定の用途に対して様々なサイズであってもよい。例えば、皺制御組成物の約５００ｍｌを超える容器は、再充填目的にとって好ましい。５００ｍｌの容量の容器は組成物の日常用途にとってさらに好ましい。さらに、約４００ｍｌ未満の、好ましくは２５０ｍｌ未満の、及び一層さらに好ましくは１５０ｍｌ未満の容量を有する容器は、「旅行」の際に使用するのに好都合なことに携帯用である。
【０１８２】
Ｃ．皺制御組成物
本発明の製造物品は、これ以前のＩ節で記載した組成物による皺抑制組成物を含むことができる。本発明の組成物は、処置する布地上に組成物を容易に散布するため、好ましくは噴霧散布器のような容器に保持される。
【０１８３】
Ｄ．一揃いの使用説明書
製造物品は任意で、問題を解決するために及び／又は利益の供給をするために、有効な量で組成物を使用するための一揃いの使用説明書と付随して、容器内に本発明の組成物を含むことができるが、この問題及び／又は利益は、細菌を殺す又は減少すること；臭気を減少すること；布地のアイロンがけにかかる時間及び／又は労力を減少すること；及び／又は皺を減少することに加えて静電気を減少することから成る群から選択されるものに関連する。消費者がこれらの追加の利益について承知していることは重要であり、それはそうでないと消費者は、組成物がこれらの問題を解決すること、及び／又は組成物がこれらの利益を提供することを知ることがないためである。
【０１８４】
本明細書で使用されるとき、語句「付随する」及び「付随した」は、一揃いの使用説明書を製造物品の消費者に伝えることができるように、一揃いの使用説明書が容器それ自体の上に直接印刷されるか、又はパンフレット、印刷広告、電子広告、及び／又は口頭伝達を含むが、これに限定されない別の方式で提示されるかのいずれかであることを意味する。一揃いの使用説明書は好ましくは、示された利益を提供するために、好ましくは噴霧により組成物の有効量を適用する指示を含み、この示された利益には、例えば皺の減少、抗細菌作用、静電気効果、及び／又はアイロンにかかる時間及び／又は労力の減少、及び任意に臭気の抑制及び／又は減少という主要な効果の提供がある。
本発明の物品の一揃いの使用説明書は、皺抑制組成物のいかなる使用法を実行することにより、本明細書で論じた利益を達成するという指示、又は指示類を含んでもよく、この皺抑制組成物には本明細書で記載するように、本発明のシリコーン油エマルション組成物が包含される。
【０１８５】
ＩＶ．使用方法
本質的に水及び例えば、アルキレンオキシドポリシロキサンコポリマー、界面活性剤、悪臭抑制剤、芳香剤、抗菌化合物などのような任意成分を含む、上文に記載されるような皺制御組成物は、例えば、有効量の水溶液を処理されるべき表面又は物品に載せることによって、散布することにより用いることができる。皺組成物を散布する噴霧型の散布器を用いて散布を達成することができる。皺の抑制において、有効量とは布地の皺の見かけを取り除く又は目覚ましく減少するのに十分な量を意味する。臭気抑制において、本明細書で定義する有効量とは、感知された臭気の目覚ましい減少に効果をもつ、臭気の吸収に十分な量を意味し、この臭気の減少は好ましくは、人間の臭覚により認識できない点までである。静電気の抑制において、本明細書で定義する有効量とは、布地上の電位差及び布地同士のくっ付きを目覚ましく減少するのに十分な量を意味する。好ましくは溶液の量は、前記物品又は面上に液体のたまりを作り出したり、満たしたりしない量であり、その結果乾燥したときに、すぐに識別できる明確な付着をしない量である。
【０１８６】
好ましくは、本発明は布地でない面に組成物を散布することは包含しない。しかしながら、任意のシクロデキストリンが組成物中に存在する場合には、組成物は他の面にも臭気抑制のため用い得る。しかしながら、こうした組成物で光沢のある面、例えば、クロム、ガラス、滑らかなビニール、皮革、光沢のあるプラスティック、光沢のある木などを処置する場合には、こうした面上では染み、被膜が生じる可能性があるため注意が必要である。しかしながら、見かけが重要ではない場合には、任意のシクロデキストリンを含有する本発明の組成物は、臭気抑制の利益を得るため、光沢のある面に噴霧され得る。シクロデキストリン溶液は人間の皮膚に用いることが可能であるが、特に組成物中に抗細菌活性物質が存在する場合には注意が必要である。
布地の皺抑制剤を含有する本発明の組成物及び物品は、布地、衣服、家庭用の布地、例えばカーテン、ベッド・スプレッド、枕カバー、テーブルクロス、ナプキンなどを処置して、前記対象物の望ましくない臭いを任意に除去又は減少することに加えて、望ましくない皺を除去又は減少するために用いることができる。
【０１８７】
本発明の液体組成物の有効量が、布地特に衣料品に、好ましくは噴霧される。組成物が布地に噴霧される場合、少なくとも皺が存在する場所には、布地上に有効量が付着し、布地が湿り、又は組成物が完全に染み込む必要があり、それは布地の質量において、通常約５％〜約１５０％、好ましくは約１０％〜約１００％、さらに好ましくは約２０％〜約７５％である。ポリマー活性物質の量は、布地の質量において通常約０．００１％〜約２％、好ましくは約０．０１％〜約０．５％、さらに好ましくは約０．０２％〜約０．２％で、布地上に噴霧される。組成物の有効量が布地に噴霧されると、布地は任意ではあるが好ましくは、まだ湿っている間に引き伸ばされる。布地は通常、皺にはっきりとした明確な線がある場合は、皺に対して垂直に引き伸ばされる。布地は、噴霧されまだ湿っている間に、手によってもまた皺を伸ばされる。ある場合には、噴霧の後更に手で操作せずに、まだ湿っている間に、単に布地をハンガー又は洗濯ロープに吊るしておくことも受け入れられる。衣類の領域の中又は端に、縫われて接合した箇所がある場合には、皺を伸ばす動作はその領域に特に効き目がある。いったん布地が噴霧され、任意ではあるが好ましくは、引き伸ばされ又は皺が伸ばされた後には、再び皺が現れるのを減少するため、乾くまで吊るしておくか、又は圧力をかけて保持する。
【０１８８】
本発明の組成物はまた、アイロンかけの補助としても用い得る。組成物の有効量が布地上に噴霧するされることができ、布地はアイロンをされるべき通常の温度でアイロンされる。布地は、組成物の有効量を噴霧され、乾燥され、その後アイロンされるか、又は噴霧され、直ちにアイロンされるかのどちらでもよい。
衣服に次の洗濯サイクルが必要になる前の時間を拡張するために、本明細書の組成物は特に有用である。こうした衣服には、制服、及び通常は工業プロセスにおいて処置される他の衣服が挙げられ、これらは皺を除去され、及び／又は清新にされ、そして処置と処置との間の時間を拡張される。
好ましいアルキレンオキシドシリコーンコポリマーの存在は、ザラザラした感触のシクロデキストリン、その他の配合成分又は洗剤残留物の影響を弱めることができる、柔軟性及び潤滑性を表面に付与する。好ましい界面活性剤があると溶液が拡がるのを促進し、そして極めて好ましい抗細菌活性物質は、臭気の形成を最小限にして、改善された臭気抑制、並びに抗細菌作用を提供する。界面活性剤、及び抗細菌活性物質の両方共が改善された性能を提供し、混合物は特に良好である。これ以前に開示されたように、組成物が非常に小さい粒子の形態（液滴）で適用された場合は追加の利益が見出されるが、それは散布が更により改善され、全体の性能が高められるからである。
【０１８９】
布地は皺抑制組成物により、乾燥された状態、又は湿った状態のいずれかにおいて処置され得る。ある状況では衣服又は布地を、これらの衣服又は布地が乾いている間に処置することが好ましい。例えば、布地が既に乾いている場合、及び／又はその代わりに移動させるのが困難な場合、例えば既に吊るされている窓カーテン、又はシャワーカーテン、又は既にベッド上にあるベッド用布製品、又はすぐに着用する乾いた衣服に少しの皺がある場合に、これらの皺を伸ばすのに皺抑制組成物を用いようとする場合、これらの品を既に乾いたその状態で処置することが好ましい。特に好ましい状況には、圧縮により皺の寄った乾いた衣料品又は布地が伴われるが、この圧縮には例えば、自動衣料品乾燥機による乾燥サイクルの終わりからしばらくの間、及び／又は着用条件により皺が寄った後しばらくの間、窮屈な入れ物（スーツケース、トランク）の中に保管されていたこと、窮屈な空間（衣装戸棚、収納棚）に押し込まれていたことが挙げられる。ある状況では、布地が乾燥する前の湿った状態にある間に処置するのが、簡単に皺を伸ばすために好ましい。例えば消費者は通常、布地を扱うのは、これらの布地が乾燥するために、物干し綱又はハンガーに吊るされている間が好都合であることを見出すであろうが、例えば、手洗い用衣服の場合、濯ぎの直後、乾燥の前に処置するのが多くの場合より好都合である。一般に、皺抑制組成物については、乾燥した布地は水及び／又は溶媒の一部を吸収し、有効成分の移動性を減らすので、乾燥した布地に対して濡れた布地の方が皺抑制組成物からの有効成分が良好に広がるので、濡れた状態で処理するのが好ましい。
【０１９０】
皺抑制組成物が幾分かの分離を示した場合には、使用前によく振って、良好な散布、及び分量が不変であることを保証することが望ましい。次に噴霧器の先端を「ＯＮ」と記された位置に、又は制動機構が作動されると噴霧器の流れが放出することを示すために記された位置に動かす。送達の異なる速度、又は噴霧の型を示すために、記された位置が１より多くあってもよい。望ましい特徴をもつ流れを選択する。衣服を本明細書の皺抑制組成物で処置する場合には、散布手段を保持することが推奨されるが、それは例えば噴霧瓶であってノズルが衣服に向いていおり、ノズルの布地からの距離が通常、短い方の距離で布地から少なくとも約２インチ、好ましくは布地から少なくとも約３インチ、さらに好ましくは布地から少なくとも約４インチ、一層さらに好ましくは布地から少なくとも約５インチ、及び最も好ましくは布地から少なくとも約６インチであり、一方長いほうの距離が布地から約１５インチ未満、好ましくは約１２インチ未満、さらに好ましくは約１０インチ未満、一層さらに好ましくは９インチ未満、及び最も好ましくは８インチ未満である。通常、皺抑制組成物は布地の面全体の範囲を均一に被覆するような方法で適用する必要がある。不連続な噴霧動作により、例えば布地のある１点を噴霧し、その後布地の別の点に移動して噴霧することにより、全体の衣服を処置することが受け入れられる一方で、布地全体を素早く通過する動作を用いて、皺抑制組成物の最大の拡散及び被覆範囲を増大させることが好ましい。この均一な散布は従来動力つき噴霧器、例えば電池又は電源による動力を用いて達成されていた。より困難な皺が布地上に存在する場合、布地全体よりもこれらの皺の寄った部位に皺抑制組成物のより多くの分量を集中させることが通常望ましい。より軽い皺を有する衣服には、一般にこれらの部位全体に皺抑制組成物を適用することが好ましい。しかしながら、布地の目に入る部分のみを処置することは受け入れられ、例えばシャツの場合、後ろはジャケットで覆われるため、前のみが目に入るであろう。
【０１９１】
乾燥した布地が皺抑制組成物で処置される場合、用いられるべき皺抑制組成物の量は幾つかの要素に依存し、その要素には布地の質量、布地の種類、布地上の皺の種類が挙げられるが、これらに限られない。布地は幾つかの種類の皺を有することができる。１つの皺の種類はその相対的深さ、及び鋭さにより特徴付けられる。こうした皺は除去するのが困難で、より多くの皺抑制組成物、及び除去のために使用者のより多くの労力を必要とする。布地が、皺の除去にこうした困難さを有し、又は布地が重い場合、皺抑制組成物は通常、より低い濃度で、布地の重さに対して少なくとも約０．０１倍で、好ましくは布地の重さに対して少なくとも約０．１倍で、さらに好ましくは布地の重さに対して少なくとも約０．２５倍で、及びより高い濃度では、布地の重さに対して約２倍で、さらに好ましくは布地の重さに対して約１．５倍で、一層さらに好ましくは布地の重さに対して約１倍で、及び最も好ましくは布地の重さに対して約０．７５倍で適用される。
【０１９２】
別の種類の皺は幅が広いこと及び深さがないことで特徴付けられ：こうした皺は多くの場合「へこみ」、「たるみ」、又は「よれ」と呼ばれる。こうした皺は多くの場合、除去するのが上記の鋭い種類の皺ほど困難ではない。布地の質量がより軽く、又は除去するのにそれほど困難ではない皺を有する場合、皺抑制組成物は通常、より低い濃度で、布地の重さに対して約０．００１倍で、好ましくは布地の重さに対して約０．０１倍で、さらに好ましくは布地の重さに対して約０．０５倍で、一層さらに好ましくは布地の重さに対して約０．１倍で、及び最も好ましくは布地の重さに対して約０．２５倍で、及びより高い濃度では、布地の重さに対して約１．５倍で、好ましくは布地の重さに対して約１倍で、さらに好ましくは布地の重さに対して約０．７５倍で、及び最も好ましくは布地の重さに対して約０．５倍で適用される。染み付きの可能性を減らすために、布地から皺を除くのに必要とされる皺抑制組成物の総量を最小限に抑えることが常に好ましい。
【０１９３】
布地が皺抑制組成物で処置された後、皺を抑制する援助をするため用い得る、幾つかの操作がある。衣服は皺に対して垂直及び平行の両方に（又は皺の回りのいかなる角度において）引き伸ばすことが可能であり、それにより衣料品から皺が軽減されるであろう。皺の線に対して垂直方向に布地を引き伸ばすことは、衣料品から皺を除去するのに特に有用である。布地はまた、アイロンを用いてするのと同じように手で押すこと、及び手を滑るように動かすことにより皺を伸ばすことができる。引き伸ばす及び／又は皺を伸ばす手順は、例えば衣類ハンガーに垂直に吊るされた衣服に対して、又は水平面、例えばベッド、アイロン台、テーブル面などに広げられた衣服に対して行い得る。処置の後で皺を緩和する別の方法は、皺を緩和するのに十分なエネルギーで布地を振り広げることであり、ある場合には布地が叩かれたような音を立て、又は叩かれたような動きをするのに十分なエネルギーを付与することが必要であろう。皺はまた布地の皺を伸ばすのを助けるように設計された道具を用いて、布地から除去することができるであろう。こうした道具は、手と皺抑制組成物との間の接触を避けることを望む場合は有用であろう。多くの織物又は衣服はまた布地に、多くの場合折り目又はひだと称される折り曲げを含有するが、それは望ましいことである。こうした折り目又はひだは多くの場合ズボンの前脚、及び袖の横に見出される。ひだを保つため衣服の形が整えられる間に、これらは補強され得る。ひだは圧力をかけることにより補強されるが、これは通常、手又は道具のいずれかにより布地をつまみ、この圧点からひだを引っ張るか、又は衣服を吊るすことにより、その結果ひだのところで衣服が折れ、重力の圧力によりひだを補強する。次に布地は乾燥中に皺のないままでいるように、平らに広げられて乾燥されるか、又はハンガー又は他の幾つかの装置により吊るされることが必要である。乾燥中、皺のない見かけを保つため、布地及び衣服には重要な点で、質量が付加される。衣服を処置するために用いられる製品の量、及び衣服の質量によるが、衣服は空気中で乾燥される必要があり、その時間は最長で約２４時間未満、好ましくは約１２時間未満、さらに好ましくは約６時間未満、なおさらに好ましくは約３時間未満、及び最も好ましくは約２時間以下であり、乾燥時間の最低限は約５分間以上であり、好ましくは約１０分間より長く、さらに好ましくは約１５分間以上であり、なおさらに好ましくは約３０分間以上であり、及び最も好ましくは約６０分間以上である。非常に湿っている布地を皺抑制組成物による処置に先立って、より長い期間乾燥させることは好ましい。より多くの皺抑制組成物により処置した布地を、より長い期間乾燥させることもまた好ましい。
【０１９４】
加熱により、又は布地の面に空気を吹きつけることにより、又はその両方により乾燥を援助することは好ましい。そのため、皺抑制組成物の使用に続いて、衣料品を乾燥するのを援助する電気製品により布地を処置することは時には望ましい。こうした電気製品の非限定的な例には、衣料品乾燥機、及び手持ち式ヘアードライヤーがある。皺抑制組成物は、電気製品との組み合わせにより、乾燥した、又は湿った布地の両方に用い得る。例えば、衣料品乾燥機内で衣料品が乾燥され、次にうっかりして衣料品乾燥機内、又は洗濯かごに残された場合、又は何らかの面、又は何らかの容器内に折り畳まずに積み重ねられた場合、湿った又は乾燥した衣料品の両方にひどく皺ができる可能性がある。この状況を改善するため、皺抑制組成物は、衣料品乾燥機との組み合わせにより、布地又は衣服の１枚、並びに布地又は衣服の束、又は塊から皺を除去するために用い得る。通常縮みやすい傾向を有する繊維、例えば、ウール、絹、レーヨンなどについては低い熱又は冷たい空気による乾燥が好ましい。
【０１９５】
バッチで衣服を処理するために及び／又は噴霧後直ちに衣服を乾燥するために、布地又は衣服を乾燥機に入れる前に布地又は衣服の上に皺抑制組成物を噴霧することができる。
乾燥機を介して皺抑制組成物を用いる場合、約１５ｌｂｓ（約６．８ｋｇ）未満の、好ましくは約１０ｌｂｓ（約４．５ｋｇ）未満の、さらに好ましくは約８ｌｂｓ．（約３．６ｋｇ）未満の、一層さらに好ましくは約６ｌｂｓ．（約２．７ｋｇ）未満の及び最も好ましくは約４ｌｂｓ．（約１．８ｋｇ）以下の典型的なサイズを持つさらに小さな包みを用いることが好ましい。
【０１９６】
布地を衣料品乾燥機で処置する場合には、用いられる皺抑制組成物の量は布地の塊の大きさに依存する。好ましい４ｌｂｓの布地の束において、皺抑制組成物は通常、さらに低い濃度では少なくとも約１０ｇで、好ましくは少なくとも約２０ｇで、一層さらに好ましくは少なくとも約３０ｇで、尚さらに好ましくは少なくとも約５０ｇで、及び最も好ましくは約６６ｇで、及びさらに高い濃度では約３０００ｇ以下で、好ましくは約１５００ｇ以下で、さらに好ましくは約７５０ｇ以下で、一層さらに好ましくは約５００ｇ以下で、及び最も好ましくは約１００ｇ以下で用いられることが必要である。束の大きさが約４ｌｂｓより大きい場合には、さらに多くの量の抑制組成物が適切であり、束の大きさが約４ｌｂｓ（約１．８ｋｇ）より小さい場合には、さらに少ない量の抑制組成物が適切である。
【０１９７】
衣服及び布地はできるだけ速く取り出す必要があり、好ましくは乾燥サイクルに続いて直ちに取り出し、布地の滑らかな見かけを保持するように調整するが、それには例えば袖、襟、ズボンの足の調整があり、それによりこれらは滑らかで及び多少なりともよじれることがなく、及び布地をハンガーに吊るすこと、布地を平らに寝かせること、又は布地を自然に使用して、その見かけを保持すること、例えばカーテンを吊るす、ベッドにベッドリネンを置く、テーブルにテーブルリネンを置くこと、があるがこれらに限られない。好ましくは布地は完全に乾燥するまで、折り畳まれず、及び保管されないであろう。
【０１９８】
手持ち式のヘアードライヤーは個々の布地の乾燥を速めるために用い得る。非常に湿ってはいない布地に手持ち式のヘアードライヤーを用いることは好ましいが、これはこうした電気製品で布地を乾燥させるのは時間がかかる可能性があるためである。そのためこの方法は、好ましくはかなり乾燥した布地、例えば、乾燥した状態で開始したものに使用される。
手持ち式のヘアードライヤーを用いる場合には、皺抑制組成物は、好ましくは布地全体に均一に適用され、及び好ましくは必要な最少量の皺抑制組成物が用いられる。好ましくは、手持ち式のドライヤーによる乾燥に先立って、布地は皺を除去するため上記のような操作をされる。手持ち式のドライヤーは、低、中、又は高の加熱の内のいずれかにスイッチを入れられるが、好ましくは中又は高の加熱、及び空気流が布地全体に、布地が乾燥するまで均等に適用される。しかしながら、縮みやすい布地、例えば、ウール、絹、レーヨンなどを乾燥させる場合には、特に布地が乾燥点に完全に到達している場合には、好ましくは低加熱及び／又は冷却空気を使用する注意が必要である。乾燥の後、使用するまで、布地は上述のように滑らかさを保持するであろう構造体の中に設定される必要がある。
【０１９９】
皺抑制組成物は、湿った、又は乾いた布地のいずれかについてアイロンの過程により、皺の除去を簡単にする、アイロンかけの補助として用い得る。皺抑制組成物は好ましくはアイロンに先立って布地に適用される。布地への、皺抑制組成物の好ましい送達方法は噴霧によるものである。皺抑制組成物はまた、上述の乾燥機を介した多くの方法を使用して、送達し得る。最後に、幾つかの実施例において、アイロン過程と同時にアイロンを介して、皺抑制組成物を送達することは受け入れられる。アイロンは布地をアイロンするのに適切な温度に設定される必要がある。皺抑制組成物は、布地の「可塑化」を援助し、そのためアイロンで布地の皺を伸ばすことに伴う時間と労力を減少する。のり又は水がアイロンかけの補助として用いられる場合には、一般に皺抑制組成物は、のり又は水と同じような方法で用いられる。アイロンをした後、布地は上述のように滑らかさを保持するであろう構造体の中に設定される必要がある。
【０２００】
皺抑制組成物は、多くの家庭用布地をその典型的な環境にある間に処置することができる。例えば、布地を含むシャワーカーテン、及び窓カーテンは竿に吊るされている間に処置されることができ、ベッド・スプレッド、キルト、シーツ、襞飾り、及びダスターは、それらがベッド、テーブル上にある間に処置されることができ、テーブルリネンはテーブルの上にある間に処置されることができる布地をその定型的な環境にある状態で処理するために、噴霧は好ましい方法である。これらの場合、布地の周囲の環境に染みを付けるのを避けるため、適切な注意が必要である。例えば、テーブルリネンの場合は、下のテーブルが木を含むか、又は水、又は皺抑制組成物の成分がかかると染み、ゆがみを生じるか、又はそうなければ変形するであろう、他のいかなる物質を含む場合、水がテーブルまで染み透るのを避けるため、非常に軽く噴霧されることが必要である。多くの場合、家庭用布地に、その自然な環境において噴霧することにより、時間のかかる、高価な、不都合な、又は望ましくない過程は置き換えられる。例えば、浴槽の水道設備を用いて大量の蒸気を生成することにより、シャワーカーテンは多くの場合皺を除去される。シャワーカーテンに皺抑制組成物を噴霧することにより、蒸気を生成するために大量の水を無駄にする必要がなくなり、浴室の他の要素に対する蒸気の潜在的に望ましくない効果（例えば壁が剥離するかもしれない）、及び特定の期間浴室の使用を停止する不便さがなくなる。カーテン及びベッド用布製品に皺抑制組成物を噴霧することにより、多くの場合、大きく、不規則な形の品にアイロンしようとする、扱いにくい、時間のかかる仕事はなくなる；使用者が大きい、不規則な形の布地、及びアイロンの両方を制御しようと奮闘している間に、その過程（例えばアイロン）は多くの場合、うっかりして更に深い、より明らかな、そして除去するのが困難な皺を生成する結果となる。そのため、家庭用の布をそれらが定位置に吊るされたまま、皺抑制組成物で処理しようとすることは、多くの場合、イライラと奮闘を最小にする。この上で開示されたように、動力付き噴霧器から皺抑制組成物を散布して、性能、及び便宜を更に改善することは特に望ましい。
【０２０１】
皺抑制組成物は、消費者に広範囲な衣服及び布地を購入する自由、例えば、購入決定の際に、皺になりやすい傾向があるため、望ましくはあるが通常避けられる衣服及び布地を購入する自由を許す。皺抑制組成物は、これらの品をケアする状況を非実際的で、時間がかかり、且つイライラする過程から、実際的な仕事に変化させ；そのため、こうした品の処置をすることの面倒くささを最小にし、これらを所有することの喜びを最大にする。
皺抑制組成物により処置する衣服を旋回する衣料品ハンガーを使用して吊るすことは好ましい。旋回する衣料品ハンガーは、フックの茎部の周囲に回転し得る枠を有する。前記旋回する衣料品ハンガーに吊るされた衣服は、多くの方向に向くことが可能である。これにより、噴霧を用いて衣服を処置する場合、皺抑制組成物により均等で、全体的な衣服の処置が容易になる。加えて旋回する衣料品ハンガーは、衣服の検査及び衣服への操作を容易にし、そのため一般に皺抑制組成物と共に用いた場合には有用である。
【０２０２】
Ｖ．試験方法
Ａ．パターン化試験
パターン化試験法は、噴霧散布器の噴霧の型を評価するために用いられる。パターン化試験は、噴霧により覆われる単位表面積当りの液体の体積により、噴霧の型を定量化する。標準偏差もまた、この試験法により計算される。
パターン化試験を実施するのに用いる装置は図１に示される。パターン化試験は、次の方法により実施される。
皺抑制組成物を噴霧先端部１２のついた、プラスティック瓶１０に設置し、噴霧散布器１８を形成する。プラスティック瓶１０の噴霧先端部１２を、万力様のクランプ１４の中に設置し、パターン化装置１６に取り付ける。
【０２０３】
噴霧散布器１８は、各管の先端が直径１．５０ｃｍである、目盛付き１４ｍｌの円錐管２２の二次元の１７×１７の管の列（合計２８９管）２０に照準を合わせるが、各管２２には、１ｍｌの目盛りが付いている。管の列２０の水平方向及び垂直方向の両方に長さ１５．２ｃｍ当り１０本の管がある。噴霧散布器１８のノズル２４は、管の列２０から６インチ（２．３６ｃｍ）のところに位置し、皺抑制組成物が管の列２０に向かって噴霧された場合、管２２が組成物を収集するように、管の列２０の中央に照準を合わせる。噴霧散布器１８は、噴霧の流れが管の列２０に対して垂直で、管の列２０が水平面２６に対して４５°の角であるように、管の列２０に照準を合わせる。各管２２は約１．７７ｃｍ２の表面積の要素に相当する。
【０２０４】
作動装置２８は、制御された圧力で、噴霧散布器１８を制動するために用いられる。作動装置の圧力は、噴霧器のピストン・シリンダー圧力の測定に基づいて選択され、このピストン・シリンダー圧力は、消費者が噴霧散布器の典型的な例を用いたときに生み出されたものである。作動装置の圧力は１平方インチ（ｐｓｉ）当り約４０〜約５０ポンドである。作動装置２８を運転するピストン３０は、ピストン３０に接続した柔軟な管３２を通して供給される圧縮空気により動力を供給される。
噴霧散布器１８は作動装置２８により１００回始動され、１００回の噴霧により散布される組成物は、１７×１７の管の列２０の管２２により収集される。１００回の噴霧による液体が収集された後、各管２２は管の列２０より取り外され、各管２２の中の液体の量が記録される。このデータはスプレッド・シート・コンピュータプログラム（マイクロソフト・エクセル２０００（Ｍｉｃｒｏｓｏｆｔ Ｅｘｃｅｌ ２０００（登録商標））に入力され、これが単位表面積当たりの液体の体積、及びその標準偏差を計算するのに用いられる。このようなデータの結果を表面積に対する体積の関数としてプロットし、３次元のグラフを作る。
【０２０５】
Ｂ．染み付き試験
染み付き試験は、選択された噴霧散布器により、噴霧散布器のノズルと布地の面の間の距離が６インチにおいて、組成物を吊るされた布地に噴霧することにより実施される。染み付きを評価するのに用いられる布地は、中間の暗色を含み、例えば緑又は青の：ポリコットン（スプリングメイド（Ｓｐｒｉｎｇｍａｉｄ）トレモード（ＴＲＥＭＯＤＥ）コーマ・ブロード（ｃｏｍｂｅｄ ｂｒｏａｄｃｌｏｔｈ）、ポリコットン布地６５％ポリエステル及び３５％綿、いかなる中間の暗色、例えば非限定的な例ではカラー番号９９５５５、明るい黄緑色と呼ばれる）がある。皺抑制組成物により、散布器が試験されるごとに、１０枚の布見本が噴霧される。明確な染みの付いた布見本の数が表にされ、噴霧された１０枚の布見本当りの染みの数が記録される。
【０２０６】
Ｃ．乾燥時間試験
乾燥時間試験は、温度７１〜７３°Ｆにおいて、オメガ（Ｏｍｅｇａ）ＣＴＨ１００温度／相対湿度表記録器（オメガ・エンジニアリング（Ｏｍｅｇａ Ｅｎｇｉｎｅｅｒｉｎｇ）より）で測定した相対湿度が２０〜２７ＲＨである条件において実施される。噴霧散布器から組成物が布地（スプリングメイド（Ｓｐｒｉｎｇｍａｉｄ）トレモード（ＴＲＥＭＯＤＥ）コーマ・ブロード（ｃｏｍｂｅｄ ｂｒｏａｄｃｌｏｔｈ）、ポリコットン布地６５％ポリエステル及び３５％綿）に、噴霧器のノズルと布地の間の距離が６インチにおいて散布される。乾燥する布地を吊るしているときに、典型的な研究室用秤（例えば、メトラー（Ｍｅｔｔｌｅｒ）ＰＭ４０００；メトラー（Ｍｅｔｔｌｅｒ）ＰＭ２０００）の上に載るように設計された吊るし用装置に吊るしてある間に、布地は噴霧される。吊るし用装置は、布地を挟むことができるＴ型の金属スタンドである。布地は吊るし用装置が秤の上に載っている間に吊るし用装置に取り付けられる。布地が吊るし用装置に取り付けられた後、上に示したように噴霧される。直ちに布地の最初の質量が時間＝０分として記録される。布地の質量は、噴霧の後の時間＝２分、５分、１０分において記録される。質量の初期値からの％変化を時間の関数としてグラフ上にプロットする。各噴霧器についての乾燥時間を生み出すため、２つの噴霧器を用い、噴霧器ごとに２つの反復をする。そのため、各噴霧器について乾燥時間のデータは４回繰返される。プロットのために、データは４回を平均する。
【０２０７】
（実施例）
以下のものは本発明の非限定的な例である。本明細書、実施例及び請求項における全ての百分率、比、及び割合、質量によるものであり、特に指定しない限り正規近似である。
【０２０８】
実施例１
以下のものは本発明の皺抑制組成物の例である：
【０２０９】
【表５】
2004500493.tif 000016
【０２１０】
【表６】
2004500493.tif 000017
【０２１１】
【表７】
2004500493.tif 000018
【０２１２】
【表８】
2004500493.tif 000019
【０２１３】
【表９】
2004500493.tif 000020
【０２１４】
【表１０】
2004500493.tif 000021
【０２１５】
【表１１】
2004500493.tif 000022
【０２１６】
【表１２】
2004500493.tif 000023
【０２１７】
【表１３】
2004500493.tif 000024
【０２１８】
【表１４】
2004500493.tif 000025
【０２１９】
【表１５】
2004500493.tif 000026
【０２２０】
【表１６】
2004500493.tif 000027
【０２２１】
実施例２
本実施例は、噴霧パターンの散布に関して、異なる噴霧散布器の間の違いを説明する。多種多様な噴霧散布器がこれ以前にＶ節Ａ項に記載したパターン化試験法により評価される。
試験される噴霧散布器の噴霧パターンを評価するのに、以下の皺抑制組成物が用いられる：
【０２２２】
【表１７】
2004500493.tif 000028
【０２２３】
パターン化試験により、多種多様な噴霧散布器が試験される。試験の結果は、単位面積当たりの体積とその標準偏差を有する噴霧パターンとして得られ、以下の表に示される：
【０２２４】
【表１８】
2004500493.tif 000029
【０２２５】
以下のプロット１〜６は、上記で詳説した噴霧散布器のためのパターン化試験法の結果を用いて作成する。このような３次元のプロットは、所定の噴霧散布器の噴霧の型の散布を示す。プロット１〜６では、縦列と横列は、図１のチューブアレイ２０を表し、その上に噴霧散布器１８から組成物が分配される。凡例は、製品の体積をミリリットルで表している。
プロット１．ミキサー（Ｍｉｘｏｒ）１．０ｃｃ×０．０２５×０．０３０噴霧器に関する噴霧の型のグラフ
【０２２６】
【数１】
2004500493.tif 000030
【０２２７】
プロット２．ミキサー（Ｍｉｘｏｒ）１．０ｃｃＭＰ噴霧器に関する噴霧の型のグラフ
【０２２８】
【数２】
2004500493.tif 000031
【０２２９】
プロット３．カルマー（Ｃａｌｍａｒ）ＴＳ−８００−２Ｇ噴霧器に関する噴霧の型のグラフ
【０２３０】
【数３】
2004500493.tif 000032
【０２３１】
プロット４．インデスコ（Ｉｎｄｅｓｃｏ）Ｔ−８５００噴霧器に関する噴霧の型のグラフ
【０２３２】
【数４】
2004500493.tif 000033
【０２３３】
プロット５．カルマー（Ｃａｌｍａｒ）ＴＳ−８００−２Ｅ噴霧器に関する噴霧の型のグラフ
【０２３４】
【数５】
2004500493.tif 000034
【０２３５】
プロット６．カルマー（Ｃａｌｍａｒ）ＴＳ−８００−２噴霧器に関する噴霧の型のグラフ
【０２３６】
【数６】
2004500493.tif 000035
【０２３７】
上記１〜６を観察することによって、許容不能の噴霧器が一般に、小さな単位表面積において大量の液体が散布される「ホットスポット」を有することが判る。
【０２３８】
実施例３
本実施例は皺抑制組成物で処置した布地に生じる可能性のある染み付きを最小にするために、本発明において望ましい噴霧の型を提供する噴霧散布器を使用する必要を説明する。
多種多様な噴霧散布器は、上記Ｖ節Ｂ項の染み付き試験を用いて評価される。皺抑制組成物で処置した布地に染みを付ける可能性について、噴霧散布器のもつ影響を評価するのに本質的に水から成る皺抑制組成物が用いられる：
皺抑制組成物は所与の噴霧器を用いて染み付き試験法により噴霧される。染み付き試験の結果は以下の表に示される：
【０２３９】
【表１９】
2004500493.tif 000036
【０２４０】
実施例ＩＶ
本実施例は、皺抑制組成物により処置された布地が乾燥するのに必要な時間の長さについて、特別な噴霧パターンを有する噴霧散布器がもつ影響を説明する。
本実施例において、多種多様な噴霧散布器がＶ節Ｃ項に開示された乾燥時間試験により試験される。乾燥時間試験により噴霧散布器を評価するために本質的に水から成る皺抑制組成物が用いられる：
乾燥時間試験法によるデータは、上記の噴霧散布器について収集され、残っている水の百分率に対する時間の関数としてグラフ上にプロットされる。このデータは以下のグラフに表される：
【０２４１】
【数７】
2004500493.tif 000037
【０２４２】
本発明の許容可能な噴霧の型を持つ噴霧器を用いることによって、乾燥時間は、水だけでさえも有意に減少する。
【図面の簡単な説明】
【図１】Ｖ節Ａ項に記載されるパターン化試験を行うための装置の概略図である。
【国際公開パンフレット】
2004500493.tif 000038
2004500493.tif 000039
2004500493.tif 000040
2004500493.tif 000041
2004500493.tif 000042
2004500493.tif 000043
2004500493.tif 000044
2004500493.tif 000045
2004500493.tif 000046
2004500493.tif 000047
2004500493.tif 000048
2004500493.tif 000049
2004500493.tif 000050
2004500493.tif 000051
2004500493.tif 000052
2004500493.tif 000053
2004500493.tif 000054
2004500493.tif 000055
2004500493.tif 000056
2004500493.tif 000057
2004500493.tif 000058
2004500493.tif 000059
2004500493.tif 000060
2004500493.tif 000061
2004500493.tif 000062
2004500493.tif 000063
2004500493.tif 000064
2004500493.tif 000065
2004500493.tif 000066
2004500493.tif 000067
2004500493.tif 000068
2004500493.tif 000069
2004500493.tif 000070
2004500493.tif 000071
2004500493.tif 000072
2004500493.tif 000073
2004500493.tif 000074
2004500493.tif 000075
2004500493.tif 000076
2004500493.tif 000077
2004500493.tif 000078
2004500493.tif 000079
2004500493.tif 000080
2004500493.tif 000081
2004500493.tif 000082
2004500493.tif 000083
2004500493.tif 000084
2004500493.tif 000085
2004500493.tif 000086
2004500493.tif 000087
2004500493.tif 000088
2004500493.tif 000089
2004500493.tif 000090
2004500493.tif 000091
2004500493.tif 000092
2004500493.tif 000093
2004500493.tif 000094
2004500493.tif 000095
2004500493.tif 000096
2004500493.tif 000097
2004500493.tif 000098
2004500493.tif 000099
2004500493.tif 000100
2004500493.tif 000101
2004500493.tif 000102
2004500493.tif 000103
2004500493.tif 000104
2004500493.tif 000105
2004500493.tif 000106
2004500493.tif 000107
2004500493.tif 000108
2004500493.tif 000109
2004500493.tif 000110
2004500493.tif 000111
2004500493.tif 000112
2004500493.tif 000113
2004500493.tif 000114
2004500493.tif 000115
2004500493.tif 000116
2004500493.tif 000117
2004500493.tif 000118
2004500493.tif 000119
2004500493.tif 000120
2004500493.tif 000121
2004500493.tif 000122
2004500493.tif 000123
2004500493.tif 000124
2004500493.tif 000125
2004500493.tif 000126
2004500493.tif 000127
2004500493.tif 000128
2004500493.tif 000129
2004500493.tif 000130
2004500493.tif 000131
2004500493.tif 000132
2004500493.tif 000133
2004500493.tif 000134
2004500493.tif 000135
2004500493.tif 000136
【国際公開パンフレット（コレクトバージョン）】
2004500493.tif 000137
2004500493.tif 000138
【国際調査報告】
2004500493.tif 000139
2004500493.tif 000140